(57)【要約】【課題】  液晶表示パネルの光学応答特性を補償するように、入力画像データに対する強調変換を行うとともに、ＰＡＬ方式又はＳＥＣＡＭ方式（５０Ｈｚ）の画像データに対する過度な強調変換による映像ノイズの発生を防止することで、高画質の画像表示を行う。【解決手段】  映像信号種別検出部１０によりＰＡＬ方式又はＳＥＣＡＭ方式（５０Ｈｚ）の映像信号が検出されると、その入力画像データに対し、ＮＴＳＣ方式（６０Ｈｚ）の場合より小さい強調変換度合いで強調変換処理を行うことによって、液晶の応答速度を改善しつつ、過強調による映像ノイズの発生を防止して、画質劣化を抑制する。【選択図】  図１
2006010714.tif 000002
【特許請求の範囲】
【請求項１】
少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、
前記液晶テレビジョン受像機は、複数の放送方式の画像データを表示可能であり、
さらに、入力画像データが第１の放送方式の映像信号であるか、当該第１の放送方式の映像信号とは垂直周波数の異なる第２の放送方式の映像信号であるかの信号種別を検出する信号種別検出手段と、
前記液晶表示パネルが所定期間内において前記画像データの定める透過率となるように、前記画像データの強調変換を行う強調変換手段とを備え、
前記信号種別検出手段による検出結果に応じて、前記強調変換手段における前記画像データに対する強調変換度合いを可変制御することを特徴とする液晶テレビジョン受像機。
【請求項２】
現垂直期間の画像データと１垂直期間前の画像データとから指定される強調変換パラメータが格納されたテーブルメモリを備え、
前記強調変換手段は、
前記強調変換パラメータを用いて、前記画像データに強調演算を施す演算部と、
前記演算部の出力データに対し、前記信号種別検出手段による検出結果に応じて、異なる係数を乗算する乗算部とを有することを特徴とする請求項１に記載の液晶テレビジョン受像機。
【請求項３】
前記乗算部における係数は、前記入力画像データが第２の放送方式の映像信号である場合、前記入力画像データが第１の放送方式の映像信号である場合に比べて小さくなるように設定されていることを特徴とする請求項２に記載の液晶テレビジョン受像機。
【請求項４】
前記入力画像データが第１の放送方式の映像信号である場合に参照する、現垂直期間の画像データと１垂直期間前の画像データとから指定される強調変換パラメータが格納されたテーブルメモリと、
前記入力画像データが第２の放送方式の映像信号である場合に参照する、現垂直期間の画像データと１垂直期間前の画像データとから指定される強調変換パラメータが格納されたテーブルメモリとを備え、
前記強調変換手段は、前記信号種別検出手段による検出結果に応じて、前記テーブルメモリから読み出される前記強調変換パラメータを用いて、前記画像データに強調演算を施す演算部を有することを特徴とする請求項１に記載の液晶テレビジョン受像機。
【請求項５】
前記強調変換パラメータは、前記入力画像データが第１の放送方式の映像信号である場合に読み出されるものに比べて、前記入力画像データが第２の放送方式の映像信号である場合に読み出されるものが小さい値であることを特徴とする請求項４に記載の液晶テレビジョン受像機。
【請求項６】
さらに、装置内温度を検出する温度検出手段を備え、
前記強調変換手段は、前記温度検出手段による検出結果に基づき、前記画像データに対する強調変換度合いを可変することを特徴とする請求項１に記載の液晶テレビジョン受像機。
【請求項７】
現垂直期間の画像データと１垂直期間前の画像データとから指定される強調変換パラメータが格納されたテーブルメモリを備え、
前記強調変換手段は、
前記強調変換パラメータを用いて、前記画像データに強調演算を施す演算部と、
前記演算部の出力データに対し、前記信号種別検出手段による検出結果と前記温度検出手段の検出結果とに応じて、異なる係数を乗算する乗算部とを有することを特徴とする請求項６に記載の液晶テレビジョン受像機。
【請求項８】
前記入力画像データが第１の放送方式の映像信号である場合に参照する、現垂直期間の画像データと１垂直期間前の画像データとから指定される強調変換パラメータが格納されたテーブルメモリと、
前記入力画像データが第２の放送方式の映像信号である場合に参照する、現垂直期間の画像データと１垂直期間前の画像データとから指定される強調変換パラメータが格納されたテーブルメモリとを備え、
前記強調変換手段は、
前記信号種別検出手段による検出結果に応じて、前記テーブルメモリから読み出される前記強調変換パラメータを用いて、前記画像データに強調演算を施す演算部と、
前記演算部の出力データに対し、前記温度検出手段の検出結果に応じて異なる係数を乗算する乗算部とを有することを特徴とする請求項６に記載の液晶テレビジョン受像機。
【請求項９】
前記入力画像データが第１の放送方式の映像信号である場合に参照する、複数の装置内温度毎に対応して、現垂直期間の画像データと１垂直期間前の画像データとから指定される強調変換パラメータが格納されたテーブルメモリと、
前記入力画像データが第２の放送方式の映像信号である場合に参照する、複数の装置内温度毎に対応して、現垂直期間の画像データと１垂直期間前の画像データとから指定される強調変換パラメータが格納されたテーブルメモリとを備え、
前記強調変換手段は、前記信号種別検出手段による検出結果と前記温度検出手段の検出結果とに応じて、前記テーブルメモリから読み出される前記強調変換パラメータを用いて、前記画像データに強調演算を施す演算部を有することを特徴とする請求項６に記載の液晶テレビジョン受像機。
【請求項１０】
複数の装置内温度毎に対応して、現垂直期間の画像データと１垂直期間前の画像データとから指定される強調変換パラメータが格納されたテーブルメモリを備え、
前記強調変換手段は、前記信号種別検出手段による検出結果によって定められた切換温度と前記温度検出手段の検出結果との比較結果に応じて、前記テーブルメモリから読み出される前記強調変換パラメータを用いて、前記画像データに強調演算を施す演算部を有することを特徴とする請求項６に記載の液晶テレビジョン受像機。
【請求項１１】
前記強調変換パラメータの切り換え選択を制御する制御手段を備え、
前記制御手段は、
前記温度検出手段により検出された温度データに対して、前記入力画像データの信号種別毎に定められた所定の演算を施す演算部と、
前記演算部により演算が施された温度データと、予め決められた所定の閾値温度データとを比較する閾値判別部と、
前記閾値判別部による比較結果に応じて、前記強調変換パラメータを切り換え制御する切換制御信号を生成する制御信号出力部とを有することを特徴とする請求項１０に記載の液晶テレビジョン受像機。
【請求項１２】
前記強調変換パラメータの切り換え選択を制御する制御手段を備え、
前記制御手段は、
前記温度検出手段により検出された温度データと、前記入力画像データの信号種別毎に決められた所定の閾値温度データとを比較する閾値判別部と、
前記閾値判別部による比較結果に応じて、前記強調変換パラメータを切り換え制御する切換制御信号を生成する制御信号出力部とを有することを特徴とする請求項１０に記載の液晶テレビジョン受像機。
【請求項１３】
少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、
前記液晶表示パネルは、複数の放送方式の画像データを表示可能であり、
入力画像データが第１の放送方式の映像信号であるか、当該第１の放送方式の映像信号とは垂直周波数の異なる第２の放送方式の映像信号であるかの信号種別を検出する工程と、
前記液晶表示パネルが所定期間内において前記画像データの定める透過率となるように、前記画像データの強調変換を行う工程とを有し、
前記信号種別の検出結果に応じて、前記強調変換における前記画像データに対する強調変換度合いを可変制御することを特徴とする液晶表示制御方法。
【請求項１４】
現垂直期間の画像データと１垂直期間前の画像データとから指定される強調変換パラメータが格納されたテーブルメモリを参照する工程と、
前記強調変換パラメータを用いて、前記画像データに強調演算を施す工程と、
前記演算による出力データに対し、前記信号種別の検出結果に応じて、異なる係数を乗算する工程とを有することを特徴とする請求項１３に記載の液晶表示制御方法。
【請求項１５】
前記入力画像データが第１の放送方式の映像信号である場合に参照する、現垂直期間の画像データと１垂直期間前の画像データとから指定される強調変換パラメータが格納されたテーブルメモリを参照する工程と、
前記入力画像データが第２の放送方式の映像信号である場合に参照する、現垂直期間の画像データと１垂直期間前の画像データとから指定される強調変換パラメータが格納されたテーブルメモリを参照する工程と、
前記信号種別の検出結果に応じて、前記テーブルメモリから読み出される前記強調変換パラメータを用いて、前記画像データに強調演算を施す工程とを有することを特徴とする請求項１３に記載の液晶表示制御方法。
【請求項１６】
装置内温度を検出する工程と、
前記装置内温度の検出結果に基づき、前記画像データに対する強調変換度合いを可変する工程とを有することを特徴とする請求項１３に記載の液晶表示制御方法。
【請求項１７】
現垂直期間の画像データと１垂直期間前の画像データとから指定される強調変換パラメータが格納されたテーブルメモリを参照する工程と、
前記強調変換パラメータを用いて、前記画像データに強調演算を施す工程と、
前記演算による出力データに対し、前記信号種別の検出結果と前記装置内温度の検出結果とに応じて、異なる係数を乗算する工程とを有することを特徴とする請求項１６に記載の液晶表示制御方法。
【請求項１８】
前記入力画像データが第１の放送方式の映像信号である場合に参照する、現垂直期間の画像データと１垂直期間前の画像データとから指定される強調変換パラメータが格納されたテーブルメモリを参照する工程と、
前記入力画像データが第２の放送方式の映像信号である場合に参照する、現垂直期間の画像データと１垂直期間前の画像データとから指定される強調変換パラメータが格納されたテーブルメモリを参照する工程と、
前記信号種別の検出結果に応じて、前記テーブルメモリから読み出される前記強調変換パラメータを用いて、前記画像データに強調演算を施す工程と、
前記演算による出力データに対し、前記装置内温度の検出結果に応じて異なる係数を乗算する工程とを有することを特徴とする請求項１６に記載の液晶表示制御方法。
【請求項１９】
前記入力画像データが第１の放送方式の映像信号である場合に参照する、複数の装置内温度毎に対応して、現垂直期間の画像データと１垂直期間前の画像データとから指定される強調変換パラメータが格納されたテーブルメモリを参照する工程と、
前記入力画像データが第２の放送方式の映像信号である場合に参照する、複数の装置内温度毎に対応して、現垂直期間の画像データと１垂直期間前の画像データとから指定される強調変換パラメータが格納されたテーブルメモリを参照する工程と、
前記信号種別の検出結果と前記装置内温度の検出結果とに応じて、前記テーブルメモリから読み出される前記強調変換パラメータを用いて、前記画像データに強調演算を施す工程とを有することを特徴とする請求項１６に記載の液晶表示制御方法。
【請求項２０】
複数の装置内温度毎に対応して、現垂直期間の画像データと１垂直期間前の画像データとから指定される強調変換パラメータが格納されたテーブルメモリを参照する工程と、
前記信号種別の検出結果によって定められた切換温度と前記装置内温度の検出結果との比較結果に応じて、前記テーブルメモリから読み出される前記強調変換パラメータを用いて、前記画像データに強調演算を施す工程とを有することを特徴とする請求項１６に記載の液晶表示制御方法。
【請求項２１】
前記装置内温度の検出結果である温度データに対して、前記入力画像データの信号種別毎に定められた所定の演算を施す工程と、
前記演算が施された温度データと、予め決められた所定の閾値温度データとを比較する工程と、
前記比較の結果に応じて、前記強調変換パラメータを切り換え制御する切換制御信号を生成する工程とを有することを特徴とする請求項２０に記載の液晶表示制御方法。
【請求項２２】
前記装置内温度の検出結果である温度データと、前記入力画像データの信号種別毎に決められた所定の閾値温度データとを比較する工程と、
前記比較の結果に応じて、前記強調変換パラメータを切り換え制御する切換制御信号を生成する工程とを有することを特徴とする請求項２１に記載の液晶表示制御方法。
【請求項２３】
複数の放送方式の画像データを表示可能で、しかも、少なくとも１垂直期間前の画像データと現垂直期間の画像データとに基づいて、液晶表示パネルへ供給する画像データを、前記液晶表示パネルが所定期間内において前記画像データの定める透過率となるように強調変換することにより、前記液晶表示パネルの光学応答特性を補償する液晶テレビジョン受像機を制御するコンピュータのプログラムであって、
入力画像データが第１の放送方式の映像信号であるか、当該第１の放送方式の映像信号とは垂直周波数の異なる第２の放送方式の映像信号であるかの信号種別を検出した結果に応じて、前記画像データに対する強調変換度合いを可変制御する工程を、上記コンピュータに実行させるプログラム。
【請求項２４】
請求項２３記載のプログラムを記録した記録媒体。
【発明の詳細な説明】
【技術分野】
【０００１】
本発明は、液晶表示パネルを用いて画像を表示する液晶テレビジョン受像機に関し、特に液晶表示パネルの光学応答特性を改善することができる液晶テレビジョン受像機に関するものである。
【背景技術】
【０００２】
近来、パーソナルコンピュータやテレビジョン受信機などの軽量化、薄形化によってディスプレイ装置も軽量化、薄形化が要求されており、このような要求に従って陰極線管（ＣＲＴ）の代わりに液晶表示装置（ＬＣＤ）のようなフラットパネル型ディスプレイが開発されている。
【０００３】
ＬＣＤは二つの基板の間に注入されている異方性誘電率を有する液晶層に電界を印加し、この電界の強さを調節して基板を透過する光の量を調節することによって所望の映像信号を得る表示装置である。このようなＬＣＤは携帯の簡便なフラットパネル型ディスプレイのうちの代表的なものであり、この中でも薄膜トランジスタ（ＴＦＴ）をスイッチング素子として用いたＴＦＴ  ＬＣＤが主に用いられている。
【０００４】
最近は、ＬＣＤがコンピュータのディスプレイ装置だけでなくテレビジョン受信機のディスプレイ装置として広く用いられるため、動画像を具現する必要が増加してきた。しかしながら、従来のＬＣＤは応答速度が遅いために動画像を具現するのは難しいという短所があった。
【０００５】
このような液晶の応答速度の問題を改善するために、１フレーム前の入力映像信号と現フレームの入力映像信号の組み合わせに応じて、予め決められた現フレームの入力映像信号に対する階調電圧より高い（オーバーシュートされた）駆動電圧或いはより低い（アンダーシュートされた）駆動電圧を液晶表示パネルに供給する液晶駆動方法が知られている（たとえば特許文献１）。以下、本願明細書においては、この駆動方式をオーバーシュート（ＯＳ）駆動と定義する。
【０００６】
また、液晶の応答速度は温度依存性が非常に大きいことが知られており、液晶表示パネルの温度が変化しても、これに対応して表示品位を損なうことなく、常に階調変化の応答速度を最適な状態に制御する液晶パネル駆動装置が、たとえば特許文献２に記載されている。
【０００７】
このように、使用環境温度に応じて、液晶表示パネルの光学応答特性を補償すべくオーバーシュート駆動を行うものについて、図１５乃至図１９とともに説明する。ここで、図１５は従来の液晶表示装置の要部構成を示すブロック図、図１６はＯＳテーブルメモリの内容例を示す説明図、図１７は制御ＣＰＵの概略構成を示す機能ブロック図、図１８は装置内温度と参照テーブルメモリとの関係を示す説明図、図１９は液晶に加える電圧と液晶の応答との関係を示す説明図である。
【０００８】
図１５において、１ａ〜１ｄは入力画像データの１フレーム期間前後における階調遷移に応じたＯＳパラメータ（強調変換パラメータ）を、装置内温度毎に対応して格納しているＯＳテーブルメモリ（ＲＯＭ）、１５は入力画像データを１フレーム分記憶するフレームメモリ（ＦＭ）、１４Ｈはこれから表示するＭ番目のフレームの入力画像データ（Current Data）と、フレームメモリ１５に保存されたＭ−１番目のフレームの入力画像データ(Previous Data) とを比較し、該比較結果（階調遷移）に対応するＯＳパラメータをＯＳテーブルメモリ（ＲＯＭ）１ａ〜１ｄのいずれかより読み出して、このＯＳパラメータに基づいてＭ番目のフレームの画像表示に要する強調変換データ（書込階調データ）を決定する強調変換部である。
【０００９】
また、１６は強調変換部１４Ｈからの強調変換データに基づいて、液晶表示パネル１７のゲートドライバ１８及びソースドライバ１９に液晶駆動信号を出力する液晶コントローラ、２０は当該装置内の温度を検出するための温度センサ、１２Ｈは温度センサ２０で検出された装置内温度に応じて、ＯＳテーブルメモリ（ＲＯＭ）１ａ〜１ｄのいずれかを選択参照して、画像データの強調変換に用いるＯＳパラメータを切り換えるための切換制御信号を強調変換部１４Ｈに出力する制御ＣＰＵである。
【００１０】
ここで、ＯＳテーブルメモリ（ＲＯＭ）１ａ〜１ｄに格納されているＯＳパラメータＬＥＶＥＬ１〜ＬＥＶＥＬ４は、それぞれ基準温度Ｔ１、Ｔ２、Ｔ３、Ｔ４（Ｔ１＜Ｔ２＜Ｔ３＜Ｔ４）の環境下における、液晶表示パネル１７の光学応答特性の実測値から予め得られるものであり、それぞれの強調変換度合いはＬＥＶＥＬ１＞ＬＥＶＥＬ２＞ＬＥＶＥＬ３＞ＬＥＶＥＬ４の関係となっている。
【００１１】
なお、たとえば表示信号レベル数すなわち表示データ数が８ビットの２５６階調である場合、ＯＳテーブルメモリ（ＲＯＭ）１ａ〜１ｄには、２５６の全ての階調に対するＯＳパラメータ（実測値）を持っていてもよいが、たとえば図１６に示すように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）の記憶容量を抑制することができる。
【００１２】
また、制御ＣＰＵ１２Ｈは、図１７に示すように、温度センサ２０による温度検出データを、予め決められた所定の閾値温度データ値Ｔｈ１，Ｔｈ２，Ｔｈ３と比較する閾値判別部１２ａと、該閾値判別部１２ａによる比較結果に応じて、ＯＳテーブルメモリ（ＲＯＭ）１ａ〜１ｄのいずれかを選択し、ＯＳパラメータＬＥＶＥＬ１〜ＬＥＶＥＬ４を切り換えるための切換制御信号を生成して出力する制御信号出力部１２ｂとを有している。
【００１３】
ここでは、たとえば図１８に示すように、温度センサ２０で検出された装置内温度が切換閾値温度Ｔｈ１（＝１５℃）以下であれば、制御ＣＰＵ１２Ｈは強調変換部１４Ｈに対し、ＯＳテーブルメモリ（ＲＯＭ）１ａを選択して参照するように指示する。これによって、強調変換部１４ＨはＯＳテーブルメモリ（ＲＯＭ）１ａに格納されているＯＳパラメータＬＥＶＥＬ１を用いて、入力画像データの強調変換処理を行う。
【００１４】
また、温度センサ２０で検出された装置内温度が切換閾値温度Ｔｈ１（＝１５℃）より大きく且つ切換閾値温度Ｔｈ２（＝２５℃）以下であれば、制御ＣＰＵ１２Ｈは強調変換部１４Ｈに対し、ＯＳテーブルメモリ（ＲＯＭ）１ｂを選択して参照するように指示する。これによって、強調変換部１４ＨはＯＳテーブルメモリ（ＲＯＭ）１ｂに格納されている強調変換パラメータＬＥＶＥＬ２を用いて、入力画像データの強調変換処理を行う。
【００１５】
さらに、温度センサ２０で検出された装置内温度が切換閾値温度Ｔｈ２（＝２５℃）より大きく且つ切換閾値温度Ｔｈ３（＝３５℃）以下であれば、制御ＣＰＵ１２Ｈは強調変換部１４Ｈに対し、ＯＳテーブルメモリ（ＲＯＭ）１ｃを選択して参照するように指示する。これによって、強調変換部１４ＨはＯＳテーブルメモリ（ＲＯＭ）１ｃに格納されている強調変換パラメータＬＥＶＥＬ３を用いて、入力画像データの強調変換処理を行う。
【００１６】
そしてまた、温度センサ２０で検出された装置内温度が切換閾値温度Ｔｈ３（＝３５℃）より大きければ、制御ＣＰＵ１２Ｈは強調変換部１４Ｈに対し、ＯＳテーブルメモリ（ＲＯＭ）１ｄを選択して参照するように指示する。これによって、強調変換部１４ＨはＯＳテーブルメモリ（ＲＯＭ）１ｄに格納されているＯＳパラメータＬＥＶＥＬ４を用いて、入力画像データの強調変換処理を行う。
【００１７】
一般的に液晶表示パネルにおいては、ある中間調から別の中間調に変更させる時間は長く、また低温時の入力信号に対する追従性が極端に悪くなり、応答時間が増大するため、中間調を１フレーム期間（たとえば６０Ｈｚのプログレッシブスキャンの場合は１６．７ｍｓｅｃ）内に表示することができず、残像が発生するだけでなく、中間調を正しく表示することができないという課題があったが、上述のオーバーシュート駆動回路を用いて、予め決められた１フレーム表示期間経過後に液晶表示パネル１７が入力画像データの定める目標階調輝度へ到達するように、入力画像データの階調レベルを階調遷移方向へ強調変換することにより、図１９に示すように、目標の中間調を短時間（１フレーム期間内）で表示することが可能となる。
【特許文献１】特開平４−３６５０９４号公報
【特許文献２】特開平４−３１８５１６号公報
【発明の開示】
【発明が解決しようとする課題】
【００１８】
ところで、上述したオーバーシュート駆動方法においては、予め決められた１垂直表示期間経過後に液晶表示パネルが入力画像データの定める目標階調輝度へ到達するように、入力画像データの階調レベルを階調遷移方向へ強調変換するものであり、同一条件であっても、放送方式の異なる入力画像データが入力され、入力画像データの垂直周波数（垂直表示周期）が異なると、１垂直表示期間経過後に液晶が到達する階調輝度も異なってしまうため、オーバーシュート駆動を正しく動作させることができない。
【００１９】
たとえば、現在のテレビジョン放送には、垂直周波数が６０Ｈｚ（走査線５２５本）であるＮＴＳＣ方式と、垂直周波数が５０Ｈｚ（走査線６２５本）であるＰＡＬ方式、ＳＥＣＡＭ方式とがあり、これら複数の放送方式のテレビジョン信号を受信して表示することが可能なマルチテレビジョン受像機が開発されているが、上述した従来の液晶表示装置をこのようなマルチテレビジョン受像機に適用した場合、オーバーシュート駆動を正しく動作させることができず、フレーム間データの誤差が拡大して、本来の入力画像データにはない映像ノイズを作り出すことになり、表示画像の画質を劣化させてしまうという問題があった。
【００２０】
解決しようとする問題点は、入力画像データのテレビジョン放送方式（映像フォーマット）が異なるにもかかわらず、該入力画像データに対して同一の強調変換処理を施すと、フレーム間データの誤差が拡大して、本来の入力画像データにはない映像ノイズが生じて画質劣化を招く可能性がある点である。
【課題を解決するための手段】
【００２１】
請求項１の液晶テレビジョン受像機は、少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、前記液晶テレビジョン受像機は、複数の放送方式の画像データを表示可能であり、さらに、入力画像データが第１の放送方式の映像信号であるか、当該第１の放送方式の映像信号とは垂直周波数の異なる第２の放送方式の映像信号であるかの信号種別を検出する信号種別検出手段と、前記液晶表示パネルが所定期間（画素書き換え周期）内において前記画像データの定める透過率となるように、前記画像データの強調変換を行う強調変換手段とを備え、前記信号種別検出手段による検出結果に応じて、前記強調変換手段における前記画像データに対する強調変換度合いを可変制御することを特徴とする。なお、垂直期間は、１フレーム（１コマ）の期間に相当し、例えば、画像データの１フレーム（１コマ）の画像全体を、画像データの１フレーム期間に渡って書き込み走査する場合、１垂直期間は１垂直表示期間と一致する。また、上記画像データの強調変換は画素単位で行なわれる。
【００２２】
請求項２の液晶テレビジョン受像機は、現垂直期間の画像データと１垂直期間前の画像データとから指定される強調変換パラメータが格納されたテーブルメモリを備え、前記強調変換手段は、前記強調変換パラメータを用いて、前記画像データに強調演算を施す演算部と、前記演算部の出力データに対し、前記信号種別検出手段による検出結果に応じて、異なる係数を乗算する乗算部とを有することを特徴とする。
【００２３】
請求項３の液晶テレビジョン受像機は、前記乗算部における係数は、前記入力画像データが第２の放送方式の映像信号である場合、前記入力画像データが第１の放送方式の映像信号である場合に比べて小さくなるように設定されていることを特徴とする。
【００２４】
請求項４の液晶テレビジョン受像機は、前記入力画像データが第１の放送方式の映像信号である場合に参照する、現垂直期間の画像データと１垂直期間前の画像データとから指定される強調変換パラメータが格納されたテーブルメモリと、前記入力画像データが第２の放送方式の映像信号である場合に参照する、現垂直期間の画像データと１垂直期間前の画像データとから指定される強調変換パラメータが格納されたテーブルメモリとを備え、前記強調変換手段は、前記信号種別検出手段による検出結果に応じて、前記テーブルメモリから読み出される前記強調変換パラメータを用いて、前記画像データに強調演算を施す演算部を有するとを特徴とする。
【００２５】
請求項５の液晶テレビジョン受像機は、前記強調変換パラメータは、前記入力画像データが第１の放送方式の映像信号である場合に読み出されるものに比べて、前記入力画像データが第２の放送方式の映像信号である場合に読み出されるものが小さい値であることを特徴とする。
【００２６】
請求項６の液晶テレビジョン受像機は、さらに、装置内温度を検出する温度検出手段を備え、前記強調変換手段は、前記温度検出手段による検出結果に基づき、前記画像データに対する強調変換度合いを可変することを特徴とする。
【００２７】
請求項７の液晶テレビジョン受像機は、現垂直期間の画像データと１垂直期間前の画像データとから指定される強調変換パラメータが格納されたテーブルメモリを備え、前記強調変換手段は、前記強調変換パラメータを用いて、前記画像データに強調演算を施す演算部と、前記演算部の出力データに対し、前記信号種別検出手段による検出結果と前記温度検出手段の検出結果とに応じて、異なる係数を乗算する乗算部とを有することを特徴とする。
【００２８】
請求項８の液晶テレビジョン受像機は、前記入力画像データが第１の放送方式の映像信号である場合に参照する、現垂直期間の画像データと１垂直期間前の画像データとから指定される強調変換パラメータが格納されたテーブルメモリと、前記入力画像データが第２の放送方式の映像信号である場合に参照する、現垂直期間の画像データと１垂直期間前の画像データとから指定される強調変換パラメータが格納されたテーブルメモリとを備え、前記強調変換手段は、前記信号種別検出手段による検出結果に応じて、前記テーブルメモリから読み出される前記強調変換パラメータを用いて、前記画像データに強調演算を施す演算部と、
前記演算部の出力データに対し、前記温度検出手段の検出結果に応じて異なる係数を乗算する乗算部とを有することを特徴とする。
【００２９】
請求項９の液晶テレビジョン受像機は、前記入力画像データが第１の放送方式の映像信号である場合に参照する、複数の装置内温度毎に対応して、現垂直期間の画像データと１垂直期間前の画像データとから指定される強調変換パラメータが格納されたテーブルメモリと、前記入力画像データが第２の放送方式の映像信号である場合に参照する、複数の装置内温度毎に対応して、現垂直期間の画像データと１垂直期間前の画像データとから指定される強調変換パラメータが格納されたテーブルメモリとを備え、前記強調変換手段は、前記信号種別検出手段による検出結果と前記温度検出手段の検出結果とに応じて、前記テーブルメモリから読み出される前記強調変換パラメータを用いて、前記画像データに強調演算を施す演算部を有することを特徴とする。
【００３０】
請求項１０の液晶テレビジョン受像機は、複数の装置内温度毎に対応して、現垂直期間の画像データと１垂直期間前の画像データとから指定される強調変換パラメータが格納されたテーブルメモリを備え、前記強調変換手段は、前記信号種別検出手段による検出結果によって定められた切換温度と前記温度検出手段の検出結果との比較結果に応じて、前記テーブルメモリから読み出される前記強調変換パラメータを用いて、前記画像データに強調演算を施す演算部を有することを特徴とする。
【００３１】
請求項１１の液晶テレビジョン受像機は、前記強調変換パラメータの切り換え選択を制御する制御手段を備え、前記制御手段は、前記温度検出手段により検出された温度データに対して、前記入力画像データの信号種別毎に定められた所定の演算を施す演算部と、前記演算部により演算が施された温度データと、予め決められた所定の閾値温度データとを比較する閾値判別部と、前記閾値判別部による比較結果に応じて、前記強調変換パラメータを切り換え制御する切換制御信号を生成する制御信号出力部とを有することを特徴とする。
【００３２】
請求項１２の液晶テレビジョン受像機は、前記強調変換パラメータの切り換え選択を制御する制御手段を備え、前記制御手段は、前記温度検出手段により検出された温度データと、前記入力画像データの信号種別毎に決められた所定の閾値温度データとを比較する閾値判別部と、前記閾値判別部による比較結果に応じて、前記強調変換パラメータを切り換え制御する切換制御信号を生成する制御信号出力部とを有することを特徴とする。
【００３３】
請求項１３の液晶表示制御方法は、少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、前記液晶表示パネルは、複数の放送方式の画像データを表示可能であり、入力画像データが第１の放送方式の映像信号であるか、当該第１の放送方式の映像信号とは垂直周波数の異なる第２の放送方式の映像信号であるかの信号種別を検出する工程と、前記液晶表示パネルが所定期間内において前記画像データの定める透過率となるように、前記画像データの強調変換を行う工程とを有し、前記信号種別の検出結果に応じて、前記強調変換における前記画像データに対する強調変換度合いを可変制御することを特徴とする。
【００３４】
請求項１４の液晶表示制御方法は、現垂直期間の画像データと１垂直期間前の画像データとから指定される強調変換パラメータが格納されたテーブルメモリを参照する工程と、前記強調変換パラメータを用いて、前記画像データに強調演算を施す工程と、前記演算による出力データに対し、前記信号種別の検出結果に応じて、異なる係数を乗算する工程とを有することを特徴とする。
【００３５】
請求項１５の液晶表示制御方法は、前記入力画像データが第１の放送方式の映像信号である場合に参照する、現垂直期間の画像データと１垂直期間前の画像データとから指定される強調変換パラメータが格納されたテーブルメモリを参照する工程と、前記入力画像データが第２の放送方式の映像信号である場合に参照する、現垂直期間の画像データと１垂直期間前の画像データとから指定される強調変換パラメータが格納されたテーブルメモリを参照する工程と、前記信号種別の検出結果に応じて、前記テーブルメモリから読み出される前記強調変換パラメータを用いて、前記画像データに強調演算を施す工程とを有することを特徴とする。
【００３６】
請求項１６の液晶表示制御方法は、装置内温度を検出する工程と、前記装置内温度の検出結果に基づき、前記画像データに対する強調変換度合いを可変する工程とを有することを特徴とする。
【００３７】
請求項１７の液晶表示制御方法は、現垂直期間の画像データと１垂直期間前の画像データとから指定される強調変換パラメータが格納されたテーブルメモリを参照する工程と、前記強調変換パラメータを用いて、前記画像データに強調演算を施す工程と、前記演算による出力データに対し、前記信号種別の検出結果と前記装置内温度の検出結果とに応じて、異なる係数を乗算する工程とを有することを特徴とする。
【００３８】
請求項１８の液晶表示制御方法は、前記入力画像データが第１の放送方式の映像信号である場合に参照する、現垂直期間の画像データと１垂直期間前の画像データとから指定される強調変換パラメータが格納されたテーブルメモリを参照する工程と、前記入力画像データが第２の放送方式の映像信号である場合に参照する、現垂直期間の画像データと１垂直期間前の画像データとから指定される強調変換パラメータが格納されたテーブルメモリを参照する工程と、前記信号種別の検出結果に応じて、前記テーブルメモリから読み出される前記強調変換パラメータを用いて、前記画像データに強調演算を施す工程と、前記演算による出力データに対し、前記装置内温度の検出結果に応じて異なる係数を乗算する工程とを有することを特徴とする。
【００３９】
請求項１９の液晶表示制御方法は、前記入力画像データが第１の放送方式の映像信号である場合に参照する、複数の装置内温度毎に対応して、現垂直期間の画像データと１垂直期間前の画像データとから指定される強調変換パラメータが格納されたテーブルメモリを参照する工程と、前記入力画像データが第２の放送方式の映像信号である場合に参照する、複数の装置内温度毎に対応して、現垂直期間の画像データと１垂直期間前の画像データとから指定される強調変換パラメータが格納されたテーブルメモリを参照する工程と、前記信号種別の検出結果と前記装置内温度の検出結果とに応じて、前記テーブルメモリから読み出される前記強調変換パラメータを用いて、前記画像データに強調演算を施す工程とを有することを特徴とする。
【００４０】
請求項２０の液晶表示制御方法は、複数の装置内温度毎に対応して、現垂直期間の画像データと１垂直期間前の画像データとから指定される強調変換パラメータが格納されたテーブルメモリを参照する工程と、前記信号種別の検出結果によって定められた切換温度と前記装置内温度の検出結果との比較結果に応じて、前記テーブルメモリから読み出される前記強調変換パラメータを用いて、前記画像データに強調演算を施す工程とを有することを特徴とする。
【００４１】
請求項２１の液晶表示制御方法は、前記装置内温度の検出結果である温度データに対して、前記入力画像データの信号種別毎に定められた所定の演算を施す工程と、前記演算が施された温度データと、予め決められた所定の閾値温度データとを比較する工程と、前記比較の結果に応じて、前記強調変換パラメータを切り換え制御する切換制御信号を生成する工程とを有することを特徴とする。
【００４２】
請求項２２の液晶表示制御方法は、前記装置内温度の検出結果である温度データと、前記入力画像データの信号種別毎に決められた所定の閾値温度データとを比較する工程と、前記比較の結果に応じて、前記強調変換パラメータを切り換え制御する切換制御信号を生成する工程とを有することを特徴とする。
【００４３】
ところで、上記液晶テレビジョン受像機は、ハードウェアで実現してもよいし、プログラムをコンピュータに実行させることによって実現してもよい。具体的には、請求項２３のプログラムは、複数の放送方式の画像データを表示可能で、しかも、少なくとも１垂直期間前の画像データと現垂直期間の画像データとに基づいて、液晶表示パネルへ供給する画像データを、前記液晶表示パネルが所定期間内において前記画像データの定める透過率となるように強調変換することにより、前記液晶表示パネルの光学応答特性を補償する液晶テレビジョン受像機を制御するコンピュータのプログラムであって、入力画像データが第１の放送方式の映像信号であるか、当該第１の放送方式の映像信号とは垂直周波数の異なる第２の放送方式の映像信号であるかの信号種別を検出した結果に応じて、前記画像データに対する強調変換度合いを可変制御する工程を、上記コンピュータに実行させるプログラムである。また、請求項２４記載の記録媒体は、上記プログラムを記録した記録媒体である。
【００４４】
本発明の液晶テレビジョン受像機は、信号種別検出手段により入力画像データが第１の放送方式（映像フォーマット）の映像信号であるか第２の放送方式（映像フォーマット）の映像信号であるかの信号種別を検出し、その検出した信号種別に応じて入力画像データの強調変換を行う。その際、信号種別の検出結果に応じて、強調変換手段における入力画像データに対する強調変換度合いを可変制御し、入力画像データが第１の放送方式（映像フォーマット）の映像信号である場合に比べて、フレーム周期が長い第２の放送方式（映像フォーマット）の映像信号の入力画像データに対する強調変換度合いを小さくする。従って、いずれの放送方式（映像フォーマット）による入力画像データに対しても、常に液晶表示パネルが所定期間（画素書き換え周期）内において該入力画像データの定める透過率となるように、該入力画像データの強調変換を行うことが可能となり、高画質の画像表示を実現することができる。
【発明の効果】
【００４５】
本発明の液晶テレビジョン受像機は、複数の異なるテレビジョン放送方式（映像フォーマット）の入力画像データに対し、常に適切な強調変換データを求めて、液晶表示パネルに供給することが可能となり、どのような放送方式（映像フォーマット）の画像データを表示する場合であっても、高画質の画像表示を実現することができる。
【発明を実施するための最良の形態】
【００４６】
本発明の液晶表示装置（液晶テレビジョン受像機）においては、液晶の応答速度を改善するために、入力画像データに対して上述したオーバーシュート駆動により強調変換処理を施すが、その際、ＰＡＬ方式又はＳＥＣＡＭ方式（５０Ｈｚ）の映像信号は、ＮＴＳＣ方式（６０Ｈｚ）の映像信号に比べてフレーム周期が長く、これらの画像データに同一の強調変換処理を施すと、１フレーム期間経過後における液晶表示パネルの到達階調輝度に誤差が生じ、表示画像の画質が劣化することを防止する。その際、入力画像データがＰＡＬ方式又はＳＥＣＡＭ方式（５０Ｈｚ）の映像信号である場合には、入力画像データがＮＴＳＣ方式（６０Ｈｚ）の映像信号である場合に比べて、画像データに対する強調変換度合いをより小さくする。これによって、いずれの放送方式（映像フォーマット）の画像データに対しても、液晶表示パネルの光学応答特性を補償して、残像や尾引きの発生を抑制するとともに、画像データの過度な強調変換による映像ノイズの発生を防止して高画質の画像表示を行うことが可能となる。ここで、ＮＴＳＣ方式（６０Ｈｚ）の映像信号を第１の放送方式（映像フォーマット）の映像信号、ＰＡＬ方式又はＳＥＣＡＭ方式（５０Ｈｚ）の映像信号を第２の放送方式（映像フォーマット）の映像信号とする。
【００４７】
（実施形態１）
図１は本発明の液晶表示装置の実施形態１を説明するための図、図２は図１のＯＳテーブルメモリ（ＲＯＭ）を参照して得られるＯＳパラメータと、放送方式（映像フォーマット）によって異なる信号種別データに応じて与えられる乗算係数とを用いて、液晶表示パネルに供給する強調変換データを求める場合を説明するための図である。なお、以下に説明する図において、図１５と共通する部分には同一符号を付すものとする。また、以下の説明においては、各実施形態における強調変換部による強調変換が異なるため、それぞれの実施形態においては符号１４Ａ〜１４Ｆのいずれかを付している。同様に、各実施形態における制御ＣＰＵによる制御も異なるため、それぞれの実施形態では符号１２Ａ〜１２Ｇのいずれかを付している。
【００４８】
図１に示す実施形態１の液晶表示装置は、液晶表示パネルの光学応答速度を改善するために、画像データに対する強調変換処理を施すものであり、その際、入力画像データがＰＡＬ方式又はＳＥＣＡＭ方式である場合の入力画像データに対する強調変換度合いを、入力画像データがＮＴＳＣ方式（６０Ｈｚ）である場合より小さくするものであって、映像信号種別検出部１０、制御ＣＰＵ１２Ａ、強調変換部１４Ａ、フレームメモリ１５、液晶コントローラ１６、液晶表示パネル１７を備えている。
【００４９】
信号種別検出手段としての映像信号種別検出部１０は、入力画像データがＮＴＳＣ方式（６０Ｈｚ）の映像信号であるかＰＡＬ方式又はＳＥＣＡＭ方式（５０Ｈｚ）の映像信号であるかの信号種別を検出する。
【００５０】
一例として、映像信号種別検出部１０は、上述した複数の放送方式のテレビジョン信号を受信し、受信したテレビジョン信号を入力画像データへデコードするチューナ・デコーダ部に設けられており、当該映像信号種別検出部１０は、ＳＥＣＡＭ方式の映像信号であれば含まれているＳＥＣＡＭ  ＩＤが、入力された映像信号に含まれているか否かを判定して、入力された映像信号がＳＥＣＡＭ方式であるか否かを判定できる。また、ＰＡＬ方式は、１水平ライン毎に、バースト（Ｒ−Ｙ）の位相が反転しているのに対して、ＮＴＳＣ方式は、１水平ライン毎には、バースト（Ｒ−Ｙ）の位相が反転していないので、映像信号種別検出部１０は、入力された映像信号のバースト（Ｒ−Ｙ）の位相が１水平ライン毎に反転しているか否かを識別し、反転していれば、ＰＡＬ方式、反転していなければ、ＮＴＳＣ方式と判定できる。また、ＰＡＬ方式の映像信号には、副搬送波が３．５８ＭＨｚの映像信号と、４．４３ＭＨｚの映像信号とが存在するが、映像信号種別検出部１０は、入力された映像信号の副搬送波の周波数に応じて、両者のいずれであるかを判定できる。なお、ＮＴＳＣ方式の映像信号の副搬送波の周波数は、３．５８ＭＨｚなので、映像信号種別検出部１０は、副搬送波の周波数によって、副搬送波が４．４３ＭＨｚの映像信号ＰＡＬ方式か否かを判定し、その後に、上記バースト（Ｒ−Ｙ）の位相が１水平ライン毎に反転しているか否かに基づいて、ＮＴＳＣ方式の映像信号か、副搬送波が３．５８ＭＨｚの映像信号ＰＡＬ方式かを判定してもよい。また、上記映像信号種別検出部１０は、たとえば放送方式の識別信号等から信号種別を求めてもよい。なお、上記映像信号検出部１０は、入力画像データが第１の放送方式の映像信号であるか、当該第１の放送方式の映像信号とは垂直周波数の異なる第２の放送方式の映像信号であるかの信号種別を判定できればよく、例えば、入力画像データの垂直同期信号からその周波数を直接検出して信号種別を判定してもよい。
【００５１】
一方、制御手段としての制御ＣＰＵ１２Ａは、映像信号種別検出部１０によって検出された信号種別に応じて強調変換部１４Ａによる強調変換処理を制御する。
【００５２】
強調変換手段としての強調変換部１４Ａは、制御ＣＰＵ１２Ａによる制御により、これから表示する現フレームの画像データ（現垂直期間の画像データ）と、フレームメモリ１５に格納された１フレーム前の画像データ（１垂直期間前の画像データ）とを比較し、その比較結果である階調遷移パターンに応じたＯＳパラメータ（強調変換パラメータ）をＯＳテーブルメモリ（ＲＯＭ）１３から読み出し、この読み出したＯＳパラメータに基づいて、これから表示する現フレームの画像表示に要する強調変換データ（書込階調データ）を求め、液晶コントローラ１６に出力する。
【００５３】
この場合、図２に示すように、ＯＳテーブルメモリ（ＲＯＭ）１３を参照して得られるＯＳパラメータと、入力画像データの信号種別（放送フォーマット）に応じて与えられる乗算係数とを用いることで、液晶表示パネル１７に供給する強調変換データを求めることができる。すなわち、演算部１４ｄにより、これから表示するＭ番目のフレームの入力画像データ（Current Data）と、フレームメモリ１５に格納されたＭ−１番目のフレームの入力画像データ(Previous Data) とを比較し、その比較結果（階調遷移）に対応する（すなわち、その比較結果により指定される）ＯＳパラメータをＯＳテーブルメモリ（ＲＯＭ）１３から読み出し、線形補完等の演算を施すことにより、強調演算データを出力する。
【００５４】
そして、減算器１４ａによって現フレームの画像データからその強調演算データを減算して差分データを求め、乗算器１４ｂによってその差分データに対し制御ＣＰＵ１２Ａからの係数切換制御信号により切り換えられる乗算係数α1 又はβ1 を乗算し、加算器１４ｃによってその乗算係数が乗算された差分データを現フレームの画像データに加算し、その加算したデータを強調変換データとして液晶コントローラ１６に与える。これにより、異なる信号種別の入力画像データに対し、液晶画素が所定期間内において入力画像データの定める透過率となるように駆動表示される。ここで、所定期間とは１フレーム画像の表示期間（画素書き換え周期）であり、通常のホールド型表示の場合、１フレーム期間（たとえば６０Ｈｚのプログレッシブスキャンの場合は１６．７ｍｓｅｃ、５０Ｈｚのプログレッシブスキャンの場合は２０．０ｍｓｅｃ）であり、たとえば１フレーム期間の５０％の期間に黒表示を行う擬似インパルス型表示とした場合には、画像表示期間は１／２フレーム期間（たとえば６０Ｈｚのプログレッシブスキャンの場合は８．３ｍｓｅｃ、５０Ｈｚのプログレッシブスキャンの場合は１０．０ｍｓｅｃ）となる。
【００５５】
また、入力画像データがＮＴＳＣ方式（６０Ｈｚ）の映像信号の場合の乗算係数はα1 ＝１とし、入力画像データがＰＡＬ方式又はＳＥＣＡＭ方式（５０Ｈｚ）の映像信号の場合の乗算係数はβ1 ＜１としている。これにより、入力画像データがＮＴＳＣ方式（６０Ｈｚ）の映像信号の場合には、乗算係数α1 （＝１）が選択されて、液晶画素が所定期間内において入力画像データの定める透過率となるように、画像データの強調変換を行うことにより、残像や尾引きが発生しない高画質の画像表示が行われる。
【００５６】
一方、入力画像データがＰＡＬ方式又はＳＥＣＡＭ方式（５０Ｈｚ）の映像信号の場合は、乗算係数β１（＜１）が選択されて、強調変換度合いをより小さくすることができる。これにより、ＰＡＬ方式又はＳＥＣＡＭ方式（５０Ｈｚ）の映像信号は、ＮＴＳＣ方式（６０Ｈｚ）の映像信号に比べてフレーム周期が長いが、液晶画素が所定期間内において入力画像データの定める透過率となるように、画像データの強調変換を行うことにより、残像や尾引きが発生しない高画質の画像表示が行われる。すなわち、画像データに対する過度の強調変換によって液晶が過剰応答し、本来の入力画像データにはない映像ノイズが発生することを防止することが可能となる。
【００５７】
なお、ＯＳテーブルメモリ（ＲＯＭ）１３には、表示データ数が８ビットの２５６階調である場合、２５６の全ての階調に対するＯＳパラメータ（実測値）を持たせてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３の記憶容量を抑制することができる。
【００５８】
フレームメモリ１５は、１フレーム分の画像データを格納することができるものであって、これから表示される現フレームの画像データに対し、１フレーム前の画像データが格納されている。液晶コントローラ１６は、強調変換部１４Ａからの強調変換データに基づき、ゲートドライバ１８及びソースドライバ１９を駆動し、液晶表示パネル１７に対し画像表示を行わせる。液晶表示パネル１７は、上述した非線形素子（スイッチング素子）であるＴＦＴ（Thin Film Transistor）を有し、ゲートドライバ１８及びソースドライバ１９の駆動により画像表示を行う。
【００５９】
次に、上述した実施形態１での入力画像データの強調変換による液晶表示制御方法について説明する。
【００６０】
まず、入力画像データがあると、映像信号種別検出部１０により、ＮＴＳＣ方式（６０Ｈｚ）の映像信号であるかＰＡＬ方式又はＳＥＣＡＭ方式（５０Ｈｚ）の映像信号であるかの信号種別が検出される。
【００６１】
ここで、たとえばＮＴＳＣ方式（６０Ｈｚ）の映像信号が検出されると、映像信号種別検出部１０から制御ＣＰＵ１２Ａに対し、ＮＴＳＣ方式（６０Ｈｚ）の映像信号を検出したことが通知される。
【００６２】
このとき、制御ＣＰＵ１２Ａにより強調変換部１４Ａに対して、入力画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data) とが比較され、その比較結果（階調遷移）に対応するＯＳパラメータがＯＳテーブルメモリ（ＲＯＭ）１３から読み出され、強調演算データが求められる。なお、この強調演算データは、ＮＴＳＣ方式の画像データに対し、液晶表示パネル１７が所定期間内においてこれから表示するＭ番目のフレームの入力画像データにより定められる透過率に到達可能なデータである。減算器１４ａによってその強調演算データとこれから表示するＭ番目のフレームの入力画像データとの差分データが求められる。
【００６３】
ここで、制御ＣＰＵ１２ＡによりＮＴＳＣ方式（６０Ｈｚ）の映像信号の場合の乗算係数α1 （＝１）が選択されるため、乗算器１４ｂによって減算器１４ａによる差分データに対し乗算係数α1 （＝１）が乗算され（すなわち、差分データがそのまま出力され）、加算器１４ｃによってその乗算されたデータとこれから表示するＭ番目のフレームの入力画像データとが加算され、その加算されたデータが強調変換データとして液晶コントローラ１６に与えられる（従って、この場合、液晶表示パネル１７に供給される強調変換データは、演算部１４ｄによる強調演算データと等しい）。これにより、入力画像データがＮＴＳＣ方式（６０Ｈｚ）の映像信号の場合には、液晶画素が所定期間内において入力画像データの定める透過率となるように表示駆動されるので、液晶表示パネル１７の光学応答特性を補償して、残像や尾引きのない高画質の画像表示が行われる。
【００６４】
これに対し、映像信号種別検出部１０により、ＰＡＬ方式又はＳＥＣＡＭ方式（５０Ｈｚ）の映像信号が検出されると、制御ＣＰＵ１２Ａにより強調変換部１４Ａに対して、ＰＡＬ方式又はＳＥＣＡＭ方式（５０Ｈｚ）の入力画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data) とが比較され、その比較結果（階調遷移）に対応するＯＳパラメータがＯＳテーブルメモリ（ＲＯＭ）１３から読み出され、強調演算データが求められる。なお、この強調演算データは、ＮＴＳＣ方式の画像データに対し、液晶表示パネル１７が所定期間内においてこれから表示するＭ番目のフレームの入力画像データにより定められる透過率に到達可能なデータである。減算器１４ａによってその強調演算データとこれから表示するＭ番目のフレームの入力画像データとの差分データが求められる。
【００６５】
ここで、制御ＣＰＵ１２ＡによりＰＡＬ方式又はＳＥＣＡＭ方式（５０Ｈｚ）の映像信号の場合の乗算係数β1 （＜１）が選択されるため、乗算器１４ｂによって減算器１４ａによる差分データに対し乗算係数β1 が乗算され（すなわち、差分データが低減されて出力され）、加算器１４ｃによってその乗算されたデータとこれから表示するＭ番目のフレームの入力画像データとが加算され、その加算されたデータが強調変換データとして液晶コントローラ１６に与えられる（従って、この場合、液晶表示パネル１７に供給される強調変換データは、演算部１４ｄによる強調演算データより強調変換度合いが小さい）。これにより、入力画像データがＰＡＬ方式又はＳＥＣＡＭ方式（５０Ｈｚ）の映像信号の場合にも、液晶画素が所定期間内において入力画像データの定める透過率となるように表示駆動されるので、液晶表示パネル１７の光学応答特性を補償して、残像や尾引きのない高画質の画像表示が行われる。
【００６６】
以上のように、実施形態１では、映像信号種別検出部１０によりＮＴＳＣ方式（６０Ｈｚ）の映像信号が検出された場合、強調変換部１４Ａにより現フレームの入力画像データと１フレーム前の入力画像データとの比較結果（階調遷移）に対応するＯＳパラメータをＯＳテーブルメモリ（ＲＯＭ）１３から読み出し、その読み出したＯＳパラメータに基づいて得られた強調演算データを強調変換データとして液晶コントローラ１６に出力するようにしたので、液晶画素が所定期間内において入力画像データの定める透過率となるように表示駆動することができ、残像や尾引きのない高画質の画像表示を行うことが可能である。
【００６７】
これに対し、映像信号種別検出部１０によりＰＡＬ方式又はＳＥＣＡＭ方式（５０Ｈｚ）の映像信号が検出された場合、強調変換部１４Ａにより現フレームの入力画像データと１フレーム前の入力画像データとの比較結果（階調遷移）に対応するＯＳパラメータをＯＳテーブルメモリ（ＲＯＭ）１３から読み出し、その読み出したＯＳパラメータに基づいて得られた強調演算データより強調変換度合いを小さくして、強調変換データとして液晶コントローラ１６に出力するようにしたので、入力画像データの過強調による映像ノイズの発生を防止しつつ、液晶画素が所定期間内において入力画像データの定める透過率となるように表示駆動することができ、残像や尾引きのない高画質の画像表示を行うことが可能である。
【００６８】
また、本実施形態に係る液晶表示装置は、少なくとも１フレーム前の画像データと現フレームの画像データとの比較を行い、該比較結果に基づいて、液晶表示パネルへ供給する画像データを強調変換することにより、前記液晶表示パネルの光学応答特性を補償する液晶表示装置であって、入力画像データが第１の放送方式（映像フォーマット）によるものか第２の放送方式（映像フォーマット）によるものかの信号種別を検出する信号種別検出手段と、前記液晶表示パネルが所定期間内において前記画像データの定める透過率となるように、前記画像データの強調変換を行う強調変換手段とを備え、前記信号種別検出手段による検出結果に応じて、前記強調変換手段における前記画像データに対する強調変換度合いを可変制御する。
【００６９】
したがって、複数の異なる放送方式（映像フォーマット）の入力画像データに対し、常に適切な強調変換データを求めて、液晶表示パネルに供給することが可能となり、どのような放送方式の画像データを表示する場合であっても、高画質の画像表示を実現することができる。なお、当該液晶表示装置は、液晶表示パネルを用いて画像表示を行う液晶表示装置であればよく、また、このような表示装置を搭載しているパーソナルコンピュータ、テレビジョン受信機等の身近な機器に限らず、計測機器、医療機器、産業機器全般等にも適用可能である。
【００７０】
（実施形態２）
図３は入力画像データがＮＴＳＣ方式（６０Ｈｚ）の映像信号である場合に、画像データの強調変換に用いるＯＳパラメータが格納されたＯＳテーブルメモリ（ＲＯＭ）と、入力画像データがＰＡＬ方式又はＳＥＣＡＭ方式（５０Ｈｚ）の映像信号である場合に、画像データの強調変換に用いるＯＳパラメータが格納されたＯＳテーブルメモリ（ＲＯＭ）とを個別に設けた場合の実施形態２を示す図である。なお、以下に説明する図において、図１と共通する部分には同一符号を付し重複する説明を省略する。
【００７１】
図３に示す液晶表示装置では、入力画像データがＮＴＳＣ方式（６０Ｈｚ）の映像信号である場合に参照するＯＳテーブルメモリ（ＲＯＭ）１３ａと、入力画像データがＰＡＬ方式又はＳＥＣＡＭ方式（５０Ｈｚ）の映像信号である場合に参照するＯＳテーブルメモリ（ＲＯＭ）１３ｂとを備え、映像信号種別検出部１０により検出された入力画像データの信号種別（放送フォーマット）に応じてＯＳテーブルメモリ（ＲＯＭ）１３ａ，１３ｂのいずれかを切り換え参照して、画像データの強調変換処理を行うようにしている。
【００７２】
また、ＯＳテーブルメモリ（ＲＯＭ）１３ｂ内のＯＳパラメータは、ＯＳテーブルメモリ（ＲＯＭ）１３ａ内のＯＳパラメータより小さい値である。これは、上述したように、ＰＡＬ方式又はＳＥＣＡＭ方式（５０Ｈｚ）の映像信号は、ＮＴＳＣ方式（６０Ｈｚ）の映像信号に比べてフレーム周期が長く、過度な強調変換による映像ノイズの発生を防止するためである。
【００７３】
なお、ここでは、それぞれのＯＳパラメータを、それぞれ個別に設けられたＯＳテーブルメモリ（ＲＯＭ）１３ａ，１３ｂに格納しているが、単一のＯＳテーブルメモリ（ＲＯＭ）の異なるテーブル領域にそれぞれのＯＳパラメータを格納しておき、制御ＣＰＵ１２Ｂからの切換制御信号に応じて、参照するテーブル領域を適応的に切り換えることにより、ＯＳパラメータを切換選択して、強調変換データを求めるように構成してもよい。
【００７４】
このような構成では、上述したように、映像信号種別検出部１０により、たとえばＮＴＳＣ方式（６０Ｈｚ）の映像信号が検出されると、映像信号種別検出部１０から制御ＣＰＵ１２Ｂに対し、ＮＴＳＣ方式（６０Ｈｚ）の映像信号を検出したことが通知される。
【００７５】
このとき、制御ＣＰＵ１２Ｂにより強調変換手段としての強調変換部１４Ｂに対して、入力画像データに対する強調変換処理が指示される。この場合、強調変換部１４Ｂは、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータを、入力画像データがＮＴＳＣ方式（６０Ｈｚ）の映像信号である場合に参照するＯＳテーブルメモリ（ＲＯＭ）１３ａから読み出し、このＯＳパラメータを用いて線形補完等の演算を施すことで、液晶コントローラ１６に出力する強調変換データが求められる。なお、この強調変換データは、液晶表示パネル１７が所定期間内においてこれから表示するＭ番目のフレームの入力画像データにより定められる透過率に到達可能なデータである。
【００７６】
これにより、入力画像データがＮＴＳＣ方式（６０Ｈｚ）の映像信号の場合には、液晶画素が所定期間内において入力画像データの定める透過率となるように表示駆動されるので、液晶表示パネル１７の光学応答特性を補償して、残像や尾引きのない高画質の画像表示が行われる。
【００７７】
これに対し、映像信号種別検出部１０により、ＰＡＬ方式又はＳＥＣＡＭ方式（５０Ｈｚ）の映像信号が検出されると、制御ＣＰＵ１２Ｂにより強調変換部１４Ｂに対して、ＰＡＬ方式又はＳＥＣＡＭ方式（５０Ｈｚ）の入力画像データに対する強調変換処理が指示される。この場合、強調変換部１４Ｂは、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータを、入力画像データがＰＡＬ方式又はＳＥＣＡＭ方式（５０Ｈｚ）の映像信号である場合に参照するＯＳテーブルメモリ（ＲＯＭ）１３ｂから読み出し、このＯＳパラメータを用いて線形補完等の演算を施すことで、液晶コントローラ１６に出力する強調変換データが求められる。なお、この強調変換データは、入力画像データがＮＴＳＣ方式の映像信号である場合に、ＯＳテーブルメモリ（ＲＯＭ）１３ａを参照して求められた強調変換データに比べて、その強調変換度合いが小さくなっている。
【００７８】
これにより、入力画像データがＰＡＬ方式又はＳＥＣＡＭ方式（５０Ｈｚ）の映像信号の場合には、液晶表示パネル１７の光学応答特性を補償して、残像や尾引きの発生を抑えつつ、本来の入力画像データにはない映像ノイズが強調されて目立つことによる画質劣化を抑えることができ、高画質の画像表示を行うことが可能となる。
【００７９】
このように、実施形態２では、入力画像データがＮＴＳＣ方式（６０Ｈｚ）の映像信号である場合に用いるＯＳパラメータが格納されたＯＳテーブルメモリ（ＲＯＭ）１３ａと、入力画像データがＰＡＬ方式又はＳＥＣＡＭ方式（５０Ｈｚ）の映像信号である場合に用いるＯＳパラメータが格納されたＯＳテーブルメモリ（ＲＯＭ）１３ｂとを備え、ＯＳテーブルメモリ（ＲＯＭ）１３ｂ内のＯＳパラメータを、ＯＳテーブルメモリ（ＲＯＭ）１３ａ内のＯＳパラメータより小さい値とし、検出された信号種別に応じてＯＳテーブルメモリ（ＲＯＭ）１３ａ，１３ｂのいずれかより読み出されたＯＳパラメータを用いて強調変換データを求めるようにしたので、入力画像データの信号種別に応じた適切な強調変換処理を画像データに施すことができる。
【００８０】
（実施形態３）
図４は図１の構成に温度センサを追加し、ＯＳテーブルメモリ（ＲＯＭ）１３を参照して得られるＯＳパラメータと、入力画像データの信号種別（放送フォーマット）及び装置内温度に応じた乗算係数を用いて、画像データに対する強調変換処理を行わせる場合の実施形態３を示す図である。
【００８１】
図４に示す液晶表示装置では、ＯＳテーブルメモリ（ＲＯＭ）１３に、上記同様に、入力画像データがＮＴＳＣ方式（６０Ｈｚ）の映像信号の場合に最適化されたＯＳパラメータ（強調変換パラメータ）が格納されており、信号種別検出手段としての映像信号種別検出部１０による信号種別検出データと温度検出手段としての温度センサ２０による温度検出データとに応じた後述の乗算係数α１〜α４、β１〜β４を用いて入力画像データに対する強調変換を行わせるようにしている。
【００８２】
ここで、ＯＳテーブルメモリ（ＲＯＭ）１３には、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３の記憶容量を抑制することができる。
【００８３】
本実施形態の強調変換部１４Ｃは、図２と同様の構成により実現され、ＯＳテーブルメモリ（ＲＯＭ）１３から読み出されたＯＳパラメータと、信号種別及び液晶表示パネル１７の温度に応じた乗算係数α１〜α４、β１〜β４とを用いて、液晶表示パネル１７の温度依存特性を含む光学応答特性を補償するための強調変換データを求めて、液晶コントローラ１６に出力することができる。ここで、入力画像データがＮＴＳＣ方式（６０Ｈｚ）の映像信号の場合の乗算係数はα１〜α４とし、入力画像データがＰＡＬ方式又はＳＥＣＡＭ方式（５０Ｈｚ）の映像信号の場合の乗算係数はβ１〜β４とする。ただし、β１＜α１、β２＜α２、β３＜α３、β４＜α４である。
【００８４】
すなわち、温度センサ２０からの温度検出データを、たとえば１５℃以下、１５℃より大きく２５℃以下、２５℃より大きく３５℃以下、３５℃より大きい場合の４段階の温度範囲に分けて、入力画像データがＮＴＳＣ方式（６０Ｈｚ）の映像信号であるとき、たとえば装置内温度が１５℃以下である場合は乗算係数α１（＞α２）、１５℃より大きく２５℃以下である場合は乗算係数α２（＞α３）、２５℃より大きく３５℃以下である場合は乗算係数α３（＞α４）、３５℃より大きい場合は乗算係数α４（＝１）とし、入力画像データがＰＡＬ方式又はＳＥＣＡＭ方式（５０Ｈｚ）の映像信号であるとき、たとえば装置内温度が１５℃以下である場合は乗算係数β１（＞β２）、１５℃より大きく２５℃以下である場合は乗算係数β２（＞β３）、２５℃より大きく３５℃以下である場合は乗算係数β３（＞β４）、３５℃より大きい場合は乗算係数β４（＜１）とするものについて説明するが、乗算係数α１〜α４、β１〜β４は３段階以下或いは５段階以上の温度範囲に対応したものとしてもよいことは言うまでもない。
【００８５】
なお、これらの乗算係数α１〜α４、β１〜β４は、液晶表示パネル１７の光学応答特性の実測値から予め得られたものである。これにより、入力画像データがＰＡＬ方式又はＳＥＣＡＭ方式（５０Ｈｚ）の映像信号の場合は、ＮＴＳＣ方式（６０Ｈｚ）の映像信号の場合よりも小さな強調変換度合いで画像データの強調変換を行うことができ、液晶表示パネル１７の光学応答特性（温度依存特性を含む）を補償して、残像や尾引きの発生を抑えつつ、過強調によって映像ノイズが生成されることによる画質劣化を抑えることができる。
【００８６】
また、温度センサ２０は、その本来の目的から液晶表示パネル１７内に設けることが望ましいが、これは構造上困難であるため、液晶表示パネル１７にできる限り近い場所に設置すればよい。また、温度センサ２０は、１個に限らず複数個とし、液晶表示パネル１７の各部位に対応して配置させるようにしてもよい。複数の温度センサ２０を設けた場合には、それぞれの温度センサ２０からの検出結果を平均した値を温度検出データとして用いてもよいし、変化の大きいいずれかの温度センサ２０からの検出結果を温度検出データとして用いてもよい。
【００８７】
このような構成では、上述したように、映像信号種別検出部１０によりたとえばＮＴＳＣ方式（６０Ｈｚ）の映像信号が検出されると、映像信号種別検出部１０から制御ＣＰＵ１２Ｃに対し、ＮＴＳＣ方式（６０Ｈｚ）の映像信号を検出したことが通知される。
【００８８】
このとき、制御ＣＰＵ１２Ｃにより強調変換手段としての強調変換部１４Ｃに対して、入力画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data) とが比較され、その比較結果（階調遷移）に対応する（すなわち、その比較結果により指定される）ＯＳパラメータがＯＳテーブルメモリ（ＲＯＭ）１３から読み出されて強調演算データが求められる。そして、減算器１４ａによってその強調演算データとこれから表示するＭ番目のフレームの入力画像データとの差分データが求められる。
【００８９】
このとき、制御ＣＰＵ１２Ｃには温度センサ２０からの温度検出データが取り込まれており、制御ＣＰＵ１２Ｃによりその温度検出データに応じた乗算係数α１〜α４のいずれかが切り換え選択される。ここで、温度検出データがたとえば１５℃以下である場合は乗算係数α１（＞α２）となり、１５℃より大きく２５℃以下である場合は乗算係数α２（＞α３）となり、２５℃より大きく３５℃以下である場合は乗算係数α３（＞α４）となり、３５℃より大きい場合は乗算係数α４（＝１）となる。
【００９０】
温度検出データに応じて、これらの乗算係数α１〜α４のいずれかが制御ＣＰＵ１２Ｃにより切り換えられると、乗算器１４ｂにより前記差分データに対していずれかの乗算係数α１〜α４が乗算され、加算器１４ｃによってその乗算されたデータとこれから表示するＭ番目のフレームの入力画像データとが加算され、その加算されたデータが強調変換データとして液晶コントローラ１６に与えられる。これにより、入力画像データがＮＴＳＣ方式（６０Ｈｚ）の映像信号の場合には、液晶表示パネル１７の温度が変化しても、液晶表示パネル１７の光学応答特性（温度依存特性を含む）を補償して、残像や尾引きのない高画質の画像表示が行われる。
【００９１】
これに対し、映像信号種別検出部１０により、ＰＡＬ方式又はＳＥＣＡＭ方式（５０Ｈｚ）の映像信号が検出されると、制御ＣＰＵ１２Ｃにより強調変換部１４Ｃに対して、ＰＡＬ方式又はＳＥＣＡＭ方式（５０Ｈｚ）の入力画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data) とが比較され、その比較結果（階調遷移）に対応する（すなわち、その比較結果により指定される）ＯＳパラメータがＯＳテーブルメモリ（ＲＯＭ）１３から読み出されて強調演算データが求められる。そして、減算器１４ａによってその強調演算データとこれから表示するＭ番目のフレームの入力画像データとの差分データが求められる。
【００９２】
このとき、制御ＣＰＵ１２Ｃには温度センサ２０からの温度検出データが取り込まれており、制御ＣＰＵ１２Ｃによりその温度検出データに応じた乗算係数β１〜β４のいずれかが切り換え選択される。ここで、温度検出データがたとえば１５℃以下である場合は乗算係数β１（＞β２）となり、１５℃より大きく２５℃以下である場合は乗算係数β２（＞β３）となり、２５℃より大きく３５℃以下である場合は乗算係数β３（＞β４）となり、３５℃より大きい場合は乗算係数β４（＜１）となる。
【００９３】
温度検出データに応じて、これらの乗算係数β１〜β４のいずれかが制御ＣＰＵ１２Ｃにより切り換えられると、乗算器１４ｂにより前記差分データに対していずれかの乗算係数β１〜β４が乗算され、加算器１４ｃによってその乗算されたデータとこれから表示するＭ番目のフレームの入力画像データとが加算され、その加算されたデータが強調変換データとして液晶コントローラ１６に与えられる。
【００９４】
ここで、入力画像データがＰＡＬ方式又はＳＥＣＡＭ方式（５０Ｈｚ）の映像信号の場合には、β１＜α１、β２＜α２、β３＜α３、β４＜α４であるため、液晶表示パネル１７の温度が変化しても、液晶表示パネル１７の光学応答特性（温度依存特性を含む）を補償して、残像や尾引きの発生を抑えつつ、画像データに対する過度な強調変換による映像ノイズの発生を防止することができ、高品位な画像表示が行われる。
【００９５】
このように、実施形態３では、温度センサ２０による温度検出データに応じた、入力画像データがＮＴＳＣ方式（６０Ｈｚ）の映像信号の場合の乗算係数α１〜α４と、ＰＡＬ方式又はＳＥＣＡＭ方式（５０Ｈｚ）の映像信号の場合の乗算係数β１〜β４とを用いて、画像データに対する強調変換度合いを可変制御するようにしたので、入力画像データの信号種別及び装置内温度に応じた適切な強調変換処理を画像データに施すことが可能となり、高画質の画像表示を行わせることができる。
【００９６】
（実施形態４）
図５は図４のＯＳテーブルメモリ（ＲＯＭ）を入力画像データがＮＴＳＣ方式（６０Ｈｚ）の映像信号である場合に参照する、画像データの強調変換に用いるＯＳパラメータが格納されたＯＳテーブルメモリ（ＲＯＭ）と、入力画像データがＰＡＬ方式又はＳＥＣＡＭ方式（５０Ｈｚ）の映像信号である場合に参照する、画像データの強調変換に用いるＯＳパラメータが格納されたＯＳテーブルメモリ（ＲＯＭ）とを個別に設けた構成とし、装置内温度に応じた乗算係数を用いて画像データに対する強調変換度合いを可変する場合の実施形態４を示す図、図６は図５のＯＳテーブルメモリ（ＲＯＭ）を参照して得られるＯＳパラメータと温度センサによる温度検出データに応じた乗算係数とを用いて強調変換データを求める場合を説明するための図である。
【００９７】
図５に示す液晶表示装置では、入力画像データがＮＴＳＣ方式（６０Ｈｚ）の映像信号である場合に参照するＯＳテーブルメモリ（ＲＯＭ）１３ａと、入力画像データがＰＡＬ方式又はＳＥＣＡＭ方式（５０Ｈｚ）の映像信号である場合に参照するＯＳテーブルメモリ（ＲＯＭ）１３ｂとを備え、検出されたＮＴＳＣ方式（６０Ｈｚ）の映像信号、ＰＡＬ方式又はＳＥＣＡＭ方式（５０Ｈｚ）の映像信号に応じてＯＳテーブルメモリ（ＲＯＭ）１３ａ，１３ｂのいずれかを切り換え参照するとともに、温度センサ２０による温度検出データに応じた後述の乗算係数α１〜α４を用いて入力画像データに対する強調変換を行わせるようにしている。
【００９８】
また、ＯＳテーブルメモリ（ＲＯＭ）１３ｂ内のＯＳパラメータは、ＯＳテーブルメモリ（ＲＯＭ）１３ａ内のＯＳパラメータより小さい値である。これは、上述したように、ＰＡＬ方式又はＳＥＣＡＭ方式（５０Ｈｚ）の映像信号は、ＮＴＳＣ方式（６０Ｈｚ）の映像信号に比べてフレーム周期が長く、過度な強調変換による映像ノイズの発生を防止するために、入力画像データがＰＡＬ方式又はＳＥＣＡＭ方式（５０Ｈｚ）の映像信号の場合には、画像データに対するは強調変換度合いを、入力画像データがＮＴＳＣ方式（６０Ｈｚ）の映像信号の場合よりも小さくする必要があるためである。
【００９９】
なお、ここでは、それぞれのＯＳパラメータを、それぞれ個別に設けられたＯＳテーブルメモリ（ＲＯＭ）１３ａ，１３ｂに格納しているが、単一のＯＳテーブルメモリ（ＲＯＭ）の異なるテーブル領域にそれぞれのＯＳパラメータを格納しておき、制御ＣＰＵ１２Ｄからの切換制御信号に応じて、参照するテーブル領域を適応的に切り換えることにより、ＯＳパラメータを切換選択して、強調変換データを求めるように構成してもよい。
【０１００】
また、ＯＳテーブルメモリ（ＲＯＭ）１３ａ，１３ｂには、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３の記憶容量を抑制することができる。
【０１０１】
本実施形態の強調変換部１４Ｄは、図２と同様の構成により実現され、入力信号種別（放送フォーマット）に応じてＯＳテーブルメモリ（ＲＯＭ）１３ａ，１３ｂのいずれかから読み出されたＯＳパラメータと、液晶表示パネル１７の温度に応じた乗算係数はα１〜α４とを用いて、液晶表示パネル１７の温度依存特性を含む光学応答特性を補償するための強調変換データを求めて、液晶コントローラ１６に出力することができる。
【０１０２】
すなわち、温度センサ２０からの温度検出データを、たとえば１５℃以下、１５℃より大きく２５℃以下、２５℃より大きく３５℃以下、３５℃より大きい場合の４段階の温度範囲に分けて、たとえば装置内温度が１５℃以下である場合は乗算係数α１（＞α２）、１５℃より大きく２５℃以下である場合は乗算係数α２（＞α３）、２５℃より大きく３５℃以下である場合は乗算係数α３（＞α４）、３５℃より大きい場合は乗算係数α４（＝１）とするものについて説明するが、乗算係数は３段階以下或いは５段階以上の温度範囲に対応したものとしてもよいことは言うまでもない。
【０１０３】
なお、これらの乗算係数α１〜α４は、液晶表示パネル１７の光学応答特性の実測値から予め得られたものである。これにより、入力画像データがＰＡＬ方式又はＳＥＣＡＭ方式（５０Ｈｚ）の映像信号の場合は、ＮＴＳＣ方式（６０Ｈｚ）の映像信号の場合よりも小さな強調変換度合いで画像データの強調変換を行うことができ、過度な強調変換による映像ノイズの発生を防止しつつ、液晶表示パネル１７の光学応答特性（温度依存特性を含む）を補償して、残像や尾引きのない高品位な画像表示が行われる。
【０１０４】
また、温度センサ２０は、その本来の目的から液晶表示パネル１７内に設けることが望ましいが、これは構造上困難であるため、液晶表示パネル１７にできる限り近い場所に設置すればよい。また、温度センサ２０は、１個に限らず複数個とし、液晶表示パネル１７の各部位に対応して配置させるようにしてもよい。複数の温度センサ２０を設けた場合には、それぞれの温度センサ２０からの検出結果を平均した値を温度検出データとして用いてもよいし、変化の大きいいずれかの温度センサ２０からの検出結果を温度検出データとして用いてもよい。
【０１０５】
このような構成では、上述したように、映像信号種別検出部１０によりたとえばＮＴＳＣ方式（６０Ｈｚ）の映像信号が検出されると、映像信号種別検出部１０から制御ＣＰＵ１２Ｄに対し、ＮＴＳＣ方式（６０Ｈｚ）の映像信号を検出したことが通知される。このとき、制御ＣＰＵ１２により強調変換手段としての強調変換部１４Ｄに対して、入力画像データに対する強調変換処理が指示される。この場合、図６に示すように、制御ＣＰＵ１２Ｄからのパラメータ切換制御信号によりＯＳテーブルメモリ（ＲＯＭ）１３ａを参照するように指示される。そして、演算部１４ｄにより、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータがＯＳテーブルメモリ（ＲＯＭ）１３ａから読み出されて強調演算データが求められる。そして、減算器１４ａによってその強調演算データとこれから表示するＭ番目のフレームの入力画像データとの差分データが求められる。
【０１０６】
このとき、制御ＣＰＵ１２Ｄには温度センサ２０からの温度検出データが取り込まれており、制御ＣＰＵ１２Ｄによりその温度検出データに応じた乗算係数α１〜α４のいずれかを切り換え選択するための係数切換制御信号が強調変換部１４Ｄに与えられる。ここで、温度検出データがたとえば１５℃以下である場合は乗算係数α１（＞α２）となり、１５℃より大きく２５℃以下である場合は乗算係数α２（＞α３）となり、２５℃より大きく３５℃以下である場合は乗算係数α３（＞α４）となり、３５℃より大きい場合は乗算係数α４（＝１）となる。
【０１０７】
温度検出データに応じて、これらの乗算係数α１〜α４のいずれかが制御ＣＰＵ１２Ｄからの係数切換制御信号により切り換えられると、乗算器１４ｂにより前記差分データに対していずれかの乗算係数α１〜α４が乗算され、加算器１４ｃによってその乗算されたデータとこれから表示するＭ番目のフレームの入力画像データとが加算され、その加算されたデータが強調変換データとして液晶コントローラ１６に与えられる。これにより、入力画像データがＮＴＳＣ方式（６０Ｈｚ）の映像信号の場合には、液晶表示パネル１７の温度が変化しても、液晶表示パネル１７の光学応答特性（温度依存特性を含む）を補償して、残像や尾引きのない高画質の画像表示が行われる。
【０１０８】
これに対し、映像信号種別検出部１０により、ＰＡＬ方式又はＳＥＣＡＭ方式（５０Ｈｚ）の映像信号が検出されると、制御ＣＰＵ１２Ｄにより強調変換部１４Ｄに対して、ＰＡＬ方式又はＳＥＣＡＭ方式（５０Ｈｚ）の入力画像データに対する強調変換処理が指示される。この場合、制御ＣＰＵ１２Ｄからのパラメータ切換制御信号によりＯＳテーブルメモリ（ＲＯＭ）１３ｂを参照するように指示される。そして、演算部１４ｄにより、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータがＯＳテーブルメモリ（ＲＯＭ）１３ｂから読み出されて強調演算データが求められる。そして、減算器１４ａによってその強調演算データとこれから表示するＭ番目のフレームの入力画像データとの差分データが求められる。
【０１０９】
このとき、制御ＣＰＵ１２Ｄには温度センサ２０からの温度検出データが取り込まれており、制御ＣＰＵ１２Ｄからはその温度検出データに応じた乗算係数α１〜α４のいずれかを切り換え選択するための係数切換制御信号が強調変換部１４Ｄに与えられる。ここで、温度検出データがたとえば１５℃以下である場合は乗算係数α１（＞α２）となり、１５℃より大きく２５℃以下である場合は乗算係数α２（＞α３）となり、２５℃より大きく３５℃以下である場合は乗算係数α３（＞α４）となり、３５℃より大きい場合は乗算係数α４（＝１）となる。
【０１１０】
温度検出データに応じてこれらの乗算係数α１〜α４のいずれかが制御ＣＰＵ１２Ｄからの係数切換制御信号により切り換えられると、乗算器１４ｂにより前記差分データに対していずれかの乗算係数α１〜α４が乗算され、加算器１４ｃによってその乗算されたデータとこれから表示するＭ番目のフレームの入力画像データとが加算され、その加算されたデータが強調変換データとして液晶コントローラ１６に与えられる。
【０１１１】
ここで、入力画像データがＰＡＬ方式又はＳＥＣＡＭ方式（５０Ｈｚ）の映像信号の場合には、上述したように、ＯＳテーブルメモリ（ＲＯＭ）１３ｂ内のＯＳパラメータがＯＳテーブルメモリ（ＲＯＭ）１３ａ内のＯＳパラメータより小さい値であるため、液晶表示パネル１７の温度が変化しても、液晶表示パネル１７の光学応答特性（温度依存特性を含む）を補償して、残像や尾引きの発生を抑えつつ、画像データに対する過度な強調変換によって映像ノイズが発生することを防止して、高画質の画像表示が行われる。
【０１１２】
このように、実施形態４では、入力画像データがＮＴＳＣ方式（６０Ｈｚ）の映像信号である場合に参照するＯＳテーブルメモリ（ＲＯＭ）１３ａと、入力画像データがＰＡＬ方式又はＳＥＣＡＭ方式（５０Ｈｚ）の映像信号である場合に参照するＯＳテーブルメモリ（ＲＯＭ）１３ｂとを備え、前記検出されたＮＴＳＣ方式（６０Ｈｚ）の映像信号、ＰＡＬ方式又はＳＥＣＡＭ方式（５０Ｈｚ）の映像信号に応じてＯＳテーブルメモリ（ＲＯＭ）１３ａ，１３ｂのいずれかから読み出されたＯＳパラメータを用いるとともに、温度センサ２０による温度検出データに応じた乗算係数α１〜α４を用いて入力画像データに対する強調変換度合いを可変制御するようにしたので、入力画像データの信号種別及び装置内温度に応じた適切な強調変換処理を画像データに施すことが可能となり、高画質の画像表示を行わせることができる。
【０１１３】
（実施形態５）
図７は入力画像データがＮＴＳＣ方式（６０Ｈｚ）の映像信号である場合に参照する、複数の温度範囲のそれぞれに対応したＯＳパラメータが格納されたＯＳテーブルメモリ（ＲＯＭ）と、入力画像データがＰＡＬ方式又はＳＥＣＡＭ方式（５０Ｈｚ）の映像信号である場合に参照する、複数の温度範囲のそれぞれに対応したＯＳパラメータが格納されたＯＳテーブルメモリ（ＲＯＭ）とを個別に設けた構成とした場合の実施形態５を示す図、図８は図７の制御ＣＰＵの詳細を説明するための図、図９は図７のＯＳテーブルメモリ（ＲＯＭ）を入力画像データの信号種別（放送フォーマット）及び装置内温度に応じて切り換え選択する動作を説明するための図である。
【０１１４】
図７に示すように、実施形態５では、入力画像データがＮＴＳＣ方式（６０Ｈｚ）の映像信号である場合に参照するＯＳテーブルメモリ（ＲＯＭ）１３１〜１３４と、入力画像データがＰＡＬ方式又はＳＥＣＡＭ方式（５０Ｈｚ）の映像信号である場合に参照するＯＳテーブルメモリ（ＲＯＭ）１３５〜１３８とを設けている。そして、入力画像データがＮＴＳＣ方式（６０Ｈｚ）の映像信号であるか、ＰＡＬ方式（５０Ｈｚ）又はＳＥＣＡＭ方式（５０Ｈｚ）の映像信号であるかの信号種別を検出し、その信号種別と温度センサ２０からの温度検出データによって得られる装置内温度とに応じて、ＯＳテーブルメモリ（ＲＯＭ）１３１〜１３８のいずれかを切り換え参照し、画像データに対する強調変換処理を行うようにしている。
【０１１５】
ここで、入力画像データがＰＡＬ方式又はＳＥＣＡＭ方式（５０Ｈｚ）の映像信号である場合に参照するＯＳテーブルメモリ（ＲＯＭ）１３５〜１３８内のＯＳパラメータは、入力画像データがＮＴＳＣ方式（６０Ｈｚ）の映像信号である場合に参照するＯＳテーブルメモリ（ＲＯＭ）１３１〜１３４内のＯＳパラメータより小さい値である。これは、上述したように、ＰＡＬ方式又はＳＥＣＡＭ方式（５０Ｈｚ）の映像信号は、ＮＴＳＣ方式（６０Ｈｚ）の映像信号に比べてフレーム周期が長く、過度な強調変換による映像ノイズの発生を防止するために、入力画像データがＰＡＬ方式又はＳＥＣＡＭ方式（５０Ｈｚ）の映像信号の場合には、画像データに対する強調変換度合いを、入力画像データがＮＴＳＣ方式（６０Ｈｚ）の映像信号の場合よりも小さくする必要があるためである。
【０１１６】
なお、ここでは、それぞれのＯＳパラメータを、それぞれ個別に設けられたＯＳテーブルメモリ（ＲＯＭ）１３１〜１３８に格納しているが、単一のＯＳテーブルメモリ（ＲＯＭ）の異なるテーブル領域にそれぞれのＯＳパラメータを格納しておき、制御ＣＰＵ１２Ｅからの切換制御信号に応じて、参照するテーブル領域を適応的に切り換えることにより、ＯＳパラメータを切換選択して、強調変換データを求めるように構成してもよい。
【０１１７】
また、ＯＳテーブルメモリ（ＲＯＭ）１３１〜１３８には、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３１〜１３８の記憶容量を抑制することができる。
【０１１８】
さらに、温度センサ２０は、その本来の目的から液晶表示パネル１７内に設けることが望ましいが、これは構造上困難であるため、液晶表示パネル１７にできる限り近い場所に設置すればよい。また、温度センサ２０は、１個に限らず複数個とし、液晶表示パネル１７の各部位に対応して配置させるようにしてもよい。複数の温度センサ２０を設けた場合には、それぞれの温度センサ２０からの検出結果を平均した値を温度検出データとして用いてもよいし、変化の大きいいずれかの温度センサ２０からの検出結果を温度検出データとして用いてもよい。
【０１１９】
ここで、各ＯＳテーブルメモリ（ＲＯＭ）１３１〜１３８は、図９に示すように、温度センサ２０からの温度検出データに応じて切り換えて参照されるようになっている。ここでは、装置内温度がたとえば１５℃以下、１５℃より大きく２５℃以下、２５℃より大きく３５℃以下、３５℃より大きい場合の４段階の温度範囲に対応させて、各ＯＳテーブルメモリ（ＲＯＭ）１３１〜１３８を設けた構成としているが、３段階以下或いは５段階以上の温度範囲に対応したＯＳパラメータを用意してもよいことは言うまでもない。
【０１２０】
このような温度センサ２０の温度検出データに応じて各ＯＳテーブルメモリ（ＲＯＭ）１３１〜１３８を切り換え選択を指示する制御ＣＰＵ１２Ｅの構成を、図８により説明する。すなわち、制御手段としての制御ＣＰＵ１２Ｅは、閾値判別部１２ａ、制御信号出力部１２ｃを有している。
【０１２１】
閾値判別部１２ａは、温度センサ２０からの温度検出データを受け取ると、たとえば予め決められた所定の切換温度（閾値温度）Ｔｈ１、Ｔｈ２、Ｔｈ３とを比較する。ここでは、切換温度（閾値温度）Ｔｈ１、Ｔｈ２、Ｔｈ３はたとえば１５℃、２５℃、３５℃であり、装置内温度が１５℃以下であるか、１５℃より大きく２５℃以下であるか、２５℃より大きく３５℃以下であるか、３５℃より大きいかの判別結果を出力する。
【０１２２】
制御信号出力部１２ｃは、映像信号種別検出部１０によるＮＴＳＣ方式（６０Ｈｚ）の映像信号、ＰＡＬ方式又はＳＥＣＡＭ方式（５０Ｈｚ）の映像信号のいずれかの信号種別の検出結果と、閾値判別部１２ａによる判別結果とに応じた切換制御信号を出力する。すなわち、映像信号種別検出部１０からの信号種別の検出結果と閾値判別部１２ａによる判別結果とを受け取ると、その信号種別と温度検出データとに応じて、ＯＳテーブルメモリ（ＲＯＭ）１３１〜１３８のいずれを参照させるかを切換制御信号で指示する。
【０１２３】
この場合、制御信号出力部１２ｃは、たとえば入力画像データがＮＴＳＣ方式（６０Ｈｚ）の場合「０」、ＰＡＬ方式又はＳＥＣＡＭ方式（５０Ｈｚ）の場合「１」とする識別データと、たとえば温度センサ２０からの温度検出データが１５℃以下の場合「００」、１５℃より大きく２５℃以下の場合「０１」、２５℃より大きく３５℃以下の場合「１０」、３５℃より大きい場合「１１」とする識別データとを組み合わせることにより、３ビットの切換制御信号で８個の各ＯＳテーブルメモリ（ＲＯＭ）１３１〜１３８のいずれを参照して、画像データの強調変換を行うかの指示を行うことができる。
【０１２４】
このような構成では、上述したように、映像信号種別検出部１０によりたとえばＮＴＳＣ方式（６０Ｈｚ）の映像信号が検出されると、映像信号種別検出部１０から制御ＣＰＵ１２Ｅに対し、ＮＴＳＣ方式（６０Ｈｚ）の映像信号を検出したことが通知される。このとき、制御ＣＰＵ１２Ｅにより強調変換手段としての強調変換部１４Ｅに対して、入力画像データに対する強調変換処理が指示される。この場合、閾値判別部１２ａからの温度検出データが１５℃以下であるか、１５℃より大きく２５℃以下であるか、２５℃より大きく３５℃以下であるか、３５℃より大きいかの判別結果に応じて、制御信号出力部１２ｃにより、入力画像データがＮＴＳＣ方式（６０Ｈｚ）の映像信号である場合に参照するＯＳテーブルメモリ（ＲＯＭ）１３１〜１３４のいずれかを選択指示するための切換制御信号が出力される。
【０１２５】
ここで、温度センサ２０からの温度検出データがたとえば１５℃以下である場合、ＯＳテーブルメモリ（ＲＯＭ）１３１を参照するように指示され、１５℃より大きく２５℃以下である場合、ＯＳテーブルメモリ（ＲＯＭ）１３２を参照するように指示され、２５℃より大きく３５℃以下である場合、ＯＳテーブルメモリ（ＲＯＭ）１３３を参照するように指示され、３５℃より大きい場合、ＯＳテーブルメモリ（ＲＯＭ）１３４を参照するように指示される。
【０１２６】
そして、その指示を受けた強調変換部１４Ｅにより、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータが、前記選択指示されたＯＳテーブルメモリ（ＲＯＭ）１３１〜１３４のいずれかから読み出され、その読み出されたＯＳパラメータに基づいて強調変換データが求められ、液晶コントローラ１６に与えられる。これにより、入力画像データがＮＴＳＣ方式（６０Ｈｚ）の映像信号の場合には、液晶表示パネル１７の温度が変化しても、液晶表示パネル１７の光学応答特性（温度依存特性を含む）を補償して、残像や尾引きのない高画質の画像表示が行われる。
【０１２７】
これに対し、映像信号種別検出部１０により、ＰＡＬ方式又はＳＥＣＡＭ方式（５０Ｈｚ）の映像信号が検出されると、制御ＣＰＵ１２ＥによりＰＡＬ方式又はＳＥＣＡＭ方式（５０Ｈｚ）の入力画像データに対する強調変換処理が指示される。この場合、上述したように、閾値判別部１２ａからの温度検出データが１５℃以下であるか、１５℃より大きく２５℃以下であるか、２５℃より大きく３５℃以下であるか、３５℃より大きいかの判別結果に応じて、制御信号出力部１２ｃにより、入力画像データがＰＡＬ方式又はＳＥＣＡＭ方式（５０Ｈｚ）の映像信号である場合に参照するＯＳテーブルメモリ（ＲＯＭ）１３５〜１３８のいずれかを選択指示するための切換制御信号が出力される。
【０１２８】
ここで、温度センサ２０からの温度検出データがたとえば１５℃以下である場合、ＯＳテーブルメモリ（ＲＯＭ）１３５を参照するように指示され、１５℃より大きく２５℃以下である場合、ＯＳテーブルメモリ（ＲＯＭ）１３６を参照するように指示され、２５℃より大きく３５℃以下である場合、ＯＳテーブルメモリ（ＲＯＭ）１３７を参照するように指示され、３５℃より大きい場合、ＯＳテーブルメモリ（ＲＯＭ）１３８を参照するように指示される。
【０１２９】
そして、その指示を受けた強調変換部１４Ｅにより、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータが、選択指示されたＯＳテーブルメモリ（ＲＯＭ）１３５〜１３８のいずれかから読み出され、その読み出されたＯＳパラメータに基づいて強調変換データが求められ、液晶コントローラ１６に与えられる。
【０１３０】
ここで、入力画像データがＰＡＬ方式又はＳＥＣＡＭ方式（５０Ｈｚ）の映像信号の場合には、上述したように、ＯＳテーブルメモリ（ＲＯＭ）１３５〜１３８内のＯＳパラメータが、対応するＯＳテーブルメモリ（ＲＯＭ）１３１〜１３４内のＯＳパラメータより小さい値であるため、液晶表示パネル１７の温度が変化しても、液晶表示パネル１７の光学応答特性（温度依存特性を含む）を補償して、残像や尾引きの発生を抑えつつ、画像データに対する過度な強調変換によって映像ノイズが発生することを防止して、高画質の画像表示が行われる。
【０１３１】
このように、実施形態５では、入力画像データがＮＴＳＣ方式（６０Ｈｚ）の映像信号である場合に参照する、温度センサ２０からの温度検出データに応じた複数のＯＳテーブルメモリ（ＲＯＭ）１３１〜１３４と、入力画像データがＰＡＬ方式又はＳＥＣＡＭ方式（５０Ｈｚ）の映像信号である場合に参照する、温度センサ２０からの温度検出データに応じた複数のＯＳテーブルメモリ（ＲＯＭ）１３５〜１３８とを設け、入力画像データがＮＴＳＣ方式（６０Ｈｚ）の映像信号であるか、ＰＡＬ方式又はＳＥＣＡＭ方式（５０Ｈｚ）の映像信号であるかの信号種別と、温度センサ２０からの温度検出データによって得られる装置内温度とに応じて、ＯＳテーブルメモリ（ＲＯＭ）１３１〜１３８のいずれかを切り換え参照し、画像データに対する強調変換を行うようにしたので、信号種別及び装置内温度に対応した適切な強調変換処理を画像データに施すことが可能となり、高画質の画像表示を行わせることができる。
【０１３２】
（実施形態６）
図１０は入力画像データがＮＴＳＣ方式（６０Ｈｚ）の映像信号である場合とＰＡＬ方式又はＳＥＣＡＭ方式（５０Ｈｚ）の映像信号である場合とでＯＳパラメータを共用した場合の実施形態６を示す図、図１１は図１０の制御ＣＰＵの詳細を示す図、図１２は図１０のＯＳテーブルメモリ（ＲＯＭ）を入力画像データの信号種別及び装置内温度に応じて切り換え選択する動作を説明するための図である。
【０１３３】
図１０に示すように、実施形態６では、図７に示したＯＳテーブルメモリ（ＲＯＭ）１３１〜１３８のうち、たとえば入力画像データがＮＴＳＣ方式（６０Ｈｚ）の映像信号である場合に参照する４個のＯＳテーブルメモリ（ＲＯＭ）１３１〜１３４を、入力画像データがＰＡＬ方式又はＳＥＣＡＭ方式（５０Ｈｚ）の映像信号である場合にも参照できるようにし、映像信号種別検出部１０による信号種別及び温度センサ２０による装置内温度に応じて、ＯＳテーブルメモリ（ＲＯＭ）１３１〜１３４のいずれかを切り換え参照し、画像データに対する強調変換処理を行うようにしている。
【０１３４】
このように、入力画像データの信号種別及び装置内温度の検出データに応じて、参照するＯＳテーブルメモリ（ＲＯＭ）１３１〜１３４の切り換え制御を行う制御ＣＰＵ１２Ｆは、図１１に示す構成となっている。すなわち、制御ＣＰＵ１２Ｆは、閾値判別部１２ａ、制御信号出力部１２ｂ、信号種別演算式格納部１２ｅ、演算部１２ｆを有している。
【０１３５】
閾値判別部１２ａは、演算部１２ｆにより演算が施された温度データと、予め決められた所定の切換温度（閾値温度）Ｔｈ１，Ｔｈ２，Ｔｈ３とを比較する。ここで、Ｔｈ１，Ｔｈ２，Ｔｈ３は、たとえば１５℃、２５℃、３５℃である。制御信号出力部１２ｂは、閾値判別部１２ａによる比較結果に応じて、強調変換手段としての強調変換部１４Ｆに対しいずれのＯＳテーブルメモリ（ＲＯＭ）１３１〜１３４を選択して参照させるかを指示するための切換制御信号を生成する。
【０１３６】
信号種別演算式格納部１２ｅには、入力画像データの信号種別毎に決められた所定値を、温度センサ２０による温度検出データに対して加減算する等の演算式が格納されている。演算部１２ｆは、映像信号種別検出部１０により検出された信号種別のデータに応じ、信号種別演算式格納部１２ｅから読み出された演算式を用いて、温度センサ２０による温度検出データに補正演算を施す。
【０１３７】
このような構成では、たとえば図１２に示すように、入力画像データがＮＴＳＣ方式（６０Ｈｚ）の映像信号である場合、温度センサ２０で検出された装置内温度が切換温度Ｔｈ１（＝１５℃）以下であれば、制御ＣＰＵ１２Ｆは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１３８】
また、温度センサ２０で検出された装置内温度が切換温度Ｔｈ１（＝１５℃）より大きく且つ切換温度Ｔｈ２（＝２５℃）以下であれば、制御ＣＰＵ１２Ｆは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１３９】
さらに、温度センサ２０で検出された装置内温度が切換温度Ｔｈ２（＝２５℃）より大きく且つ切換温度Ｔｈ３（＝３５℃）以下であれば、制御ＣＰＵ１２Ｆは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１４０】
そしてまた、温度センサ２０で検出された装置内温度が切換温度Ｔｈ３（＝３５℃）より大きければ、制御ＣＰＵ１２Ｆは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１４１】
一方、入力画像データがＰＡＬ方式又はＳＥＣＡＭ方式（５０Ｈｚ）の映像信号である場合は、上述したように、過度な強調変換による映像ノイズの発生を防止するために、入力画像データがＰＡＬ方式又はＳＥＣＡＭ方式（５０Ｈｚ）の映像信号である場合における画像データの強調変換度合いを、入力画像データがＮＴＳＣ方式（６０Ｈｚ）の映像信号である場合より小さくする必要がある。そのため、その強調変換の度合いを補正するために、演算部１２ｆでは信号種別演算式格納部１２ｅより読み出された演算式を用いて、温度センサ２０による温度検出データに対し所定の演算（ここでは、たとえば５℃分を加算）を施した上で、閾値判別部１２ａに出力する。なお、ここでの加算は、５℃に限らず、４℃以下又は６℃以上であってもよく、液晶表示パネル１７の光学応答特性に応じて任意に設定すればよい。
【０１４２】
これによって、入力画像データがＰＡＬ方式又はＳＥＣＡＭ方式（５０Ｈｚ）の映像信号である場合、温度センサ２０で検出された装置内温度が１０℃以下であれば、制御ＣＰＵ１２Ｆは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１４３】
また、温度センサ２０で検出された装置内温度が１０℃より大きく且つ２０℃以下であれば、制御ＣＰＵ１２Ｆは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１４４】
さらに、温度センサ２０で検出された装置内温度が２０℃より大きく且つ３０℃以下であれば、制御ＣＰＵ１２Ｆは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１４５】
そしてまた、温度センサ２０で検出された装置内温度が３０℃より大きければ、制御ＣＰＵ１２Ｆは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１４６】
このように、実施形態６では、温度センサ２０による温度検出データに所定の演算を施した上で、予め決められた所定の切換温度Ｔｈ１，Ｔｈ２，Ｔｈ３と比較し、ＯＳパラメータを切り換えるための切換制御信号を生成している。すなわち、入力画像データがＮＴＳＣ方式（６０Ｈｚ）の映像信号である場合と、入力画像データがＰＡＬ方式又はＳＥＣＡＭ方式（５０Ｈｚ）の映像信号である場合とで、参照するＯＳテーブルメモリ（ＲＯＭ）１３１〜１３４を参照する際の切換温度（装置内温度）を適宜可変するようにしたので、いずれの信号種別（放送フォーマット）の入力画像データに対しても、ＯＳテーブルメモリ（ＲＯＭ）１３１〜１３４を共用して強調変換処理を施すことが可能であり、入力画像データがＮＴＳＣ方式（６０Ｈｚ）の映像信号、ＰＡＬ方式又はＳＥＣＡＭ方式（５０Ｈｚ）の映像信号のいずれであっても、ＯＳテーブルメモリ（ＲＯＭ）を別個に設ける場合に比べ、メモリの記憶容量を抑制することができる。
【０１４７】
また、同一温度条件下において、入力画像データがＰＡＬ方式又はＳＥＣＡＭ方式（５０Ｈｚ）の映像信号である場合には、入力画像データがＮＴＳＣ方式（６０Ｈｚ）の映像信号である場合に用いるＯＳパラメータより小さい値のＯＳパラメータを用いて、画像データの強調変換を行うことが可能となるため、ＰＡＬ方式又はＳＥＣＡＭ方式（５０Ｈｚ）の映像信号の場合、画像データに対する過度な強調変換によって映像ノイズが発生することにより画質が劣化することを防止することができる。
【０１４８】
なお、各温度範囲に対応した複数のＯＳパラメータを、それぞれ個別に設けられたＯＳテーブルメモリ（ＲＯＭ）１３１〜１３４に格納しているが、単一のＯＳテーブルメモリ（ＲＯＭ）の異なるテーブル領域に格納しておき、制御ＣＰＵ１２Ｆからの切換制御信号に応じて、参照するテーブル領域を適応的に切り換えることにより、ＯＳパラメータを切換選択して、強調変換データを求めるように構成してもよいことは言うまでもない。
【０１４９】
また、ＯＳテーブルメモリ（ＲＯＭ）１３１〜１３４には、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３１〜１３４の記憶容量を抑制することができる。
【０１５０】
（実施形態７）
図１３は図１０の制御ＣＰＵとして別の構成を備えた場合の実施形態７を示す図である。
【０１５１】
実施形態７における制御ＣＰＵ１２Ｇは、図１３に示すように、入力画像データの信号種別毎に決められた所定の切換温度（閾値温度）のデータが格納されている信号種別閾値温度データ格納部１２ｉと、入力画像データの信号種別に応じて、信号種別閾値温度データ格納部１２ｉから読み出された切換温度Ｔｈ１，Ｔｈ２，Ｔｈ３と、温度センサ２０による温度検出データとを比較する閾値判別部１２ｊと、この閾値判別部１２ｊによる比較結果に応じ、強調変換部１４Ｆに対してＯＳテーブルメモリ（ＲＯＭ）１３１〜１３４のいずれかを選択して参照させるための切換制御信号を生成する制御信号出力部１２ｂとを有している。
【０１５２】
このような構成では、入力画像データがＮＴＳＣ方式（６０Ｈｚ）の映像信号である場合は、温度センサ２０で検出された装置内温度が切換温度Ｔｈ１（＝１５℃）以下であれば、制御ＣＰＵ１２Ｇは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１５３】
また、温度センサ２０で検出された装置内温度が切換温度Ｔｈ１（＝１５℃）より大きく且つ切換温度Ｔｈ２（＝２５℃）以下であれば、制御ＣＰＵ１２Ｇは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１５４】
さらに、温度センサ２０で検出された装置内温度が切換温度Ｔｈ２（＝２５℃）より大きく且つ切換温度Ｔｈ３（＝３５℃）以下であれば、制御ＣＰＵ１２Ｇは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１５５】
そしてまた、温度センサ２０で検出された装置内温度が切換温度Ｔｈ３（＝３５℃）より大きければ、制御ＣＰＵ１２Ｇは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１５６】
一方、入力画像データがＰＡＬ方式又はＳＥＣＡＭ方式（５０Ｈｚ）の映像信号である場合は、上述したように、過度な強調変換による映像ノイズの発生を防止するために、同一条件下における画像データの強調変換度合いを、入力画像データがＮＴＳＣ方式（６０Ｈｚ）の映像信号である場合より小さくする必要がある。そのため、その強調変換の度合いを補正するために、入力画像データがＰＡＬ方式又はＳＥＣＡＭ方式（５０Ｈｚ）の映像信号である場合は、閾値判別部１２ｊでは信号種別閾値温度データ格納部１２ｉより読み出された切換温度Ｔｈ’１（＜Ｔｈ１），Ｔｈ’２（＜Ｔｈ２），Ｔｈ’３（＜Ｔｈ３）を用いて、温度センサ２０による温度検出データの比較判別を行い、その結果を制御信号出力部１２ｂに出力する。
【０１５７】
これによって、入力画像データがＰＡＬ方式又はＳＥＣＡＭ方式（５０Ｈｚ）の映像信号である場合は、温度センサ２０で検出された装置内温度がＴｈ’１（＝１０℃）以下であれば、制御ＣＰＵ１２Ｇは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１５８】
また、温度センサ２０で検出された装置内温度がＴｈ’１（＝１０℃）より大きく且つ切換温度Ｔｈ’２（＝２０℃）以下であれば、制御ＣＰＵ１２Ｇは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１５９】
さらに、温度センサ２０で検出された装置内温度がＴｈ’２（＝２０℃）より大きく且つ切換温度Ｔｈ’３（＝３０℃）以下であれば、制御ＣＰＵ１２Ｇは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１６０】
そしてまた、温度センサ２０で検出された装置内温度がＴｈ’３（＝３０℃）より大きければ、制御ＣＰＵ１２Ｇは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１６１】
このように、実施形態７では、入力画像データの信号種別毎に定められた切換温度（閾値温度）を用いて温度センサ２０による温度検出データの比較判別を行うことにより、参照すべきＯＳテーブルメモリ（ＲＯＭ）１３１〜１３４を選択させるための切換制御信号を生成している。すなわち、入力画像データがＮＴＳＣ方式（６０Ｈｚ）の映像信号である場合と、入力画像データがＰＡＬ方式又はＳＥＣＡＭ方式（５０Ｈｚ）の映像信号である場合とで、ＯＳテーブルメモリ（ＲＯＭ）１３１〜１３４を切り換え選択する切換温度（装置内温度）を適宜可変するようにしたので、いずれの信号種別の入力画像データに対しても、ＯＳテーブルメモリ（ＲＯＭ）１３１〜１３４を共用して強調変換処理を施すことが可能であり、ＮＴＳＣ方式（６０Ｈｚ）の映像信号、ＰＡＬ方式又はＳＥＣＡＭ方式（５０Ｈｚ）の映像信号のいずれであっても、ＯＳテーブルメモリ（ＲＯＭ）を別個に設ける場合に比べ、メモリの記憶容量を抑制することができる。
【０１６２】
また、同一温度条件下において、入力画像データがＰＡＬ方式又はＳＥＣＡＭ方式（５０Ｈｚ）の映像信号である場合には、入力画像データがＮＴＳＣ方式（６０Ｈｚ）の映像信号である場合に用いるＯＳパラメータより小さい値のＯＳパラメータを用いて、画像データの強調変換を行うことが可能となるため、画像データに対する過度な強調変換によって映像ノイズが発生することにより画質が劣化することを防止することができる。
【０１６３】
（実施形態８）
図１４は入力画像データがＮＴＳＣ方式（６０Ｈｚ）の映像信号の場合とＰＡＬ方式又はＳＥＣＡＭ方式（５０Ｈｚ）の映像信号の場合とで、一部のＯＳパラメータのみを共用した場合の実施形態８を示す図である。
【０１６４】
図１４に示すように、実施形態８では、入力画像データがＮＴＳＣ方式（６０Ｈｚ）の映像信号である場合、ＰＡＬ方式又はＳＥＣＡＭ方式（５０Ｈｚ）の映像信号である場合のいずれにおいても共用されるＯＳテーブルメモリ（ＲＯＭ）１３ｃ〜１３ｅに加えて、入力画像データがＮＴＳＣ方式（６０Ｈｚ）の映像信号である場合に参照するＯＳテーブルメモリ（ＲＯＭ）１３ａと、入力画像データがＰＡＬ方式又はＳＥＣＡＭ方式（５０Ｈｚ）の映像信号である場合に参照するＯＳテーブルメモリ（ＲＯＭ）１３ｂとを設け、これらＯＳテーブルメモリ（ＲＯＭ）１３ａ〜１３ｅを、入力信号種別毎に定められる切換温度に従って切り換え参照し、画像データに強調変換を施す構成としている。
【０１６５】
ここで、それぞれの専用のＯＳテーブルメモリ（ＲＯＭ）１３ａ，１３ｂについては、たとえば常温より大きい場合において、画像データの強調変換に用いるＯＳパラメータが格納されている。また、ＯＳテーブルメモリ（ＲＯＭ）１３ａ〜１３ｅを、信号種別毎に定められる切換温度に従って切り換え参照させる場合、図１１（又は図１３）で説明した制御ＣＰＵ１２Ｆ（又は１２Ｇ）からの切換制御信号によって行わせることができる。
【０１６６】
このような構成では、入力画像データがＮＴＳＣ方式（６０Ｈｚ）の映像信号である場合、温度センサ２０で検出された装置内温度が１５℃以下であれば、制御ＣＰＵ１２Ｆは強調変換部１４Ｆに対し、ＯＳテーブルメモリ（ＲＯＭ）１３ｃを選択して参照するように指示する。これによって、強調変換部１４ＦはＯＳテーブルメモリ（ＲＯＭ）１３ｃに格納されているＯＳパラメータを用いて、入力画像データの強調変換処理を行う。
【０１６７】
また、温度センサ２０で検出された装置内温度が１５℃より大きく且つ２５℃以下であれば、制御ＣＰＵ１２Ｆは強調変換部１４Ｆに対し、ＯＳテーブルメモリ（ＲＯＭ）１３ｄを選択して参照するように指示する。これによって、強調変換部１４ＦはＯＳテーブルメモリ（ＲＯＭ）１３ｄに格納されているＯＳパラメータを用いて、入力画像データの強調変換処理を行う。
【０１６８】
さらに、温度センサ２０で検出された装置内温度が２５℃より大きく且つ３５℃以下であれば、制御ＣＰＵ１２Ｆは強調変換部１４Ｆに対し、ＯＳテーブルメモリ（ＲＯＭ）１３ｅを選択して参照するように指示する。これによって、強調変換部１４ＦはＯＳテーブルメモリ（ＲＯＭ）１３ｅに格納されているＯＳパラメータを用いて、入力画像データの強調変換処理を行う。
【０１６９】
そしてまた、温度センサ２０で検出された装置内温度が３５℃より大きければ、制御ＣＰＵ１２Ｆは強調変換部１４Ｆに対し、ＯＳテーブルメモリ（ＲＯＭ）１３ａを選択して参照するように指示する。これによって、強調変換部１４ＦはＯＳテーブルメモリ（ＲＯＭ）１３ａに格納されているＯＳパラメータを用いて、入力画像データの強調変換処理を行う。
【０１７０】
一方、入力画像データがＰＡＬ方式又はＳＥＣＡＭ方式（５０Ｈｚ）の映像信号である場合は、温度センサ２０で検出された装置内温度が１０℃以下であれば、制御ＣＰＵ１２Ｆは強調変換部１４Ｆに対し、ＯＳテーブルメモリ（ＲＯＭ）１３ｃを選択して参照するように指示する。これによって、強調変換部１４ＦはＯＳテーブルメモリ（ＲＯＭ）１３ｃに格納されているＯＳパラメータを用いて、入力画像データの強調変換処理を行う。
【０１７１】
また、温度センサ２０で検出された装置内温度が１０℃より大きく且つ２０℃以下であれば、制御ＣＰＵ１２Ｆは強調変換部１４Ｆに対し、ＯＳテーブルメモリ（ＲＯＭ）１３ｄを選択して参照するように指示する。これによって、強調変換部１４ＦはＯＳテーブルメモリ（ＲＯＭ）１３ｄに格納されているＯＳパラメータを用いて、入力画像データの強調変換処理を行う。
【０１７２】
さらに、温度センサ２０で検出された装置内温度が２０℃より大きく且つ３０℃以下であれば、制御ＣＰＵ１２Ｆは強調変換部１４Ｆに対し、ＯＳテーブルメモリ（ＲＯＭ）１３ｅを選択して参照するように指示する。これによって、強調変換部１４ＦはＯＳテーブルメモリ（ＲＯＭ）１３ｅに格納されているＯＳパラメータを用いて、入力画像データの強調変換処理を行う。
【０１７３】
そしてまた、温度センサ２０で検出された装置内温度が３０℃より大きければ、制御ＣＰＵ１２Ｆは強調変換部１４Ｆに対し、ＯＳテーブルメモリ（ＲＯＭ）１３ｂを選択して参照するように指示する。これによって、強調変換部１４ＦはＯＳテーブルメモリ（ＲＯＭ）１３ｂに格納されているＯＳパラメータを用いて、入力画像データの強調変換処理を行う。
【０１７４】
このように、実施形態８では、入力画像データがＮＴＳＣ方式（６０Ｈｚ）の映像信号、ＰＡＬ方式又はＳＥＣＡＭ方式（５０Ｈｚ）の映像信号である場合のそれぞれに対して共用するＯＳテーブルメモリ（ＲＯＭ）１３ｃ〜１３ｅに加えて、入力画像データがＮＴＳＣ方式（６０Ｈｚ）の映像信号の場合に参照する専用のＯＳテーブルメモリ（ＲＯＭ）１３ａと、入力画像データがＰＡＬ方式又はＳＥＣＡＭ方式（５０Ｈｚ）の映像信号の場合に参照する専用のＯＳテーブルメモリ（ＲＯＭ）１３ｂとを設け、これらＯＳテーブルメモリ（ＲＯＭ）１３ａ〜１３ｅを、入力信号種別毎に定められる切換温度（装置内温度）に応じて切り換え参照し、画像データに対する強調変換を施す構成としたので、ＯＳテーブルメモリ（ＲＯＭ）１３ｃ〜１３ｅを共用して適切な強調変換処理を施すことが可能となる。
【０１７５】
なお、各信号種別及び各温度範囲に対応した複数のＯＳパラメータを、それぞれ個別に設けられたＯＳテーブルメモリ（ＲＯＭ）１３ａ〜１３ｅに格納しているが、単一のＯＳテーブルメモリ（ＲＯＭ）の異なるテーブル領域に格納しておき、制御ＣＰＵ１２Ｆ（又は１２Ｇ）からの切換制御信号に応じて、参照するテーブル領域を適応的に切り換えることにより、強調変換パラメータを切換選択して、強調変換データを求めるように構成してもよい。
【０１７６】
また、ＯＳテーブルメモリ（ＲＯＭ）１３ａ〜１３ｅには、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３ａ〜１３ｅの記憶容量を抑制することができる。
【０１７７】
なお、上記各実施形態では、映像信号種別検出部１０が入力される映像信号に基づいて当該映像信号の放送方式（映像フォーマット）を自動判別する場合について説明したが、これに限るものではなく、映像信号種別検出部１０は、例えば、リモートコントローラなどによるユーザの映像信号の選択指示を受け付け、当該選択指示に基づいて、映像信号の放送方式を検出してもよい。いずれの場合であっても、映像信号の放送方式（映像フォーマット）を検出できれば、同様の効果が得られる。ただし、上記各実施形態のように自動判別する構成は、ユーザが、その都度操作する構成と比較して、ユーザの負担を軽減できる。
【０１７８】
また、上記各実施形態では、液晶テレビジョン受像機に表示する放送方式を常時変更可能な構成について説明したが、これに限るものではない。例えば、工場出荷時のように、予め定められた期間のみに変更可能であってもよい。当該構成では、当該期間中に、液晶テレビジョン受像機に表示する放送方式を変更することによって、上記期間以降において、ある放送方式の映像信号を表示する液晶テレビジョン受像機と、上記期間以降において、他の放送方式の映像信号を表示する液晶テレビジョン受像機とを共用できる。また、上記期間以降に、いずれの放送方式（映像フォーマット）による入力画像データが入力される場合であっても、常に、液晶表示パネルが所定期間内において該入力画像データの定める透過率となるように、該入力画像データの強調変換を行うことが可能となり、高画質の画像表示を実現することができる。このように、液晶テレビジョン受像機に表示する放送方式を変更可能な期間が制限されている場合であっても、液晶テレビジョン受像機が複数の放送方式の画像データを表示可能であり、しかも、入力画像データが第１の放送方式の映像信号であるか、当該第１の放送方式の映像信号とは垂直周波数の異なる第２の放送方式の映像信号であるかに応じて、前記画像データに対する強調変換度合いを可変制御できれば、同様の効果が得られる。ただし、上記各実施形態のように、常時変更可能であれば、より多機能な液晶テレビジョン受像機をユーザに提供できる。
【０１７９】
さらに、上記各実施形態では、液晶テレビジョン受像機が、複数の放送方式のテレビジョン放送信号を受信して表示可能なマルチテレビジョン受像機である場合を例にして説明したが、上記液晶テレビジョン受像機が表示可能な映像信号は、テレビジョン放送信号を記録した記録媒体から映像信号を再生可能な再生装置からの映像信号であってもよいし、例えば、ＤＶＤなど、テレビジョン放送の映像信号と同一の映像フォーマットの映像信号を記録した記録媒体から、当該映像信号を再生可能な再生装置からの映像信号であってもよい。なお、この場合は、記録媒体に映像信号の放送方式（映像フォーマット）を示す情報を記録しておき、映像信号種別検出部１０は、当該記録媒体から読み出した当該情報に基づいて、映像信号の放送方式（映像フォーマット）を検出してもよい。いずれの場合であっても、映像信号を出力する信号源に拘わらず、液晶テレビジョン受像機が表示可能な映像信号の映像フォーマット（放送方式）が複数であり、しかも、入力画像データが第１の放送方式の映像信号であるか当該第１の放送方式の映像信号とは垂直周波数の異なる第２の放送方式の映像信号であるかに応じて、前記画像データに対する強調変換度合いを可変制御できれば、同様の効果が得られる。
【０１８０】
なお、上記各実施形態では、一例として、例えば、画像データの１フレーム（１コマ）の画像全体を、画像データの１フレーム期間に渡って書き込み走査する駆動方法、すなわち、１垂直期間（１フレームの期間）が１垂直表示期間と一致する駆動方法を液晶テレビジョン受像機が採用した場合を例にして説明したが、これに限るものではない。例えば、１フレーム期間を画像を表示する期間（画像表示期間）と暗表示（例えば、黒表示）する期間（暗表示期間）とに分割する駆動方法を液晶テレビジョン受像機が採用してもよい。
【０１８１】
また、上記各実施形態では、１フレーム前の入力画像データと現フレームの入力画像データとの組み合わせに応じた強調変換データを液晶コントローラ１６に出力する場合を例にして説明したが、これに限るものではない。例えば、１フレーム前の入力画像データだけではなく、１フレームよりも前の入力画像データ（例えば、２フレーム前の入力画像データなど）をも参照して、強調変換データを決定してもよい。いずれの場合であっても、少なくとも１フレーム前の入力画像データを参照して強調変換データを決定すれば、同様の効果が得られる。ただし、より以前の入力画像データを参照して強調変換データを決定するためには、より大きな記憶容量のフレームメモリが必要になる。したがって、記憶容量の削減が求められる場合には、上記各実施形態のように、各フレームの入力画像データのうち、１フレーム前の入力画像データと現フレームの入力画像データとのみを参照して、強調変換データを決定することが望まれる。
【０１８２】
さらに、上記各実施形態では、１フレーム前の入力画像データを参照して強調変換データを液晶コントローラ１６に出力しているが、実際に入力された、１フレーム前の入力画像データに代えて、１フレーム前の入力画像データの書き込みによって、液晶パネルの画素が実際に到達している階調レベルを予測し、当該予測値を、上記１フレーム前の画像データ（Previous Data） として参照してもよい。なお、この場合であっても、到達階調予測のために、１フレーム前の入力画像データが参照される。いずれの場合であっても、少なくとも１フレーム前の入力画像データと現フレームの入力画像データとに基づいて、強調変換データを決定すれば、同様の効果が得られる。
【０１８３】
なお、上記各実施形態では、強調変換部（１４Ａ〜１４Ｆ）が、ＯＳテーブルメモリ（ＲＯＭ１３〜１３ｅ・１３１〜１３８）に格納されたＯＳパラメータ（強調変換パラメータ）を参照して強調変換する場合を例にして説明したが、これに限るものではない。例えば、強調変換部は、Ｍ番目のフレームの入力画像データ（Current Data）と、フレームメモリ１５に格納されたＭ−１番目のフレームの入力画像データ(Previous Data )とを変数とする２次元関数ｆ（Current Data,Previous Data）などの関数によって、液晶表示パネル（１７）の光学応答特性を補償する強調変換データを算出してもよい。
【０１８４】
また、上記各実施形態では、映像信号種別検出部（１０）、制御ＣＰＵ（１２Ａ〜１２Ｇ）、強調変換部（１４Ａ〜１４Ｆ）、フレームメモリ（１５）がいずれもハードウェアの場合を例にして説明したが、コンピュータ（ＣＰＵ）などの演算手段が、図示しない記憶装置（メモリなど）に格納されたプログラムを実行して同様の動作を行うことによって、これらの部材を実現してもよい。当該プログラムは、例えば、当該プログラムを記録した記録媒体を配布したり、あるいは、有線または無線の伝送路など、種々の伝送路を介して伝送したりすることによって配布され、上記コンピュータに実行される。
【産業上の利用可能性】
【０１８５】
本発明によれば、各放送方式の画像データを表示可能な液晶表示パネルの光学応答特性を適切に改善することができるので、液晶表示パネルを用いて画像を表示する液晶テレビジョン受像機に好適に適用できる。
【図面の簡単な説明】
【０１８６】
【図１】本発明の液晶表示装置の実施形態１を説明するための図である。
【図２】図１のＯＳテーブルメモリ（ＲＯＭ）を参照して得られるＯＳパラメータと信号種別データに応じて与えられる乗算係数とを用いて液晶表示パネルに供給する強調変換データを求める場合を説明するための図である。
【図３】入力画像データがＮＴＳＣ方式（６０Ｈｚ）の映像信号である場合に参照するＯＳパラメータが格納されたＯＳテーブルメモリ（ＲＯＭ）と、入力画像データがＰＡＬ方式又はＳＥＣＡＭ方式（５０Ｈｚ）の映像信号である場合に参照する、ＯＳパラメータが格納されたＯＳテーブルメモリ（ＲＯＭ）とを個別に設けた場合の実施形態２を示す図である。
【図４】図１の構成に温度センサを追加し、ＯＳテーブルメモリ（ＲＯＭ）を参照して得られるＯＳパラメータと、入力画像データの信号種別及び装置内温度に応じた乗算係数を用いて、画像データに対する強調変換処理を行わせる場合の実施形態３を示す図である。
【図５】図４のＯＳテーブルメモリ（ＲＯＭ）を入力画像データがＮＴＳＣ方式（６０Ｈｚ）の映像信号である場合に参照するＯＳパラメータが格納されたＯＳテーブルメモリ（ＲＯＭ）と、入力画像データがＰＡＬ方式又はＳＥＣＡＭ方式（５０Ｈｚ）の映像信号である場合に参照するＯＳパラメータが格納されたＯＳテーブルメモリ（ＲＯＭ）とを個別に設けた構成とし、装置内温度に応じた乗算係数を用いて画像データに対する強調変換度合いを可変する場合の実施形態４を示す図である。
【図６】図５のＯＳテーブルメモリ（ＲＯＭ）を参照して得られるＯＳパラメータと温度センサによる温度検出データに応じた乗算係数とを用いて強調変換データを求める場合を説明するための図である。
【図７】入力画像データがＮＴＳＣ方式（６０Ｈｚ）の映像信号である場合に参照する、複数の温度範囲のそれぞれに対応したＯＳパラメータが格納されたＯＳテーブルメモリ（ＲＯＭ）と、入力画像データがＰＡＬ方式又はＳＥＣＡＭ方式（５０Ｈｚ）の映像信号である場合に参照する、複数の温度範囲のそれぞれに対応したＯＳパラメータが格納されたＯＳテーブルメモリ（ＲＯＭ）とを個別に設けた構成とした場合の実施形態５を示す図である。
【図８】図７の制御ＣＰＵの詳細を説明するための図である。
【図９】図７のＯＳテーブルメモリ（ＲＯＭ）を入力画像データの信号種別及び装置内温度に応じて切り換え選択する動作を説明するための図である。
【図１０】入力画像データがＮＴＳＣ方式（６０Ｈｚ）の映像信号である場合とＰＡＬ方式又はＳＥＣＡＭ方式（５０Ｈｚ）の映像信号である場合とでＯＳパラメータを共用した場合の実施形態６を示す図である。
【図１１】図１０の制御ＣＰＵの詳細を示す図である。
【図１２】図１０のＯＳテーブルメモリ（ＲＯＭ）を入力画像データの信号種別及び装置内温度に応じて切り換え選択する動作を説明するための図である。
【図１３】図１０の制御ＣＰＵとして別の構成を備えた場合の実施形態７を示す図である。
【図１４】入力画像データがＮＴＳＣ方式（６０Ｈｚ）の映像信号の場合とＰＡＬ方式又はＳＥＣＡＭ方式（５０Ｈｚ）の映像信号の場合とで、一部のＯＳパラメータのみを共用した場合の実施形態８を示す図である。
【図１５】従来の液晶表示装置の一構成例を示す図である。
【図１６】図１５のＯＳテーブルメモリ（ＲＯＭ）に格納されているＯＳパラメータの一例を示す図である。
【図１７】図１５の制御ＣＰＵの一構成例を示す図である。
【図１８】図１５のＯＳテーブルメモリ（ＲＯＭ）を装置内温度に応じて切り換え選択する動作を説明するための図である。
【図１９】図１５の液晶表示装置におけるオーバーシュート駆動を説明するための図である。
【符号の説明】
【０１８７】
１０  映像信号種別検出部（信号種別検出手段）
１２Ａ〜１２Ｇ  制御ＣＰＵ（制御手段）
１２ａ  閾値判別部
１２ｂ，１２ｃ  制御信号出力部
１２ｅ  信号種別演算式格納部
１２ｆ  演算部
１２ｉ  信号種別閾値温度データ格納部
１２ｊ  閾値判別部
１３，１３ａ〜１３ｅ，１３１〜１３８  ＯＳテーブルメモリ（ＲＯＭ）
１４Ａ〜１４Ｆ  強調変換部（強調変換手段）
１５  フレームメモリ
１６  液晶コントローラ
１７  液晶表示パネル
２０  温度センサ（温度検出手段）
【図１】
2006010714.tif 000003
【図２】
2006010714.tif 000004
【図３】
2006010714.tif 000005
【図４】
2006010714.tif 000006
【図５】
2006010714.tif 000007
【図６】
2006010714.tif 000008
【図７】
2006010714.tif 000009
【図８】
2006010714.tif 000010
【図９】
2006010714.tif 000011
【図１０】
2006010714.tif 000012
【図１１】
2006010714.tif 000013
【図１２】
2006010714.tif 000014
【図１３】
2006010714.tif 000015
【図１４】
2006010714.tif 000016
【図１５】
2006010714.tif 000017
【図１６】
2006010714.tif 000018
【図１７】
2006010714.tif 000019
【図１８】
2006010714.tif 000020
【図１９】
2006010714.tif 000021
【手続補正書】
【提出日】平成16年8月9日(2004.8.9)
【手続補正１】
【補正対象書類名】特許請求の範囲
【補正対象項目名】全文
【補正方法】変更
【補正の内容】
【特許請求の範囲】
【請求項１】
少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、
前記液晶テレビジョン受像機は、複数の放送方式の画像データを表示可能であり、
さらに、入力画像データが第１の放送方式の映像信号であるか、当該第１の放送方式の映像信号とは垂直周波数の異なる第２の放送方式の映像信号であるかの信号種別を検出する信号種別検出手段と、
前記画像データを階調遷移方向へ強調変換する強調変換手段と、
装置内温度を検出する温度検出手段と、
複数の装置内温度毎に対応して、現垂直期間の画像データと１垂直期間前の画像データとから指定される強調変換パラメータが格納されたテーブルメモリとを備え、
前記強調変換手段は、前記信号種別検出手段による検出結果によって定められた切換温度と前記温度検出手段の検出結果との比較結果に応じて、前記テーブルメモリから読み出される前記強調変換パラメータを用いて、前記画像データに強調演算を施す演算部を有することを特徴とする液晶テレビジョン受像機。
【請求項２】
少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、
前記液晶テレビジョン受像機は、複数の放送方式の画像データを表示可能であり、
さらに、入力画像データが第１の放送方式の映像信号であるか、当該第１の放送方式の映像信号とは垂直周波数の異なる第２の放送方式の映像信号であるかの信号種別を検出する信号種別検出手段と、
前記画像データを階調遷移方向へ強調変換する強調変換手段と、
装置内温度を検出する温度検出手段と、
複数の装置内温度毎に対応して、現垂直期間の画像データと１垂直期間前の画像データとから指定される強調変換パラメータが格納されたテーブルメモリとを備え、
前記テーブルメモリの一部または全部は、各信号種別がいずれの場合にも参照可能であり、
前記強調変換手段は、前記信号種別検出手段による検出結果と、前記温度検出手段の検出結果とに応じて、前記テーブルメモリのいずれかを切り換え参照し、参照されたテーブルメモリから読み出される前記強調変換パラメータを用いて、前記画像データに対する強調変換処理を行うことを特徴とする液晶テレビジョン受像機。
【請求項３】
前記強調変換パラメータの切り換え選択を制御する制御手段を備え、
前記制御手段は、
前記温度検出手段により検出された温度データに対して、前記入力画像データの信号種別毎に定められた所定の演算を施す演算部と、
前記演算部により演算が施された温度データと、予め決められた所定の閾値温度データとを比較する閾値判別部と、
前記閾値判別部による比較結果に応じて、前記強調変換パラメータを切り換え制御する切換制御信号を生成する制御信号出力部とを有することを特徴とする請求項１または２に記載の液晶テレビジョン受像機。
【請求項４】
前記強調変換パラメータの切り換え選択を制御する制御手段を備え、
前記制御手段は、
前記温度検出手段により検出された温度データと、前記入力画像データの信号種別毎に決められた所定の閾値温度データとを比較する閾値判別部と、
前記閾値判別部による比較結果に応じて、前記強調変換パラメータを切り換え制御する切換制御信号を生成する制御信号出力部とを有することを特徴とする請求項１または２に記載の液晶テレビジョン受像機。
【請求項５】
少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、
前記液晶テレビジョン受像機は、複数の放送方式の画像データを表示可能であり、
さらに、入力画像データが第１の放送方式の映像信号であるか、当該第１の放送方式の映像信号とは垂直周波数の異なる第２の放送方式の映像信号であるかの信号種別を検出する信号種別検出手段と、
前記画像データを階調遷移方向へ強調変換する強調変換手段と、
装置内温度を検出する温度検出手段と、
現垂直期間の画像データと１垂直期間前の画像データとから指定される強調変換パラメータが格納されたテーブルメモリとを備え、
前記強調変換手段は、
前記強調変換パラメータを用いて、前記画像データに強調演算を施す演算部と、
前記演算部の出力データに対し、前記信号種別検出手段による検出結果と前記温度検出手段の検出結果とに応じて、異なる係数を乗算する乗算部とを有することを特徴とする液晶テレビジョン受像機。
【請求項６】
少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、
前記液晶テレビジョン受像機は、複数の放送方式の画像データを表示可能であり、
さらに、入力画像データが第１の放送方式の映像信号であるか、当該第１の放送方式の映像信号とは垂直周波数の異なる第２の放送方式の映像信号であるかの信号種別を検出する信号種別検出手段と、
前記画像データを階調遷移方向へ強調変換する強調変換手段と、
装置内温度を検出する温度検出手段と、
前記入力画像データが第１の放送方式の映像信号である場合に参照する、現垂直期間の画像データと１垂直期間前の画像データとから指定される強調変換パラメータが格納されたテーブルメモリと、
前記入力画像データが第２の放送方式の映像信号である場合に参照する、現垂直期間の画像データと１垂直期間前の画像データとから指定される強調変換パラメータが格納されたテーブルメモリとを備え、
前記強調変換手段は、
前記信号種別検出手段による検出結果に応じて、前記テーブルメモリから読み出される前記強調変換パラメータを用いて、前記画像データに強調演算を施す演算部と、
前記演算部の出力データに対し、前記温度検出手段の検出結果に応じて異なる係数を乗算する乗算部とを有することを特徴とする液晶テレビジョン受像機。
【請求項７】
少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、
前記液晶テレビジョン受像機は、複数の放送方式の画像データを表示可能であり、
さらに、入力画像データが第１の放送方式の映像信号であるか、当該第１の放送方式の映像信号とは垂直周波数の異なる第２の放送方式の映像信号であるかの信号種別を検出する信号種別検出手段と、
前記画像データを階調遷移方向へ強調変換する強調変換手段と、
装置内温度を検出する温度検出手段と、
前記入力画像データが第１の放送方式の映像信号である場合に参照する、複数の装置内温度毎に対応して、現垂直期間の画像データと１垂直期間前の画像データとから指定される強調変換パラメータが格納されたテーブルメモリと、
前記入力画像データが第２の放送方式の映像信号である場合に参照する、複数の装置内温度毎に対応して、現垂直期間の画像データと１垂直期間前の画像データとから指定される強調変換パラメータが格納されたテーブルメモリとを備え、
前記強調変換手段は、前記信号種別検出手段による検出結果と前記温度検出手段の検出結果とに応じて、前記テーブルメモリから読み出される前記強調変換パラメータを用いて、前記画像データに強調演算を施す演算部を有することを特徴とする液晶テレビジョン受像機。
【請求項８】
少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、
前記液晶表示パネルは、複数の放送方式の画像データを表示可能であり、
入力画像データが第１の放送方式の映像信号であるか、当該第１の放送方式の映像信号とは垂直周波数の異なる第２の放送方式の映像信号であるかの信号種別を検出する工程と、
前記画像データを階調遷移方向へ強調変換する工程と、
装置内温度を検出する工程と、
複数の装置内温度毎に対応して、現垂直期間の画像データと１垂直期間前の画像データとから指定される強調変換パラメータが格納されたテーブルメモリを参照する工程と、
前記信号種別の検出結果によって定められた切換温度と前記装置内温度の検出結果との比較結果に応じて、前記テーブルメモリから読み出される前記強調変換パラメータを用いて、前記画像データに強調演算を施す工程とを有することを特徴とする液晶表示制御方法。
【請求項９】
少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、
前記液晶表示パネルは、複数の放送方式の画像データを表示可能であり、
入力画像データが第１の放送方式の映像信号であるか、当該第１の放送方式の映像信号とは垂直周波数の異なる第２の放送方式の映像信号であるかの信号種別を検出する工程と、
前記画像データを階調遷移方向へ強調変換する工程と、
装置内温度を検出する工程とを含み、
前記強調変換する工程は、複数の装置内温度毎に対応して設けられ、現垂直期間の画像データと１垂直期間前の画像データとから指定される強調変換パラメータが格納されたテーブルメモリであって、それらの一部または全部は、各信号種別がいずれの場合にも参照可能なテーブルメモリのうちのいずれかを、前記信号種別検出手段による検出結果と、前記温度検出手段の検出結果とに応じて切り換え参照し、参照されたテーブルメモリから読み出される前記強調変換パラメータを用いて、前記画像データに対する強調変換処理を行うことを特徴とする液晶表示制御方法。
【請求項１０】
前記装置内温度の検出結果である温度データに対して、前記入力画像データの信号種別毎に定められた所定の演算を施す工程と、
前記演算が施された温度データと、予め決められた所定の閾値温度データとを比較する工程と、
前記比較の結果に応じて、前記強調変換パラメータを切り換え制御する切換制御信号を生成する工程とを有することを特徴とする請求項８または９に記載の液晶表示制御方法。
【請求項１１】
前記装置内温度の検出結果である温度データと、前記入力画像データの信号種別毎に決められた所定の閾値温度データとを比較する工程と、
前記比較の結果に応じて、前記強調変換パラメータを切り換え制御する切換制御信号を生成する工程とを有することを特徴とする請求項８または９に記載の液晶表示制御方法。
【請求項１２】
少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、
前記液晶表示パネルは、複数の放送方式の画像データを表示可能であり、
入力画像データが第１の放送方式の映像信号であるか、当該第１の放送方式の映像信号とは垂直周波数の異なる第２の放送方式の映像信号であるかの信号種別を検出する工程と、
前記画像データを階調遷移方向へ強調変換する工程と、
装置内温度を検出する工程と、
現垂直期間の画像データと１垂直期間前の画像データとから指定される強調変換パラメータが格納されたテーブルメモリを参照する工程と、
前記強調変換パラメータを用いて、前記画像データに強調演算を施す工程と、
前記演算による出力データに対し、前記信号種別の検出結果と前記装置内温度の検出結果とに応じて、異なる係数を乗算する工程とを有することを特徴とする液晶表示制御方法。
【請求項１３】
少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、
前記液晶表示パネルは、複数の放送方式の画像データを表示可能であり、
入力画像データが第１の放送方式の映像信号であるか、当該第１の放送方式の映像信号とは垂直周波数の異なる第２の放送方式の映像信号であるかの信号種別を検出する工程と、
前記画像データを階調遷移方向へ強調変換する工程と、
装置内温度を検出する工程と、
前記入力画像データが第１の放送方式の映像信号である場合に参照する、現垂直期間の画像データと１垂直期間前の画像データとから指定される強調変換パラメータが格納されたテーブルメモリを参照する工程と、
前記入力画像データが第２の放送方式の映像信号である場合に参照する、現垂直期間の画像データと１垂直期間前の画像データとから指定される強調変換パラメータが格納されたテーブルメモリを参照する工程と、
前記信号種別の検出結果に応じて、前記テーブルメモリから読み出される前記強調変換パラメータを用いて、前記画像データに強調演算を施す工程と、
前記演算による出力データに対し、前記装置内温度の検出結果に応じて異なる係数を乗算する工程とを有することを特徴とする液晶表示制御方法。
【請求項１４】
少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、
前記液晶表示パネルは、複数の放送方式の画像データを表示可能であり、
入力画像データが第１の放送方式の映像信号であるか、当該第１の放送方式の映像信号とは垂直周波数の異なる第２の放送方式の映像信号であるかの信号種別を検出する工程と、
前記画像データを階調遷移方向へ強調変換する工程と、
装置内温度を検出する工程と、
前記入力画像データが第１の放送方式の映像信号である場合に参照する、複数の装置内温度毎に対応して、現垂直期間の画像データと１垂直期間前の画像データとから指定される強調変換パラメータが格納されたテーブルメモリを参照する工程と、
前記入力画像データが第２の放送方式の映像信号である場合に参照する、複数の装置内温度毎に対応して、現垂直期間の画像データと１垂直期間前の画像データとから指定される強調変換パラメータが格納されたテーブルメモリを参照する工程と、
前記信号種別の検出結果と前記装置内温度の検出結果とに応じて、前記テーブルメモリから読み出される前記強調変換パラメータを用いて、前記画像データに強調演算を施す工程とを有することを特徴とする液晶表示制御方法。
【請求項１５】
複数の放送方式の画像データを表示可能で、しかも、少なくとも１垂直期間前の画像データと現垂直期間の画像データとに基づいて、液晶表示パネルへ供給する画像データを、前記液晶表示パネルが所定期間内において前記画像データの定める透過率となるように強調変換することにより、前記液晶表示パネルの光学応答特性を補償する液晶テレビジョン受像機を制御するコンピュータのプログラムであって、
請求項８〜１４のいずれか１項に記載の各工程を上記コンピュータに実行させるプログラム。
【請求項１６】
請求項１５記載のプログラムを記録した記録媒体。
【手続補正２】
【補正対象書類名】明細書
【補正対象項目名】全文
【補正方法】変更
【補正の内容】
【発明の詳細な説明】
【技術分野】
【０００１】
本発明は、液晶表示パネルを用いて画像を表示する液晶テレビジョン受像機に関し、特に液晶表示パネルの光学応答特性を改善することができる液晶テレビジョン受像機に関するものである。
【背景技術】
【０００２】
近来、パーソナルコンピュータやテレビジョン受信機などの軽量化、薄形化によってディスプレイ装置も軽量化、薄形化が要求されており、このような要求に従って陰極線管（ＣＲＴ）の代わりに液晶表示装置（ＬＣＤ）のようなフラットパネル型ディスプレイが開発されている。
【０００３】
ＬＣＤは二つの基板の間に注入されている異方性誘電率を有する液晶層に電界を印加し、この電界の強さを調節して基板を透過する光の量を調節することによって所望の映像信号を得る表示装置である。このようなＬＣＤは携帯の簡便なフラットパネル型ディスプレイのうちの代表的なものであり、この中でも薄膜トランジスタ（ＴＦＴ）をスイッチング素子として用いたＴＦＴ  ＬＣＤが主に用いられている。
【０００４】
最近は、ＬＣＤがコンピュータのディスプレイ装置だけでなくテレビジョン受信機のディスプレイ装置として広く用いられるため、動画像を具現する必要が増加してきた。しかしながら、従来のＬＣＤは応答速度が遅いために動画像を具現するのは難しいという短所があった。
【０００５】
このような液晶の応答速度の問題を改善するために、１フレーム前の入力映像信号と現フレームの入力映像信号の組み合わせに応じて、予め決められた現フレームの入力映像信号に対する階調電圧より高い（オーバーシュートされた）駆動電圧或いはより低い（アンダーシュートされた）駆動電圧を液晶表示パネルに供給する液晶駆動方法が知られている（たとえば特許文献１）。以下、本願明細書においては、この駆動方式をオーバーシュート（ＯＳ）駆動と定義する。
【０００６】
また、液晶の応答速度は温度依存性が非常に大きいことが知られており、液晶表示パネルの温度が変化しても、これに対応して表示品位を損なうことなく、常に階調変化の応答速度を最適な状態に制御する液晶パネル駆動装置が、たとえば特許文献２に記載されている。
【０００７】
このように、使用環境温度に応じて、液晶表示パネルの光学応答特性を補償すべくオーバーシュート駆動を行うものについて、図１５乃至図１９とともに説明する。ここで、図１５は従来の液晶表示装置の要部構成を示すブロック図、図１６はＯＳテーブルメモリの内容例を示す説明図、図１７は制御ＣＰＵの概略構成を示す機能ブロック図、図１８は装置内温度と参照テーブルメモリとの関係を示す説明図、図１９は液晶に加える電圧と液晶の応答との関係を示す説明図である。
【０００８】
図１５において、１ａ〜１ｄは入力画像データの１フレーム期間前後における階調遷移に応じたＯＳパラメータ（強調変換パラメータ）を、装置内温度毎に対応して格納しているＯＳテーブルメモリ（ＲＯＭ）、１５は入力画像データを１フレーム分記憶するフレームメモリ（ＦＭ）、１４Ｈはこれから表示するＭ番目のフレームの入力画像データ（Current Data）と、フレームメモリ１５に保存されたＭ−１番目のフレームの入力画像データ(Previous Data) とを比較し、該比較結果（階調遷移）に対応するＯＳパラメータをＯＳテーブルメモリ（ＲＯＭ）１ａ〜１ｄのいずれかより読み出して、このＯＳパラメータに基づいてＭ番目のフレームの画像表示に要する強調変換データ（書込階調データ）を決定する強調変換部である。
【０００９】
また、１６は強調変換部１４Ｈからの強調変換データに基づいて、液晶表示パネル１７のゲートドライバ１８及びソースドライバ１９に液晶駆動信号を出力する液晶コントローラ、２０は当該装置内の温度を検出するための温度センサ、１２Ｈは温度センサ２０で検出された装置内温度に応じて、ＯＳテーブルメモリ（ＲＯＭ）１ａ〜１ｄのいずれかを選択参照して、画像データの強調変換に用いるＯＳパラメータを切り換えるための切換制御信号を強調変換部１４Ｈに出力する制御ＣＰＵである。
【００１０】
ここで、ＯＳテーブルメモリ（ＲＯＭ）１ａ〜１ｄに格納されているＯＳパラメータＬＥＶＥＬ１〜ＬＥＶＥＬ４は、それぞれ基準温度Ｔ１、Ｔ２、Ｔ３、Ｔ４（Ｔ１＜Ｔ２＜Ｔ３＜Ｔ４）の環境下における、液晶表示パネル１７の光学応答特性の実測値から予め得られるものであり、それぞれの強調変換度合いはＬＥＶＥＬ１＞ＬＥＶＥＬ２＞ＬＥＶＥＬ３＞ＬＥＶＥＬ４の関係となっている。
【００１１】
なお、たとえば表示信号レベル数すなわち表示データ数が８ビットの２５６階調である場合、ＯＳテーブルメモリ（ＲＯＭ）１ａ〜１ｄには、２５６の全ての階調に対するＯＳパラメータ（実測値）を持っていてもよいが、たとえば図１６に示すように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）の記憶容量を抑制することができる。
【００１２】
また、制御ＣＰＵ１２Ｈは、図１７に示すように、温度センサ２０による温度検出データを、予め決められた所定の閾値温度データ値Ｔｈ１，Ｔｈ２，Ｔｈ３と比較する閾値判別部１２ａと、該閾値判別部１２ａによる比較結果に応じて、ＯＳテーブルメモリ（ＲＯＭ）１ａ〜１ｄのいずれかを選択し、ＯＳパラメータＬＥＶＥＬ１〜ＬＥＶＥＬ４を切り換えるための切換制御信号を生成して出力する制御信号出力部１２ｂとを有している。
【００１３】
ここでは、たとえば図１８に示すように、温度センサ２０で検出された装置内温度が切換閾値温度Ｔｈ１（＝１５℃）以下であれば、制御ＣＰＵ１２Ｈは強調変換部１４Ｈに対し、ＯＳテーブルメモリ（ＲＯＭ）１ａを選択して参照するように指示する。これによって、強調変換部１４ＨはＯＳテーブルメモリ（ＲＯＭ）１ａに格納されているＯＳパラメータＬＥＶＥＬ１を用いて、入力画像データの強調変換処理を行う。
【００１４】
また、温度センサ２０で検出された装置内温度が切換閾値温度Ｔｈ１（＝１５℃）より大きく且つ切換閾値温度Ｔｈ２（＝２５℃）以下であれば、制御ＣＰＵ１２Ｈは強調変換部１４Ｈに対し、ＯＳテーブルメモリ（ＲＯＭ）１ｂを選択して参照するように指示する。これによって、強調変換部１４ＨはＯＳテーブルメモリ（ＲＯＭ）１ｂに格納されている強調変換パラメータＬＥＶＥＬ２を用いて、入力画像データの強調変換処理を行う。
【００１５】
さらに、温度センサ２０で検出された装置内温度が切換閾値温度Ｔｈ２（＝２５℃）より大きく且つ切換閾値温度Ｔｈ３（＝３５℃）以下であれば、制御ＣＰＵ１２Ｈは強調変換部１４Ｈに対し、ＯＳテーブルメモリ（ＲＯＭ）１ｃを選択して参照するように指示する。これによって、強調変換部１４ＨはＯＳテーブルメモリ（ＲＯＭ）１ｃに格納されている強調変換パラメータＬＥＶＥＬ３を用いて、入力画像データの強調変換処理を行う。
【００１６】
そしてまた、温度センサ２０で検出された装置内温度が切換閾値温度Ｔｈ３（＝３５℃）より大きければ、制御ＣＰＵ１２Ｈは強調変換部１４Ｈに対し、ＯＳテーブルメモリ（ＲＯＭ）１ｄを選択して参照するように指示する。これによって、強調変換部１４ＨはＯＳテーブルメモリ（ＲＯＭ）１ｄに格納されているＯＳパラメータＬＥＶＥＬ４を用いて、入力画像データの強調変換処理を行う。
【００１７】
一般的に液晶表示パネルにおいては、ある中間調から別の中間調に変更させる時間は長く、また低温時の入力信号に対する追従性が極端に悪くなり、応答時間が増大するため、中間調を１フレーム期間（たとえば６０Ｈｚのプログレッシブスキャンの場合は１６．７ｍｓｅｃ）内に表示することができず、残像が発生するだけでなく、中間調を正しく表示することができないという課題があったが、上述のオーバーシュート駆動回路を用いて、予め決められた１フレーム表示期間経過後に液晶表示パネル１７が入力画像データの定める目標階調輝度へ到達するように、入力画像データの階調レベルを階調遷移方向へ強調変換することにより、図１９に示すように、目標の中間調を短時間（１フレーム期間内）で表示することが可能となる。
【特許文献１】特開平４−３６５０９４号公報
【特許文献２】特開平４−３１８５１６号公報
【発明の開示】
【発明が解決しようとする課題】
【００１８】
ところで、上述したオーバーシュート駆動方法においては、予め決められた１垂直表示期間経過後に液晶表示パネルが入力画像データの定める目標階調輝度へ到達するように、入力画像データの階調レベルを階調遷移方向へ強調変換するものであり、同一条件であっても、放送方式の異なる入力画像データが入力され、入力画像データの垂直周波数（垂直表示周期）が異なると、１垂直表示期間経過後に液晶が到達する階調輝度も異なってしまうため、オーバーシュート駆動を正しく動作させることができない。
【００１９】
たとえば、現在のテレビジョン放送には、垂直周波数が６０Ｈｚ（走査線５２５本）であるＮＴＳＣ方式と、垂直周波数が５０Ｈｚ（走査線６２５本）であるＰＡＬ方式、ＳＥＣＡＭ方式とがあり、これら複数の放送方式のテレビジョン信号を受信して表示することが可能なマルチテレビジョン受像機が開発されているが、上述した従来の液晶表示装置をこのようなマルチテレビジョン受像機に適用した場合、オーバーシュート駆動を正しく動作させることができず、フレーム間データの誤差が拡大して、本来の入力画像データにはない映像ノイズを作り出すことになり、表示画像の画質を劣化させてしまうという問題があった。
【００２０】
解決しようとする問題点は、入力画像データのテレビジョン放送方式（映像フォーマット）が異なるにもかかわらず、該入力画像データに対して同一の強調変換処理を施すと、フレーム間データの誤差が拡大して、本来の入力画像データにはない映像ノイズが生じて画質劣化を招く可能性がある点である。
【課題を解決するための手段】
【００２１】
請求項１の液晶テレビジョン受像機は、少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、前記液晶テレビジョン受像機は、複数の放送方式の画像データを表示可能であり、さらに、入力画像データが第１の放送方式の映像信号であるか、当該第１の放送方式の映像信号とは垂直周波数の異なる第２の放送方式の映像信号であるかの信号種別を検出する信号種別検出手段と、前記画像データを階調遷移方向へ強調変換する強調変換手段と、装置内温度を検出する温度検出手段と、複数の装置内温度毎に対応して、現垂直期間の画像データと１垂直期間前の画像データとから指定される強調変換パラメータが格納されたテーブルメモリとを備え、前記強調変換手段は、前記信号種別検出手段による検出結果によって定められた切換温度と前記温度検出手段の検出結果との比較結果に応じて、前記テーブルメモリから読み出される前記強調変換パラメータを用いて、前記画像データに強調演算を施す演算部を有することを特徴としている。なお、前記強調手段としては、前記液晶表示パネルが所定期間（画素書き換え周期）内において前記画像データの定める透過率となるように、前記画像データの強調変換を行う強調変換手段が挙げられる。
【００２２】
また、請求項２の液晶テレビジョン受像機は、少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、前記液晶テレビジョン受像機は、複数の放送方式の画像データを表示可能であり、さらに、入力画像データが第１の放送方式の映像信号であるか、当該第１の放送方式の映像信号とは垂直周波数の異なる第２の放送方式の映像信号であるかの信号種別を検出する信号種別検出手段と、前記画像データを階調遷移方向へ強調変換する強調変換手段と、装置内温度を検出する温度検出手段と、複数の装置内温度毎に対応して、現垂直期間の画像データと１垂直期間前の画像データとから指定される強調変換パラメータが格納されたテーブルメモリとを備え、前記テーブルメモリの一部または全部は、各信号種別がいずれの場合にも参照可能であり、前記強調変換手段は、前記信号種別検出手段による検出結果と、前記温度検出手段の検出結果とに応じて、前記テーブルメモリのいずれかを切り換え参照し、参照されたテーブルメモリから読み出される前記強調変換パラメータを用いて、前記画像データに対する強調変換処理を行うことを特徴とする。
【００２３】
また、請求項３の液晶テレビジョン受像機は、前記強調変換パラメータの切り換え選択を制御する制御手段を備え、前記制御手段は、前記温度検出手段により検出された温度データに対して、前記入力画像データの信号種別毎に定められた所定の演算を施す演算部と、前記演算部により演算が施された温度データと、予め決められた所定の閾値温度データとを比較する閾値判別部と、前記閾値判別部による比較結果に応じて、前記強調変換パラメータを切り換え制御する切換制御信号を生成する制御信号出力部とを有することを特徴とする。
【００２４】
さらに、請求項４の液晶テレビジョン受像機は、前記強調変換パラメータの切り換え選択を制御する制御手段を備え、前記制御手段は、前記温度検出手段により検出された温度データと、前記入力画像データの信号種別毎に決められた所定の閾値温度データとを比較する閾値判別部と、前記閾値判別部による比較結果に応じて、前記強調変換パラメータを切り換え制御する切換制御信号を生成する制御信号出力部とを有することを特徴とする。
【００２５】
また、請求項５の液晶テレビジョン受像機は、少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、前記液晶テレビジョン受像機は、複数の放送方式の画像データを表示可能であり、さらに、入力画像データが第１の放送方式の映像信号であるか、当該第１の放送方式の映像信号とは垂直周波数の異なる第２の放送方式の映像信号であるかの信号種別を検出する信号種別検出手段と、前記画像データを階調遷移方向へ強調変換する強調変換手段と、装置内温度を検出する温度検出手段と、現垂直期間の画像データと１垂直期間前の画像データとから指定される強調変換パラメータが格納されたテーブルメモリとを備え、前記強調変換手段は、前記強調変換パラメータを用いて、前記画像データに強調演算を施す演算部と、前記演算部の出力データに対し、前記信号種別検出手段による検出結果と前記温度検出手段の検出結果とに応じて、異なる係数を乗算する乗算部とを有することを特徴とする。
【００２６】
さらに、請求項６の液晶テレビジョン受像機は、少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、前記液晶テレビジョン受像機は、複数の放送方式の画像データを表示可能であり、さらに、入力画像データが第１の放送方式の映像信号であるか、当該第１の放送方式の映像信号とは垂直周波数の異なる第２の放送方式の映像信号であるかの信号種別を検出する信号種別検出手段と、前記画像データを階調遷移方向へ強調変換する強調変換手段と、装置内温度を検出する温度検出手段と、前記入力画像データが第１の放送方式の映像信号である場合に参照する、現垂直期間の画像データと１垂直期間前の画像データとから指定される強調変換パラメータが格納されたテーブルメモリと、前記入力画像データが第２の放送方式の映像信号である場合に参照する、現垂直期間の画像データと１垂直期間前の画像データとから指定される強調変換パラメータが格納されたテーブルメモリとを備え、前記強調変換手段は、前記信号種別検出手段による検出結果に応じて、前記テーブルメモリから読み出される前記強調変換パラメータを用いて、前記画像データに強調演算を施す演算部と、前記演算部の出力データに対し、前記温度検出手段の検出結果に応じて異なる係数を乗算する乗算部とを有することを特徴とする。
【００２７】
また、請求項７の液晶テレビジョン受像機は、少なくとも１垂直期間前の画像データと現垂直期間の画像データとに基づいて、液晶表示パネルへ供給する画像データを強調変換することにより、前記液晶表示パネルの光学応答特性を補償する液晶テレビジョン受像機であって、前記液晶テレビジョン受像機は、複数の放送方式の画像データを表示可能であり、さらに、入力画像データが第１の放送方式の映像信号であるか、当該第１の放送方式の映像信号とは垂直周波数の異なる第２の放送方式の映像信号であるかの信号種別を検出する信号種別検出手段と、前記画像データを階調遷移方向へ強調変換する強調変換手段と、装置内温度を検出する温度検出手段と、前記入力画像データが第１の放送方式の映像信号である場合に参照する、複数の装置内温度毎に対応して、現垂直期間の画像データと１垂直期間前の画像データとから指定される強調変換パラメータが格納されたテーブルメモリと、前記入力画像データが第２の放送方式の映像信号である場合に参照する、複数の装置内温度毎に対応して、現垂直期間の画像データと１垂直期間前の画像データとから指定される強調変換パラメータが格納されたテーブルメモリとを備え、前記強調変換手段は、前記信号種別検出手段による検出結果と前記温度検出手段の検出結果とに応じて、前記テーブルメモリから読み出される前記強調変換パラメータを用いて、前記画像データに強調演算を施す演算部を有することを特徴とする。
【００２８】
さらに、請求項８の液晶表示制御方法は、少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、前記液晶表示パネルは、複数の放送方式の画像データを表示可能であり、入力画像データが第１の放送方式の映像信号であるか、当該第１の放送方式の映像信号とは垂直周波数の異なる第２の放送方式の映像信号であるかの信号種別を検出する工程と、前記画像データを階調遷移方向へ強調変換する工程と、装置内温度を検出する工程と、複数の装置内温度毎に対応して、現垂直期間の画像データと１垂直期間前の画像データとから指定される強調変換パラメータが格納されたテーブルメモリを参照する工程と、前記信号種別の検出結果によって定められた切換温度と前記装置内温度の検出結果との比較結果に応じて、前記テーブルメモリから読み出される前記強調変換パラメータを用いて、前記画像データに強調演算を施す工程とを有することを特徴とする。なお、上記強調変換する工程としては、前記液晶表示パネルが所定期間内において前記画像データの定める透過率となるように、前記画像データの強調変換を行う工程が挙げられる。
【００２９】
また、請求項９の液晶表示制御方法は、少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、前記液晶表示パネルは、複数の放送方式の画像データを表示可能であり、入力画像データが第１の放送方式の映像信号であるか、当該第１の放送方式の映像信号とは垂直周波数の異なる第２の放送方式の映像信号であるかの信号種別を検出する工程と、前記画像データを階調遷移方向へ強調変換する工程と、装置内温度を検出する工程とを含み、前記強調変換する工程は、複数の装置内温度毎に対応して設けられ、現垂直期間の画像データと１垂直期間前の画像データとから指定される強調変換パラメータが格納されたテーブルメモリであって、それらの一部または全部は、各信号種別がいずれの場合にも参照可能なテーブルメモリのうちのいずれかを、前記信号種別検出手段による検出結果と、前記温度検出手段の検出結果とに応じて切り換え参照し、参照されたテーブルメモリから読み出される前記強調変換パラメータを用いて、前記画像データに対する強調変換処理を行うことを特徴とする。
【００３０】
また、請求項１０の液晶表示制御方法は、前記装置内温度の検出結果である温度データに対して、前記入力画像データの信号種別毎に定められた所定の演算を施す工程と、前記演算が施された温度データと、予め決められた所定の閾値温度データとを比較する工程と、前記比較の結果に応じて、前記強調変換パラメータを切り換え制御する切換制御信号を生成する工程とを有することを特徴とする。
【００３１】
さらに、請求項１１の液晶表示制御方法は、前記装置内温度の検出結果である温度データと、前記入力画像データの信号種別毎に決められた所定の閾値温度データとを比較する工程と、前記比較の結果に応じて、前記強調変換パラメータを切り換え制御する切換制御信号を生成する工程とを有することを特徴とする。
【００３２】
また、請求項１２の液晶表示制御方法は、少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、前記液晶表示パネルは、複数の放送方式の画像データを表示可能であり、入力画像データが第１の放送方式の映像信号であるか、当該第１の放送方式の映像信号とは垂直周波数の異なる第２の放送方式の映像信号であるかの信号種別を検出する工程と、前記画像データを階調遷移方向へ強調変換する工程と、装置内温度を検出する工程と、現垂直期間の画像データと１垂直期間前の画像データとから指定される強調変換パラメータが格納されたテーブルメモリを参照する工程と、前記強調変換パラメータを用いて、前記画像データに強調演算を施す工程と、前記演算による出力データに対し、前記信号種別の検出結果と前記装置内温度の検出結果とに応じて、異なる係数を乗算する工程とを有することを特徴とする。
【００３３】
さらに、請求項１３の液晶表示制御方法は、少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、前記液晶表示パネルは、複数の放送方式の画像データを表示可能であり、入力画像データが第１の放送方式の映像信号であるか、当該第１の放送方式の映像信号とは垂直周波数の異なる第２の放送方式の映像信号であるかの信号種別を検出する工程と、前記画像データを階調遷移方向へ強調変換する工程と、装置内温度を検出する工程と、前記入力画像データが第１の放送方式の映像信号である場合に参照する、現垂直期間の画像データと１垂直期間前の画像データとから指定される強調変換パラメータが格納されたテーブルメモリを参照する工程と、前記入力画像データが第２の放送方式の映像信号である場合に参照する、現垂直期間の画像データと１垂直期間前の画像データとから指定される強調変換パラメータが格納されたテーブルメモリを参照する工程と、前記信号種別の検出結果に応じて、前記テーブルメモリから読み出される前記強調変換パラメータを用いて、前記画像データに強調演算を施す工程と、前記演算による出力データに対し、前記装置内温度の検出結果に応じて異なる係数を乗算する工程とを有することを特徴とする。
【００３４】
また、請求項１４の液晶表示制御方法は、少なくとも１垂直期間前の画像データと現垂直期間の画像データとに基づいて、液晶表示パネルへ供給する画像データを強調変換することにより、前記液晶表示パネルの光学応答特性を補償する液晶表示制御方法であって、前記液晶表示パネルは、複数の放送方式の画像データを表示可能であり、入力画像データが第１の放送方式の映像信号であるか、当該第１の放送方式の映像信号とは垂直周波数の異なる第２の放送方式の映像信号であるかの信号種別を検出する工程と、前記画像データを階調遷移方向へ強調変換する工程と、装置内温度を検出する工程と、前記入力画像データが第１の放送方式の映像信号である場合に参照する、複数の装置内温度毎に対応して、現垂直期間の画像データと１垂直期間前の画像データとから指定される強調変換パラメータが格納されたテーブルメモリを参照する工程と、前記入力画像データが第２の放送方式の映像信号である場合に参照する、複数の装置内温度毎に対応して、現垂直期間の画像データと１垂直期間前の画像データとから指定される強調変換パラメータが格納されたテーブルメモリを参照する工程と、前記信号種別の検出結果と前記装置内温度の検出結果とに応じて、前記テーブルメモリから読み出される前記強調変換パラメータを用いて、前記画像データに強調演算を施す工程とを有することを特徴とする。
【００３５】
なお、垂直期間は、１フレーム（１コマ）の期間に相当し、例えば、画像データの１フレーム（１コマ）の画像全体を、画像データの１フレーム期間に渡って書き込み走査する場合、１垂直期間は１垂直表示期間と一致する。また、上記画像データの強調変換は画素単位で行なわれる。さらに、前記乗算部における係数は、前記入力画像データが第２の放送方式の映像信号である場合、前記入力画像データが第１の放送方式の映像信号である場合に比べて小さくなるように設定されていてもよい。また、前記強調変換パラメータは、前記入力画像データが第１の放送方式の映像信号である場合に読み出されるものに比べて、前記入力画像データが第２の放送方式の映像信号である場合に読み出されるものが小さい値であってもよい。
【００３６】
ところで、上記液晶テレビジョン受像機は、ハードウェアで実現してもよいし、プログラムをコンピュータに実行させることによって実現してもよい。具体的には、請求項１５のプログラムは、複数の放送方式の画像データを表示可能で、しかも、少なくとも１垂直期間前の画像データと現垂直期間の画像データとに基づいて、液晶表示パネルへ供給する画像データを、前記液晶表示パネルが所定期間内において前記画像データの定める透過率となるように強調変換することにより、前記液晶表示パネルの光学応答特性を補償する液晶テレビジョン受像機を制御するコンピュータのプログラムであって、請求項８〜１４のいずれか１項に記載の各工程を上記コンピュータに実行させるプログラムである。また、請求項１６記載の記録媒体は、上記プログラムを記録した記録媒体である。
【００３７】
本発明の液晶テレビジョン受像機は、信号種別検出手段により入力画像データが第１の放送方式（映像フォーマット）の映像信号であるか第２の放送方式（映像フォーマット）の映像信号であるかの信号種別を検出し、その検出した信号種別に応じて入力画像データの強調変換を行う。その際、信号種別の検出結果に応じて、強調変換手段における入力画像データに対する強調変換度合いを可変制御し、入力画像データが第１の放送方式（映像フォーマット）の映像信号である場合に比べて、フレーム周期が長い第２の放送方式（映像フォーマット）の映像信号の入力画像データに対する強調変換度合いを小さくする。従って、いずれの放送方式（映像フォーマット）による入力画像データに対しても、常に液晶表示パネルが所定期間（画素書き換え周期）内において該入力画像データの定める透過率となるように、該入力画像データの強調変換を行うことが可能となり、高画質の画像表示を実現することができる。
【発明の効果】
【００３８】
本発明の液晶テレビジョン受像機は、複数の異なるテレビジョン放送方式（映像フォーマット）の入力画像データに対し、常に適切な強調変換データを求めて、液晶表示パネルに供給することが可能となり、どのような放送方式（映像フォーマット）の画像データを表示する場合であっても、高画質の画像表示を実現することができる。
【発明を実施するための最良の形態】
【００３９】
本発明の液晶表示装置（液晶テレビジョン受像機）においては、液晶の応答速度を改善するために、入力画像データに対して上述したオーバーシュート駆動により強調変換処理を施すが、その際、ＰＡＬ方式又はＳＥＣＡＭ方式（５０Ｈｚ）の映像信号は、ＮＴＳＣ方式（６０Ｈｚ）の映像信号に比べてフレーム周期が長く、これらの画像データに同一の強調変換処理を施すと、１フレーム期間経過後における液晶表示パネルの到達階調輝度に誤差が生じ、表示画像の画質が劣化することを防止する。その際、入力画像データがＰＡＬ方式又はＳＥＣＡＭ方式（５０Ｈｚ）の映像信号である場合には、入力画像データがＮＴＳＣ方式（６０Ｈｚ）の映像信号である場合に比べて、画像データに対する強調変換度合いをより小さくする。これによって、いずれの放送方式（映像フォーマット）の画像データに対しても、液晶表示パネルの光学応答特性を補償して、残像や尾引きの発生を抑制するとともに、画像データの過度な強調変換による映像ノイズの発生を防止して高画質の画像表示を行うことが可能となる。ここで、ＮＴＳＣ方式（６０Ｈｚ）の映像信号を第１の放送方式（映像フォーマット）の映像信号、ＰＡＬ方式又はＳＥＣＡＭ方式（５０Ｈｚ）の映像信号を第２の放送方式（映像フォーマット）の映像信号とする。
【００４０】
（実施形態１）
図１は本発明の液晶表示装置の実施形態１を説明するための図、図２は図１のＯＳテーブルメモリ（ＲＯＭ）を参照して得られるＯＳパラメータと、放送方式（映像フォーマット）によって異なる信号種別データに応じて与えられる乗算係数とを用いて、液晶表示パネルに供給する強調変換データを求める場合を説明するための図である。なお、以下に説明する図において、図１５と共通する部分には同一符号を付すものとする。また、以下の説明においては、各実施形態における強調変換部による強調変換が異なるため、それぞれの実施形態においては符号１４Ａ〜１４Ｆのいずれかを付している。同様に、各実施形態における制御ＣＰＵによる制御も異なるため、それぞれの実施形態では符号１２Ａ〜１２Ｇのいずれかを付している。
【００４１】
図１に示す実施形態１の液晶表示装置は、液晶表示パネルの光学応答速度を改善するために、画像データに対する強調変換処理を施すものであり、その際、入力画像データがＰＡＬ方式又はＳＥＣＡＭ方式である場合の入力画像データに対する強調変換度合いを、入力画像データがＮＴＳＣ方式（６０Ｈｚ）である場合より小さくするものであって、映像信号種別検出部１０、制御ＣＰＵ１２Ａ、強調変換部１４Ａ、フレームメモリ１５、液晶コントローラ１６、液晶表示パネル１７を備えている。
【００４２】
信号種別検出手段としての映像信号種別検出部１０は、入力画像データがＮＴＳＣ方式（６０Ｈｚ）の映像信号であるかＰＡＬ方式又はＳＥＣＡＭ方式（５０Ｈｚ）の映像信号であるかの信号種別を検出する。
【００４３】
一例として、映像信号種別検出部１０は、上述した複数の放送方式のテレビジョン信号を受信し、受信したテレビジョン信号を入力画像データへデコードするチューナ・デコーダ部に設けられており、当該映像信号種別検出部１０は、ＳＥＣＡＭ方式の映像信号であれば含まれているＳＥＣＡＭ  ＩＤが、入力された映像信号に含まれているか否かを判定して、入力された映像信号がＳＥＣＡＭ方式であるか否かを判定できる。また、ＰＡＬ方式は、１水平ライン毎に、バースト（Ｒ−Ｙ）の位相が反転しているのに対して、ＮＴＳＣ方式は、１水平ライン毎には、バースト（Ｒ−Ｙ）の位相が反転していないので、映像信号種別検出部１０は、入力された映像信号のバースト（Ｒ−Ｙ）の位相が１水平ライン毎に反転しているか否かを識別し、反転していれば、ＰＡＬ方式、反転していなければ、ＮＴＳＣ方式と判定できる。また、ＰＡＬ方式の映像信号には、副搬送波が３．５８ＭＨｚの映像信号と、４．４３ＭＨｚの映像信号とが存在するが、映像信号種別検出部１０は、入力された映像信号の副搬送波の周波数に応じて、両者のいずれであるかを判定できる。なお、ＮＴＳＣ方式の映像信号の副搬送波の周波数は、３．５８ＭＨｚなので、映像信号種別検出部１０は、副搬送波の周波数によって、副搬送波が４．４３ＭＨｚの映像信号ＰＡＬ方式か否かを判定し、その後に、上記バースト（Ｒ−Ｙ）の位相が１水平ライン毎に反転しているか否かに基づいて、ＮＴＳＣ方式の映像信号か、副搬送波が３．５８ＭＨｚの映像信号ＰＡＬ方式かを判定してもよい。また、上記映像信号種別検出部１０は、たとえば放送方式の識別信号等から信号種別を求めてもよい。なお、上記映像信号検出部１０は、入力画像データが第１の放送方式の映像信号であるか、当該第１の放送方式の映像信号とは垂直周波数の異なる第２の放送方式の映像信号であるかの信号種別を判定できればよく、例えば、入力画像データの垂直同期信号からその周波数を直接検出して信号種別を判定してもよい。
【００４４】
一方、制御手段としての制御ＣＰＵ１２Ａは、映像信号種別検出部１０によって検出された信号種別に応じて強調変換部１４Ａによる強調変換処理を制御する。
【００４５】
強調変換手段としての強調変換部１４Ａは、制御ＣＰＵ１２Ａによる制御により、これから表示する現フレームの画像データ（現垂直期間の画像データ）と、フレームメモリ１５に格納された１フレーム前の画像データ（１垂直期間前の画像データ）とを比較し、その比較結果である階調遷移パターンに応じたＯＳパラメータ（強調変換パラメータ）をＯＳテーブルメモリ（ＲＯＭ）１３から読み出し、この読み出したＯＳパラメータに基づいて、これから表示する現フレームの画像表示に要する強調変換データ（書込階調データ）を求め、液晶コントローラ１６に出力する。
【００４６】
この場合、図２に示すように、ＯＳテーブルメモリ（ＲＯＭ）１３を参照して得られるＯＳパラメータと、入力画像データの信号種別（放送フォーマット）に応じて与えられる乗算係数とを用いることで、液晶表示パネル１７に供給する強調変換データを求めることができる。すなわち、演算部１４ｄにより、これから表示するＭ番目のフレームの入力画像データ（Current Data）と、フレームメモリ１５に格納されたＭ−１番目のフレームの入力画像データ(Previous Data) とを比較し、その比較結果（階調遷移）に対応する（すなわち、その比較結果により指定される）ＯＳパラメータをＯＳテーブルメモリ（ＲＯＭ）１３から読み出し、線形補完等の演算を施すことにより、強調演算データを出力する。
【００４７】
そして、減算器１４ａによって現フレームの画像データからその強調演算データを減算して差分データを求め、乗算器１４ｂによってその差分データに対し制御ＣＰＵ１２Ａからの係数切換制御信号により切り換えられる乗算係数α1 又はβ1 を乗算し、加算器１４ｃによってその乗算係数が乗算された差分データを現フレームの画像データに加算し、その加算したデータを強調変換データとして液晶コントローラ１６に与える。これにより、異なる信号種別の入力画像データに対し、液晶画素が所定期間内において入力画像データの定める透過率となるように駆動表示される。ここで、所定期間とは１フレーム画像の表示期間（画素書き換え周期）であり、通常のホールド型表示の場合、１フレーム期間（たとえば６０Ｈｚのプログレッシブスキャンの場合は１６．７ｍｓｅｃ、５０Ｈｚのプログレッシブスキャンの場合は２０．０ｍｓｅｃ）であり、たとえば１フレーム期間の５０％の期間に黒表示を行う擬似インパルス型表示とした場合には、画像表示期間は１／２フレーム期間（たとえば６０Ｈｚのプログレッシブスキャンの場合は８．３ｍｓｅｃ、５０Ｈｚのプログレッシブスキャンの場合は１０．０ｍｓｅｃ）となる。
【００４８】
また、入力画像データがＮＴＳＣ方式（６０Ｈｚ）の映像信号の場合の乗算係数はα1 ＝１とし、入力画像データがＰＡＬ方式又はＳＥＣＡＭ方式（５０Ｈｚ）の映像信号の場合の乗算係数はβ1 ＜１としている。これにより、入力画像データがＮＴＳＣ方式（６０Ｈｚ）の映像信号の場合には、乗算係数α1 （＝１）が選択されて、液晶画素が所定期間内において入力画像データの定める透過率となるように、画像データの強調変換を行うことにより、残像や尾引きが発生しない高画質の画像表示が行われる。
【００４９】
一方、入力画像データがＰＡＬ方式又はＳＥＣＡＭ方式（５０Ｈｚ）の映像信号の場合は、乗算係数β１（＜１）が選択されて、強調変換度合いをより小さくすることができる。これにより、ＰＡＬ方式又はＳＥＣＡＭ方式（５０Ｈｚ）の映像信号は、ＮＴＳＣ方式（６０Ｈｚ）の映像信号に比べてフレーム周期が長いが、液晶画素が所定期間内において入力画像データの定める透過率となるように、画像データの強調変換を行うことにより、残像や尾引きが発生しない高画質の画像表示が行われる。すなわち、画像データに対する過度の強調変換によって液晶が過剰応答し、本来の入力画像データにはない映像ノイズが発生することを防止することが可能となる。
【００５０】
なお、ＯＳテーブルメモリ（ＲＯＭ）１３には、表示データ数が８ビットの２５６階調である場合、２５６の全ての階調に対するＯＳパラメータ（実測値）を持たせてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３の記憶容量を抑制することができる。
【００５１】
フレームメモリ１５は、１フレーム分の画像データを格納することができるものであって、これから表示される現フレームの画像データに対し、１フレーム前の画像データが格納されている。液晶コントローラ１６は、強調変換部１４Ａからの強調変換データに基づき、ゲートドライバ１８及びソースドライバ１９を駆動し、液晶表示パネル１７に対し画像表示を行わせる。液晶表示パネル１７は、上述した非線形素子（スイッチング素子）であるＴＦＴ（Thin Film Transistor）を有し、ゲートドライバ１８及びソースドライバ１９の駆動により画像表示を行う。
【００５２】
次に、上述した実施形態１での入力画像データの強調変換による液晶表示制御方法について説明する。
【００５３】
まず、入力画像データがあると、映像信号種別検出部１０により、ＮＴＳＣ方式（６０Ｈｚ）の映像信号であるかＰＡＬ方式又はＳＥＣＡＭ方式（５０Ｈｚ）の映像信号であるかの信号種別が検出される。
【００５４】
ここで、たとえばＮＴＳＣ方式（６０Ｈｚ）の映像信号が検出されると、映像信号種別検出部１０から制御ＣＰＵ１２Ａに対し、ＮＴＳＣ方式（６０Ｈｚ）の映像信号を検出したことが通知される。
【００５５】
このとき、制御ＣＰＵ１２Ａにより強調変換部１４Ａに対して、入力画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data) とが比較され、その比較結果（階調遷移）に対応するＯＳパラメータがＯＳテーブルメモリ（ＲＯＭ）１３から読み出され、強調演算データが求められる。なお、この強調演算データは、ＮＴＳＣ方式の画像データに対し、液晶表示パネル１７が所定期間内においてこれから表示するＭ番目のフレームの入力画像データにより定められる透過率に到達可能なデータである。減算器１４ａによってその強調演算データとこれから表示するＭ番目のフレームの入力画像データとの差分データが求められる。
【００５６】
ここで、制御ＣＰＵ１２ＡによりＮＴＳＣ方式（６０Ｈｚ）の映像信号の場合の乗算係数α1 （＝１）が選択されるため、乗算器１４ｂによって減算器１４ａによる差分データに対し乗算係数α1 （＝１）が乗算され（すなわち、差分データがそのまま出力され）、加算器１４ｃによってその乗算されたデータとこれから表示するＭ番目のフレームの入力画像データとが加算され、その加算されたデータが強調変換データとして液晶コントローラ１６に与えられる（従って、この場合、液晶表示パネル１７に供給される強調変換データは、演算部１４ｄによる強調演算データと等しい）。これにより、入力画像データがＮＴＳＣ方式（６０Ｈｚ）の映像信号の場合には、液晶画素が所定期間内において入力画像データの定める透過率となるように表示駆動されるので、液晶表示パネル１７の光学応答特性を補償して、残像や尾引きのない高画質の画像表示が行われる。
【００５７】
これに対し、映像信号種別検出部１０により、ＰＡＬ方式又はＳＥＣＡＭ方式（５０Ｈｚ）の映像信号が検出されると、制御ＣＰＵ１２Ａにより強調変換部１４Ａに対して、ＰＡＬ方式又はＳＥＣＡＭ方式（５０Ｈｚ）の入力画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data) とが比較され、その比較結果（階調遷移）に対応するＯＳパラメータがＯＳテーブルメモリ（ＲＯＭ）１３から読み出され、強調演算データが求められる。なお、この強調演算データは、ＮＴＳＣ方式の画像データに対し、液晶表示パネル１７が所定期間内においてこれから表示するＭ番目のフレームの入力画像データにより定められる透過率に到達可能なデータである。減算器１４ａによってその強調演算データとこれから表示するＭ番目のフレームの入力画像データとの差分データが求められる。
【００５８】
ここで、制御ＣＰＵ１２ＡによりＰＡＬ方式又はＳＥＣＡＭ方式（５０Ｈｚ）の映像信号の場合の乗算係数β1 （＜１）が選択されるため、乗算器１４ｂによって減算器１４ａによる差分データに対し乗算係数β1 が乗算され（すなわち、差分データが低減されて出力され）、加算器１４ｃによってその乗算されたデータとこれから表示するＭ番目のフレームの入力画像データとが加算され、その加算されたデータが強調変換データとして液晶コントローラ１６に与えられる（従って、この場合、液晶表示パネル１７に供給される強調変換データは、演算部１４ｄによる強調演算データより強調変換度合いが小さい）。これにより、入力画像データがＰＡＬ方式又はＳＥＣＡＭ方式（５０Ｈｚ）の映像信号の場合にも、液晶画素が所定期間内において入力画像データの定める透過率となるように表示駆動されるので、液晶表示パネル１７の光学応答特性を補償して、残像や尾引きのない高画質の画像表示が行われる。
【００５９】
以上のように、実施形態１では、映像信号種別検出部１０によりＮＴＳＣ方式（６０Ｈｚ）の映像信号が検出された場合、強調変換部１４Ａにより現フレームの入力画像データと１フレーム前の入力画像データとの比較結果（階調遷移）に対応するＯＳパラメータをＯＳテーブルメモリ（ＲＯＭ）１３から読み出し、その読み出したＯＳパラメータに基づいて得られた強調演算データを強調変換データとして液晶コントローラ１６に出力するようにしたので、液晶画素が所定期間内において入力画像データの定める透過率となるように表示駆動することができ、残像や尾引きのない高画質の画像表示を行うことが可能である。
【００６０】
これに対し、映像信号種別検出部１０によりＰＡＬ方式又はＳＥＣＡＭ方式（５０Ｈｚ）の映像信号が検出された場合、強調変換部１４Ａにより現フレームの入力画像データと１フレーム前の入力画像データとの比較結果（階調遷移）に対応するＯＳパラメータをＯＳテーブルメモリ（ＲＯＭ）１３から読み出し、その読み出したＯＳパラメータに基づいて得られた強調演算データより強調変換度合いを小さくして、強調変換データとして液晶コントローラ１６に出力するようにしたので、入力画像データの過強調による映像ノイズの発生を防止しつつ、液晶画素が所定期間内において入力画像データの定める透過率となるように表示駆動することができ、残像や尾引きのない高画質の画像表示を行うことが可能である。
【００６１】
また、本実施形態に係る液晶表示装置は、少なくとも１フレーム前の画像データと現フレームの画像データとの比較を行い、該比較結果に基づいて、液晶表示パネルへ供給する画像データを強調変換することにより、前記液晶表示パネルの光学応答特性を補償する液晶表示装置であって、入力画像データが第１の放送方式（映像フォーマット）によるものか第２の放送方式（映像フォーマット）によるものかの信号種別を検出する信号種別検出手段と、前記液晶表示パネルが所定期間内において前記画像データの定める透過率となるように、前記画像データの強調変換を行う強調変換手段とを備え、前記信号種別検出手段による検出結果に応じて、前記強調変換手段における前記画像データに対する強調変換度合いを可変制御する。
【００６２】
したがって、複数の異なる放送方式（映像フォーマット）の入力画像データに対し、常に適切な強調変換データを求めて、液晶表示パネルに供給することが可能となり、どのような放送方式の画像データを表示する場合であっても、高画質の画像表示を実現することができる。なお、当該液晶表示装置は、液晶表示パネルを用いて画像表示を行う液晶表示装置であればよく、また、このような表示装置を搭載しているパーソナルコンピュータ、テレビジョン受信機等の身近な機器に限らず、計測機器、医療機器、産業機器全般等にも適用可能である。
【００６３】
（実施形態２）
図３は入力画像データがＮＴＳＣ方式（６０Ｈｚ）の映像信号である場合に、画像データの強調変換に用いるＯＳパラメータが格納されたＯＳテーブルメモリ（ＲＯＭ）と、入力画像データがＰＡＬ方式又はＳＥＣＡＭ方式（５０Ｈｚ）の映像信号である場合に、画像データの強調変換に用いるＯＳパラメータが格納されたＯＳテーブルメモリ（ＲＯＭ）とを個別に設けた場合の実施形態２を示す図である。なお、以下に説明する図において、図１と共通する部分には同一符号を付し重複する説明を省略する。
【００６４】
図３に示す液晶表示装置では、入力画像データがＮＴＳＣ方式（６０Ｈｚ）の映像信号である場合に参照するＯＳテーブルメモリ（ＲＯＭ）１３ａと、入力画像データがＰＡＬ方式又はＳＥＣＡＭ方式（５０Ｈｚ）の映像信号である場合に参照するＯＳテーブルメモリ（ＲＯＭ）１３ｂとを備え、映像信号種別検出部１０により検出された入力画像データの信号種別（放送フォーマット）に応じてＯＳテーブルメモリ（ＲＯＭ）１３ａ，１３ｂのいずれかを切り換え参照して、画像データの強調変換処理を行うようにしている。
【００６５】
また、ＯＳテーブルメモリ（ＲＯＭ）１３ｂ内のＯＳパラメータは、ＯＳテーブルメモリ（ＲＯＭ）１３ａ内のＯＳパラメータより小さい値である。これは、上述したように、ＰＡＬ方式又はＳＥＣＡＭ方式（５０Ｈｚ）の映像信号は、ＮＴＳＣ方式（６０Ｈｚ）の映像信号に比べてフレーム周期が長く、過度な強調変換による映像ノイズの発生を防止するためである。
【００６６】
なお、ここでは、それぞれのＯＳパラメータを、それぞれ個別に設けられたＯＳテーブルメモリ（ＲＯＭ）１３ａ，１３ｂに格納しているが、単一のＯＳテーブルメモリ（ＲＯＭ）の異なるテーブル領域にそれぞれのＯＳパラメータを格納しておき、制御ＣＰＵ１２Ｂからの切換制御信号に応じて、参照するテーブル領域を適応的に切り換えることにより、ＯＳパラメータを切換選択して、強調変換データを求めるように構成してもよい。
【００６７】
このような構成では、上述したように、映像信号種別検出部１０により、たとえばＮＴＳＣ方式（６０Ｈｚ）の映像信号が検出されると、映像信号種別検出部１０から制御ＣＰＵ１２Ｂに対し、ＮＴＳＣ方式（６０Ｈｚ）の映像信号を検出したことが通知される。
【００６８】
このとき、制御ＣＰＵ１２Ｂにより強調変換手段としての強調変換部１４Ｂに対して、入力画像データに対する強調変換処理が指示される。この場合、強調変換部１４Ｂは、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータを、入力画像データがＮＴＳＣ方式（６０Ｈｚ）の映像信号である場合に参照するＯＳテーブルメモリ（ＲＯＭ）１３ａから読み出し、このＯＳパラメータを用いて線形補完等の演算を施すことで、液晶コントローラ１６に出力する強調変換データが求められる。なお、この強調変換データは、液晶表示パネル１７が所定期間内においてこれから表示するＭ番目のフレームの入力画像データにより定められる透過率に到達可能なデータである。
【００６９】
これにより、入力画像データがＮＴＳＣ方式（６０Ｈｚ）の映像信号の場合には、液晶画素が所定期間内において入力画像データの定める透過率となるように表示駆動されるので、液晶表示パネル１７の光学応答特性を補償して、残像や尾引きのない高画質の画像表示が行われる。
【００７０】
これに対し、映像信号種別検出部１０により、ＰＡＬ方式又はＳＥＣＡＭ方式（５０Ｈｚ）の映像信号が検出されると、制御ＣＰＵ１２Ｂにより強調変換部１４Ｂに対して、ＰＡＬ方式又はＳＥＣＡＭ方式（５０Ｈｚ）の入力画像データに対する強調変換処理が指示される。この場合、強調変換部１４Ｂは、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータを、入力画像データがＰＡＬ方式又はＳＥＣＡＭ方式（５０Ｈｚ）の映像信号である場合に参照するＯＳテーブルメモリ（ＲＯＭ）１３ｂから読み出し、このＯＳパラメータを用いて線形補完等の演算を施すことで、液晶コントローラ１６に出力する強調変換データが求められる。なお、この強調変換データは、入力画像データがＮＴＳＣ方式の映像信号である場合に、ＯＳテーブルメモリ（ＲＯＭ）１３ａを参照して求められた強調変換データに比べて、その強調変換度合いが小さくなっている。
【００７１】
これにより、入力画像データがＰＡＬ方式又はＳＥＣＡＭ方式（５０Ｈｚ）の映像信号の場合には、液晶表示パネル１７の光学応答特性を補償して、残像や尾引きの発生を抑えつつ、本来の入力画像データにはない映像ノイズが強調されて目立つことによる画質劣化を抑えることができ、高画質の画像表示を行うことが可能となる。
【００７２】
このように、実施形態２では、入力画像データがＮＴＳＣ方式（６０Ｈｚ）の映像信号である場合に用いるＯＳパラメータが格納されたＯＳテーブルメモリ（ＲＯＭ）１３ａと、入力画像データがＰＡＬ方式又はＳＥＣＡＭ方式（５０Ｈｚ）の映像信号である場合に用いるＯＳパラメータが格納されたＯＳテーブルメモリ（ＲＯＭ）１３ｂとを備え、ＯＳテーブルメモリ（ＲＯＭ）１３ｂ内のＯＳパラメータを、ＯＳテーブルメモリ（ＲＯＭ）１３ａ内のＯＳパラメータより小さい値とし、検出された信号種別に応じてＯＳテーブルメモリ（ＲＯＭ）１３ａ，１３ｂのいずれかより読み出されたＯＳパラメータを用いて強調変換データを求めるようにしたので、入力画像データの信号種別に応じた適切な強調変換処理を画像データに施すことができる。
【００７３】
（実施形態３）
図４は図１の構成に温度センサを追加し、ＯＳテーブルメモリ（ＲＯＭ）１３を参照して得られるＯＳパラメータと、入力画像データの信号種別（放送フォーマット）及び装置内温度に応じた乗算係数を用いて、画像データに対する強調変換処理を行わせる場合の実施形態３を示す図である。
【００７４】
図４に示す液晶表示装置では、ＯＳテーブルメモリ（ＲＯＭ）１３に、上記同様に、入力画像データがＮＴＳＣ方式（６０Ｈｚ）の映像信号の場合に最適化されたＯＳパラメータ（強調変換パラメータ）が格納されており、信号種別検出手段としての映像信号種別検出部１０による信号種別検出データと温度検出手段としての温度センサ２０による温度検出データとに応じた後述の乗算係数α１〜α４、β１〜β４を用いて入力画像データに対する強調変換を行わせるようにしている。
【００７５】
ここで、ＯＳテーブルメモリ（ＲＯＭ）１３には、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３の記憶容量を抑制することができる。
【００７６】
本実施形態の強調変換部１４Ｃは、図２と同様の構成により実現され、ＯＳテーブルメモリ（ＲＯＭ）１３から読み出されたＯＳパラメータと、信号種別及び液晶表示パネル１７の温度に応じた乗算係数α１〜α４、β１〜β４とを用いて、液晶表示パネル１７の温度依存特性を含む光学応答特性を補償するための強調変換データを求めて、液晶コントローラ１６に出力することができる。ここで、入力画像データがＮＴＳＣ方式（６０Ｈｚ）の映像信号の場合の乗算係数はα１〜α４とし、入力画像データがＰＡＬ方式又はＳＥＣＡＭ方式（５０Ｈｚ）の映像信号の場合の乗算係数はβ１〜β４とする。ただし、β１＜α１、β２＜α２、β３＜α３、β４＜α４である。
【００７７】
すなわち、温度センサ２０からの温度検出データを、たとえば１５℃以下、１５℃より大きく２５℃以下、２５℃より大きく３５℃以下、３５℃より大きい場合の４段階の温度範囲に分けて、入力画像データがＮＴＳＣ方式（６０Ｈｚ）の映像信号であるとき、たとえば装置内温度が１５℃以下である場合は乗算係数α１（＞α２）、１５℃より大きく２５℃以下である場合は乗算係数α２（＞α３）、２５℃より大きく３５℃以下である場合は乗算係数α３（＞α４）、３５℃より大きい場合は乗算係数α４（＝１）とし、入力画像データがＰＡＬ方式又はＳＥＣＡＭ方式（５０Ｈｚ）の映像信号であるとき、たとえば装置内温度が１５℃以下である場合は乗算係数β１（＞β２）、１５℃より大きく２５℃以下である場合は乗算係数β２（＞β３）、２５℃より大きく３５℃以下である場合は乗算係数β３（＞β４）、３５℃より大きい場合は乗算係数β４（＜１）とするものについて説明するが、乗算係数α１〜α４、β１〜β４は３段階以下或いは５段階以上の温度範囲に対応したものとしてもよいことは言うまでもない。
【００７８】
なお、これらの乗算係数α１〜α４、β１〜β４は、液晶表示パネル１７の光学応答特性の実測値から予め得られたものである。これにより、入力画像データがＰＡＬ方式又はＳＥＣＡＭ方式（５０Ｈｚ）の映像信号の場合は、ＮＴＳＣ方式（６０Ｈｚ）の映像信号の場合よりも小さな強調変換度合いで画像データの強調変換を行うことができ、液晶表示パネル１７の光学応答特性（温度依存特性を含む）を補償して、残像や尾引きの発生を抑えつつ、過強調によって映像ノイズが生成されることによる画質劣化を抑えることができる。
【００７９】
また、温度センサ２０は、その本来の目的から液晶表示パネル１７内に設けることが望ましいが、これは構造上困難であるため、液晶表示パネル１７にできる限り近い場所に設置すればよい。また、温度センサ２０は、１個に限らず複数個とし、液晶表示パネル１７の各部位に対応して配置させるようにしてもよい。複数の温度センサ２０を設けた場合には、それぞれの温度センサ２０からの検出結果を平均した値を温度検出データとして用いてもよいし、変化の大きいいずれかの温度センサ２０からの検出結果を温度検出データとして用いてもよい。
【００８０】
このような構成では、上述したように、映像信号種別検出部１０によりたとえばＮＴＳＣ方式（６０Ｈｚ）の映像信号が検出されると、映像信号種別検出部１０から制御ＣＰＵ１２Ｃに対し、ＮＴＳＣ方式（６０Ｈｚ）の映像信号を検出したことが通知される。
【００８１】
このとき、制御ＣＰＵ１２Ｃにより強調変換手段としての強調変換部１４Ｃに対して、入力画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data) とが比較され、その比較結果（階調遷移）に対応する（すなわち、その比較結果により指定される）ＯＳパラメータがＯＳテーブルメモリ（ＲＯＭ）１３から読み出されて強調演算データが求められる。そして、減算器１４ａによってその強調演算データとこれから表示するＭ番目のフレームの入力画像データとの差分データが求められる。
【００８２】
このとき、制御ＣＰＵ１２Ｃには温度センサ２０からの温度検出データが取り込まれており、制御ＣＰＵ１２Ｃによりその温度検出データに応じた乗算係数α１〜α４のいずれかが切り換え選択される。ここで、温度検出データがたとえば１５℃以下である場合は乗算係数α１（＞α２）となり、１５℃より大きく２５℃以下である場合は乗算係数α２（＞α３）となり、２５℃より大きく３５℃以下である場合は乗算係数α３（＞α４）となり、３５℃より大きい場合は乗算係数α４（＝１）となる。
【００８３】
温度検出データに応じて、これらの乗算係数α１〜α４のいずれかが制御ＣＰＵ１２Ｃにより切り換えられると、乗算器１４ｂにより前記差分データに対していずれかの乗算係数α１〜α４が乗算され、加算器１４ｃによってその乗算されたデータとこれから表示するＭ番目のフレームの入力画像データとが加算され、その加算されたデータが強調変換データとして液晶コントローラ１６に与えられる。これにより、入力画像データがＮＴＳＣ方式（６０Ｈｚ）の映像信号の場合には、液晶表示パネル１７の温度が変化しても、液晶表示パネル１７の光学応答特性（温度依存特性を含む）を補償して、残像や尾引きのない高画質の画像表示が行われる。
【００８４】
これに対し、映像信号種別検出部１０により、ＰＡＬ方式又はＳＥＣＡＭ方式（５０Ｈｚ）の映像信号が検出されると、制御ＣＰＵ１２Ｃにより強調変換部１４Ｃに対して、ＰＡＬ方式又はＳＥＣＡＭ方式（５０Ｈｚ）の入力画像データに対する強調変換処理が指示される。この場合、上述したように、演算部１４ｄにより、これから表示するＭ番目のフレームの入力画像データ（Current Data）と、フレームメモリ１５に格納されたＭ−１番目のフレームの入力画像データ(Previous Data) とが比較され、その比較結果（階調遷移）に対応する（すなわち、その比較結果により指定される）ＯＳパラメータがＯＳテーブルメモリ（ＲＯＭ）１３から読み出されて強調演算データが求められる。そして、減算器１４ａによってその強調演算データとこれから表示するＭ番目のフレームの入力画像データとの差分データが求められる。
【００８５】
このとき、制御ＣＰＵ１２Ｃには温度センサ２０からの温度検出データが取り込まれており、制御ＣＰＵ１２Ｃによりその温度検出データに応じた乗算係数β１〜β４のいずれかが切り換え選択される。ここで、温度検出データがたとえば１５℃以下である場合は乗算係数β１（＞β２）となり、１５℃より大きく２５℃以下である場合は乗算係数β２（＞β３）となり、２５℃より大きく３５℃以下である場合は乗算係数β３（＞β４）となり、３５℃より大きい場合は乗算係数β４（＜１）となる。
【００８６】
温度検出データに応じて、これらの乗算係数β１〜β４のいずれかが制御ＣＰＵ１２Ｃにより切り換えられると、乗算器１４ｂにより前記差分データに対していずれかの乗算係数β１〜β４が乗算され、加算器１４ｃによってその乗算されたデータとこれから表示するＭ番目のフレームの入力画像データとが加算され、その加算されたデータが強調変換データとして液晶コントローラ１６に与えられる。
【００８７】
ここで、入力画像データがＰＡＬ方式又はＳＥＣＡＭ方式（５０Ｈｚ）の映像信号の場合には、β１＜α１、β２＜α２、β３＜α３、β４＜α４であるため、液晶表示パネル１７の温度が変化しても、液晶表示パネル１７の光学応答特性（温度依存特性を含む）を補償して、残像や尾引きの発生を抑えつつ、画像データに対する過度な強調変換による映像ノイズの発生を防止することができ、高品位な画像表示が行われる。
【００８８】
このように、実施形態３では、温度センサ２０による温度検出データに応じた、入力画像データがＮＴＳＣ方式（６０Ｈｚ）の映像信号の場合の乗算係数α１〜α４と、ＰＡＬ方式又はＳＥＣＡＭ方式（５０Ｈｚ）の映像信号の場合の乗算係数β１〜β４とを用いて、画像データに対する強調変換度合いを可変制御するようにしたので、入力画像データの信号種別及び装置内温度に応じた適切な強調変換処理を画像データに施すことが可能となり、高画質の画像表示を行わせることができる。
【００８９】
（実施形態４）
図５は図４のＯＳテーブルメモリ（ＲＯＭ）を入力画像データがＮＴＳＣ方式（６０Ｈｚ）の映像信号である場合に参照する、画像データの強調変換に用いるＯＳパラメータが格納されたＯＳテーブルメモリ（ＲＯＭ）と、入力画像データがＰＡＬ方式又はＳＥＣＡＭ方式（５０Ｈｚ）の映像信号である場合に参照する、画像データの強調変換に用いるＯＳパラメータが格納されたＯＳテーブルメモリ（ＲＯＭ）とを個別に設けた構成とし、装置内温度に応じた乗算係数を用いて画像データに対する強調変換度合いを可変する場合の実施形態４を示す図、図６は図５のＯＳテーブルメモリ（ＲＯＭ）を参照して得られるＯＳパラメータと温度センサによる温度検出データに応じた乗算係数とを用いて強調変換データを求める場合を説明するための図である。
【００９０】
図５に示す液晶表示装置では、入力画像データがＮＴＳＣ方式（６０Ｈｚ）の映像信号である場合に参照するＯＳテーブルメモリ（ＲＯＭ）１３ａと、入力画像データがＰＡＬ方式又はＳＥＣＡＭ方式（５０Ｈｚ）の映像信号である場合に参照するＯＳテーブルメモリ（ＲＯＭ）１３ｂとを備え、検出されたＮＴＳＣ方式（６０Ｈｚ）の映像信号、ＰＡＬ方式又はＳＥＣＡＭ方式（５０Ｈｚ）の映像信号に応じてＯＳテーブルメモリ（ＲＯＭ）１３ａ，１３ｂのいずれかを切り換え参照するとともに、温度センサ２０による温度検出データに応じた後述の乗算係数α１〜α４を用いて入力画像データに対する強調変換を行わせるようにしている。
【００９１】
また、ＯＳテーブルメモリ（ＲＯＭ）１３ｂ内のＯＳパラメータは、ＯＳテーブルメモリ（ＲＯＭ）１３ａ内のＯＳパラメータより小さい値である。これは、上述したように、ＰＡＬ方式又はＳＥＣＡＭ方式（５０Ｈｚ）の映像信号は、ＮＴＳＣ方式（６０Ｈｚ）の映像信号に比べてフレーム周期が長く、過度な強調変換による映像ノイズの発生を防止するために、入力画像データがＰＡＬ方式又はＳＥＣＡＭ方式（５０Ｈｚ）の映像信号の場合には、画像データに対するは強調変換度合いを、入力画像データがＮＴＳＣ方式（６０Ｈｚ）の映像信号の場合よりも小さくする必要があるためである。
【００９２】
なお、ここでは、それぞれのＯＳパラメータを、それぞれ個別に設けられたＯＳテーブルメモリ（ＲＯＭ）１３ａ，１３ｂに格納しているが、単一のＯＳテーブルメモリ（ＲＯＭ）の異なるテーブル領域にそれぞれのＯＳパラメータを格納しておき、制御ＣＰＵ１２Ｄからの切換制御信号に応じて、参照するテーブル領域を適応的に切り換えることにより、ＯＳパラメータを切換選択して、強調変換データを求めるように構成してもよい。
【００９３】
また、ＯＳテーブルメモリ（ＲＯＭ）１３ａ，１３ｂには、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３の記憶容量を抑制することができる。
【００９４】
本実施形態の強調変換部１４Ｄは、図２と同様の構成により実現され、入力信号種別（放送フォーマット）に応じてＯＳテーブルメモリ（ＲＯＭ）１３ａ，１３ｂのいずれかから読み出されたＯＳパラメータと、液晶表示パネル１７の温度に応じた乗算係数はα１〜α４とを用いて、液晶表示パネル１７の温度依存特性を含む光学応答特性を補償するための強調変換データを求めて、液晶コントローラ１６に出力することができる。
【００９５】
すなわち、温度センサ２０からの温度検出データを、たとえば１５℃以下、１５℃より大きく２５℃以下、２５℃より大きく３５℃以下、３５℃より大きい場合の４段階の温度範囲に分けて、たとえば装置内温度が１５℃以下である場合は乗算係数α１（＞α２）、１５℃より大きく２５℃以下である場合は乗算係数α２（＞α３）、２５℃より大きく３５℃以下である場合は乗算係数α３（＞α４）、３５℃より大きい場合は乗算係数α４（＝１）とするものについて説明するが、乗算係数は３段階以下或いは５段階以上の温度範囲に対応したものとしてもよいことは言うまでもない。
【００９６】
なお、これらの乗算係数α１〜α４は、液晶表示パネル１７の光学応答特性の実測値から予め得られたものである。これにより、入力画像データがＰＡＬ方式又はＳＥＣＡＭ方式（５０Ｈｚ）の映像信号の場合は、ＮＴＳＣ方式（６０Ｈｚ）の映像信号の場合よりも小さな強調変換度合いで画像データの強調変換を行うことができ、過度な強調変換による映像ノイズの発生を防止しつつ、液晶表示パネル１７の光学応答特性（温度依存特性を含む）を補償して、残像や尾引きのない高品位な画像表示が行われる。
【００９７】
また、温度センサ２０は、その本来の目的から液晶表示パネル１７内に設けることが望ましいが、これは構造上困難であるため、液晶表示パネル１７にできる限り近い場所に設置すればよい。また、温度センサ２０は、１個に限らず複数個とし、液晶表示パネル１７の各部位に対応して配置させるようにしてもよい。複数の温度センサ２０を設けた場合には、それぞれの温度センサ２０からの検出結果を平均した値を温度検出データとして用いてもよいし、変化の大きいいずれかの温度センサ２０からの検出結果を温度検出データとして用いてもよい。
【００９８】
このような構成では、上述したように、映像信号種別検出部１０によりたとえばＮＴＳＣ方式（６０Ｈｚ）の映像信号が検出されると、映像信号種別検出部１０から制御ＣＰＵ１２Ｄに対し、ＮＴＳＣ方式（６０Ｈｚ）の映像信号を検出したことが通知される。このとき、制御ＣＰＵ１２により強調変換手段としての強調変換部１４Ｄに対して、入力画像データに対する強調変換処理が指示される。この場合、図６に示すように、制御ＣＰＵ１２Ｄからのパラメータ切換制御信号によりＯＳテーブルメモリ（ＲＯＭ）１３ａを参照するように指示される。そして、演算部１４ｄにより、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータがＯＳテーブルメモリ（ＲＯＭ）１３ａから読み出されて強調演算データが求められる。そして、減算器１４ａによってその強調演算データとこれから表示するＭ番目のフレームの入力画像データとの差分データが求められる。
【００９９】
このとき、制御ＣＰＵ１２Ｄには温度センサ２０からの温度検出データが取り込まれており、制御ＣＰＵ１２Ｄによりその温度検出データに応じた乗算係数α１〜α４のいずれかを切り換え選択するための係数切換制御信号が強調変換部１４Ｄに与えられる。ここで、温度検出データがたとえば１５℃以下である場合は乗算係数α１（＞α２）となり、１５℃より大きく２５℃以下である場合は乗算係数α２（＞α３）となり、２５℃より大きく３５℃以下である場合は乗算係数α３（＞α４）となり、３５℃より大きい場合は乗算係数α４（＝１）となる。
【０１００】
温度検出データに応じて、これらの乗算係数α１〜α４のいずれかが制御ＣＰＵ１２Ｄからの係数切換制御信号により切り換えられると、乗算器１４ｂにより前記差分データに対していずれかの乗算係数α１〜α４が乗算され、加算器１４ｃによってその乗算されたデータとこれから表示するＭ番目のフレームの入力画像データとが加算され、その加算されたデータが強調変換データとして液晶コントローラ１６に与えられる。これにより、入力画像データがＮＴＳＣ方式（６０Ｈｚ）の映像信号の場合には、液晶表示パネル１７の温度が変化しても、液晶表示パネル１７の光学応答特性（温度依存特性を含む）を補償して、残像や尾引きのない高画質の画像表示が行われる。
【０１０１】
これに対し、映像信号種別検出部１０により、ＰＡＬ方式又はＳＥＣＡＭ方式（５０Ｈｚ）の映像信号が検出されると、制御ＣＰＵ１２Ｄにより強調変換部１４Ｄに対して、ＰＡＬ方式又はＳＥＣＡＭ方式（５０Ｈｚ）の入力画像データに対する強調変換処理が指示される。この場合、制御ＣＰＵ１２Ｄからのパラメータ切換制御信号によりＯＳテーブルメモリ（ＲＯＭ）１３ｂを参照するように指示される。そして、演算部１４ｄにより、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータがＯＳテーブルメモリ（ＲＯＭ）１３ｂから読み出されて強調演算データが求められる。そして、減算器１４ａによってその強調演算データとこれから表示するＭ番目のフレームの入力画像データとの差分データが求められる。
【０１０２】
このとき、制御ＣＰＵ１２Ｄには温度センサ２０からの温度検出データが取り込まれており、制御ＣＰＵ１２Ｄからはその温度検出データに応じた乗算係数α１〜α４のいずれかを切り換え選択するための係数切換制御信号が強調変換部１４Ｄに与えられる。ここで、温度検出データがたとえば１５℃以下である場合は乗算係数α１（＞α２）となり、１５℃より大きく２５℃以下である場合は乗算係数α２（＞α３）となり、２５℃より大きく３５℃以下である場合は乗算係数α３（＞α４）となり、３５℃より大きい場合は乗算係数α４（＝１）となる。
【０１０３】
温度検出データに応じてこれらの乗算係数α１〜α４のいずれかが制御ＣＰＵ１２Ｄからの係数切換制御信号により切り換えられると、乗算器１４ｂにより前記差分データに対していずれかの乗算係数α１〜α４が乗算され、加算器１４ｃによってその乗算されたデータとこれから表示するＭ番目のフレームの入力画像データとが加算され、その加算されたデータが強調変換データとして液晶コントローラ１６に与えられる。
【０１０４】
ここで、入力画像データがＰＡＬ方式又はＳＥＣＡＭ方式（５０Ｈｚ）の映像信号の場合には、上述したように、ＯＳテーブルメモリ（ＲＯＭ）１３ｂ内のＯＳパラメータがＯＳテーブルメモリ（ＲＯＭ）１３ａ内のＯＳパラメータより小さい値であるため、液晶表示パネル１７の温度が変化しても、液晶表示パネル１７の光学応答特性（温度依存特性を含む）を補償して、残像や尾引きの発生を抑えつつ、画像データに対する過度な強調変換によって映像ノイズが発生することを防止して、高画質の画像表示が行われる。
【０１０５】
このように、実施形態４では、入力画像データがＮＴＳＣ方式（６０Ｈｚ）の映像信号である場合に参照するＯＳテーブルメモリ（ＲＯＭ）１３ａと、入力画像データがＰＡＬ方式又はＳＥＣＡＭ方式（５０Ｈｚ）の映像信号である場合に参照するＯＳテーブルメモリ（ＲＯＭ）１３ｂとを備え、前記検出されたＮＴＳＣ方式（６０Ｈｚ）の映像信号、ＰＡＬ方式又はＳＥＣＡＭ方式（５０Ｈｚ）の映像信号に応じてＯＳテーブルメモリ（ＲＯＭ）１３ａ，１３ｂのいずれかから読み出されたＯＳパラメータを用いるとともに、温度センサ２０による温度検出データに応じた乗算係数α１〜α４を用いて入力画像データに対する強調変換度合いを可変制御するようにしたので、入力画像データの信号種別及び装置内温度に応じた適切な強調変換処理を画像データに施すことが可能となり、高画質の画像表示を行わせることができる。
【０１０６】
（実施形態５）
図７は入力画像データがＮＴＳＣ方式（６０Ｈｚ）の映像信号である場合に参照する、複数の温度範囲のそれぞれに対応したＯＳパラメータが格納されたＯＳテーブルメモリ（ＲＯＭ）と、入力画像データがＰＡＬ方式又はＳＥＣＡＭ方式（５０Ｈｚ）の映像信号である場合に参照する、複数の温度範囲のそれぞれに対応したＯＳパラメータが格納されたＯＳテーブルメモリ（ＲＯＭ）とを個別に設けた構成とした場合の実施形態５を示す図、図８は図７の制御ＣＰＵの詳細を説明するための図、図９は図７のＯＳテーブルメモリ（ＲＯＭ）を入力画像データの信号種別（放送フォーマット）及び装置内温度に応じて切り換え選択する動作を説明するための図である。
【０１０７】
図７に示すように、実施形態５では、入力画像データがＮＴＳＣ方式（６０Ｈｚ）の映像信号である場合に参照するＯＳテーブルメモリ（ＲＯＭ）１３１〜１３４と、入力画像データがＰＡＬ方式又はＳＥＣＡＭ方式（５０Ｈｚ）の映像信号である場合に参照するＯＳテーブルメモリ（ＲＯＭ）１３５〜１３８とを設けている。そして、入力画像データがＮＴＳＣ方式（６０Ｈｚ）の映像信号であるか、ＰＡＬ方式（５０Ｈｚ）又はＳＥＣＡＭ方式（５０Ｈｚ）の映像信号であるかの信号種別を検出し、その信号種別と温度センサ２０からの温度検出データによって得られる装置内温度とに応じて、ＯＳテーブルメモリ（ＲＯＭ）１３１〜１３８のいずれかを切り換え参照し、画像データに対する強調変換処理を行うようにしている。
【０１０８】
ここで、入力画像データがＰＡＬ方式又はＳＥＣＡＭ方式（５０Ｈｚ）の映像信号である場合に参照するＯＳテーブルメモリ（ＲＯＭ）１３５〜１３８内のＯＳパラメータは、入力画像データがＮＴＳＣ方式（６０Ｈｚ）の映像信号である場合に参照するＯＳテーブルメモリ（ＲＯＭ）１３１〜１３４内のＯＳパラメータより小さい値である。これは、上述したように、ＰＡＬ方式又はＳＥＣＡＭ方式（５０Ｈｚ）の映像信号は、ＮＴＳＣ方式（６０Ｈｚ）の映像信号に比べてフレーム周期が長く、過度な強調変換による映像ノイズの発生を防止するために、入力画像データがＰＡＬ方式又はＳＥＣＡＭ方式（５０Ｈｚ）の映像信号の場合には、画像データに対する強調変換度合いを、入力画像データがＮＴＳＣ方式（６０Ｈｚ）の映像信号の場合よりも小さくする必要があるためである。
【０１０９】
なお、ここでは、それぞれのＯＳパラメータを、それぞれ個別に設けられたＯＳテーブルメモリ（ＲＯＭ）１３１〜１３８に格納しているが、単一のＯＳテーブルメモリ（ＲＯＭ）の異なるテーブル領域にそれぞれのＯＳパラメータを格納しておき、制御ＣＰＵ１２Ｅからの切換制御信号に応じて、参照するテーブル領域を適応的に切り換えることにより、ＯＳパラメータを切換選択して、強調変換データを求めるように構成してもよい。
【０１１０】
また、ＯＳテーブルメモリ（ＲＯＭ）１３１〜１３８には、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３１〜１３８の記憶容量を抑制することができる。
【０１１１】
さらに、温度センサ２０は、その本来の目的から液晶表示パネル１７内に設けることが望ましいが、これは構造上困難であるため、液晶表示パネル１７にできる限り近い場所に設置すればよい。また、温度センサ２０は、１個に限らず複数個とし、液晶表示パネル１７の各部位に対応して配置させるようにしてもよい。複数の温度センサ２０を設けた場合には、それぞれの温度センサ２０からの検出結果を平均した値を温度検出データとして用いてもよいし、変化の大きいいずれかの温度センサ２０からの検出結果を温度検出データとして用いてもよい。
【０１１２】
ここで、各ＯＳテーブルメモリ（ＲＯＭ）１３１〜１３８は、図９に示すように、温度センサ２０からの温度検出データに応じて切り換えて参照されるようになっている。ここでは、装置内温度がたとえば１５℃以下、１５℃より大きく２５℃以下、２５℃より大きく３５℃以下、３５℃より大きい場合の４段階の温度範囲に対応させて、各ＯＳテーブルメモリ（ＲＯＭ）１３１〜１３８を設けた構成としているが、３段階以下或いは５段階以上の温度範囲に対応したＯＳパラメータを用意してもよいことは言うまでもない。
【０１１３】
このような温度センサ２０の温度検出データに応じて各ＯＳテーブルメモリ（ＲＯＭ）１３１〜１３８を切り換え選択を指示する制御ＣＰＵ１２Ｅの構成を、図８により説明する。すなわち、制御手段としての制御ＣＰＵ１２Ｅは、閾値判別部１２ａ、制御信号出力部１２ｃを有している。
【０１１４】
閾値判別部１２ａは、温度センサ２０からの温度検出データを受け取ると、たとえば予め決められた所定の切換温度（閾値温度）Ｔｈ１、Ｔｈ２、Ｔｈ３とを比較する。ここでは、切換温度（閾値温度）Ｔｈ１、Ｔｈ２、Ｔｈ３はたとえば１５℃、２５℃、３５℃であり、装置内温度が１５℃以下であるか、１５℃より大きく２５℃以下であるか、２５℃より大きく３５℃以下であるか、３５℃より大きいかの判別結果を出力する。
【０１１５】
制御信号出力部１２ｃは、映像信号種別検出部１０によるＮＴＳＣ方式（６０Ｈｚ）の映像信号、ＰＡＬ方式又はＳＥＣＡＭ方式（５０Ｈｚ）の映像信号のいずれかの信号種別の検出結果と、閾値判別部１２ａによる判別結果とに応じた切換制御信号を出力する。すなわち、映像信号種別検出部１０からの信号種別の検出結果と閾値判別部１２ａによる判別結果とを受け取ると、その信号種別と温度検出データとに応じて、ＯＳテーブルメモリ（ＲＯＭ）１３１〜１３８のいずれを参照させるかを切換制御信号で指示する。
【０１１６】
この場合、制御信号出力部１２ｃは、たとえば入力画像データがＮＴＳＣ方式（６０Ｈｚ）の場合「０」、ＰＡＬ方式又はＳＥＣＡＭ方式（５０Ｈｚ）の場合「１」とする識別データと、たとえば温度センサ２０からの温度検出データが１５℃以下の場合「００」、１５℃より大きく２５℃以下の場合「０１」、２５℃より大きく３５℃以下の場合「１０」、３５℃より大きい場合「１１」とする識別データとを組み合わせることにより、３ビットの切換制御信号で８個の各ＯＳテーブルメモリ（ＲＯＭ）１３１〜１３８のいずれを参照して、画像データの強調変換を行うかの指示を行うことができる。
【０１１７】
このような構成では、上述したように、映像信号種別検出部１０によりたとえばＮＴＳＣ方式（６０Ｈｚ）の映像信号が検出されると、映像信号種別検出部１０から制御ＣＰＵ１２Ｅに対し、ＮＴＳＣ方式（６０Ｈｚ）の映像信号を検出したことが通知される。このとき、制御ＣＰＵ１２Ｅにより強調変換手段としての強調変換部１４Ｅに対して、入力画像データに対する強調変換処理が指示される。この場合、閾値判別部１２ａからの温度検出データが１５℃以下であるか、１５℃より大きく２５℃以下であるか、２５℃より大きく３５℃以下であるか、３５℃より大きいかの判別結果に応じて、制御信号出力部１２ｃにより、入力画像データがＮＴＳＣ方式（６０Ｈｚ）の映像信号である場合に参照するＯＳテーブルメモリ（ＲＯＭ）１３１〜１３４のいずれかを選択指示するための切換制御信号が出力される。
【０１１８】
ここで、温度センサ２０からの温度検出データがたとえば１５℃以下である場合、ＯＳテーブルメモリ（ＲＯＭ）１３１を参照するように指示され、１５℃より大きく２５℃以下である場合、ＯＳテーブルメモリ（ＲＯＭ）１３２を参照するように指示され、２５℃より大きく３５℃以下である場合、ＯＳテーブルメモリ（ＲＯＭ）１３３を参照するように指示され、３５℃より大きい場合、ＯＳテーブルメモリ（ＲＯＭ）１３４を参照するように指示される。
【０１１９】
そして、その指示を受けた強調変換部１４Ｅにより、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータが、前記選択指示されたＯＳテーブルメモリ（ＲＯＭ）１３１〜１３４のいずれかから読み出され、その読み出されたＯＳパラメータに基づいて強調変換データが求められ、液晶コントローラ１６に与えられる。これにより、入力画像データがＮＴＳＣ方式（６０Ｈｚ）の映像信号の場合には、液晶表示パネル１７の温度が変化しても、液晶表示パネル１７の光学応答特性（温度依存特性を含む）を補償して、残像や尾引きのない高画質の画像表示が行われる。
【０１２０】
これに対し、映像信号種別検出部１０により、ＰＡＬ方式又はＳＥＣＡＭ方式（５０Ｈｚ）の映像信号が検出されると、制御ＣＰＵ１２ＥによりＰＡＬ方式又はＳＥＣＡＭ方式（５０Ｈｚ）の入力画像データに対する強調変換処理が指示される。この場合、上述したように、閾値判別部１２ａからの温度検出データが１５℃以下であるか、１５℃より大きく２５℃以下であるか、２５℃より大きく３５℃以下であるか、３５℃より大きいかの判別結果に応じて、制御信号出力部１２ｃにより、入力画像データがＰＡＬ方式又はＳＥＣＡＭ方式（５０Ｈｚ）の映像信号である場合に参照するＯＳテーブルメモリ（ＲＯＭ）１３５〜１３８のいずれかを選択指示するための切換制御信号が出力される。
【０１２１】
ここで、温度センサ２０からの温度検出データがたとえば１５℃以下である場合、ＯＳテーブルメモリ（ＲＯＭ）１３５を参照するように指示され、１５℃より大きく２５℃以下である場合、ＯＳテーブルメモリ（ＲＯＭ）１３６を参照するように指示され、２５℃より大きく３５℃以下である場合、ＯＳテーブルメモリ（ＲＯＭ）１３７を参照するように指示され、３５℃より大きい場合、ＯＳテーブルメモリ（ＲＯＭ）１３８を参照するように指示される。
【０１２２】
そして、その指示を受けた強調変換部１４Ｅにより、これから表示するＭ番目のフレームの入力画像データ（Current Data）と、フレームメモリ１５に格納されたＭ−１番目のフレームの入力画像データ(Previous Data) との比較結果（階調遷移）に対応する（すなわち、その比較結果により指定される）ＯＳパラメータが、選択指示されたＯＳテーブルメモリ（ＲＯＭ）１３５〜１３８のいずれかから読み出され、その読み出されたＯＳパラメータに基づいて強調変換データが求められ、液晶コントローラ１６に与えられる。
【０１２３】
ここで、入力画像データがＰＡＬ方式又はＳＥＣＡＭ方式（５０Ｈｚ）の映像信号の場合には、上述したように、ＯＳテーブルメモリ（ＲＯＭ）１３５〜１３８内のＯＳパラメータが、対応するＯＳテーブルメモリ（ＲＯＭ）１３１〜１３４内のＯＳパラメータより小さい値であるため、液晶表示パネル１７の温度が変化しても、液晶表示パネル１７の光学応答特性（温度依存特性を含む）を補償して、残像や尾引きの発生を抑えつつ、画像データに対する過度な強調変換によって映像ノイズが発生することを防止して、高画質の画像表示が行われる。
【０１２４】
このように、実施形態５では、入力画像データがＮＴＳＣ方式（６０Ｈｚ）の映像信号である場合に参照する、温度センサ２０からの温度検出データに応じた複数のＯＳテーブルメモリ（ＲＯＭ）１３１〜１３４と、入力画像データがＰＡＬ方式又はＳＥＣＡＭ方式（５０Ｈｚ）の映像信号である場合に参照する、温度センサ２０からの温度検出データに応じた複数のＯＳテーブルメモリ（ＲＯＭ）１３５〜１３８とを設け、入力画像データがＮＴＳＣ方式（６０Ｈｚ）の映像信号であるか、ＰＡＬ方式又はＳＥＣＡＭ方式（５０Ｈｚ）の映像信号であるかの信号種別と、温度センサ２０からの温度検出データによって得られる装置内温度とに応じて、ＯＳテーブルメモリ（ＲＯＭ）１３１〜１３８のいずれかを切り換え参照し、画像データに対する強調変換を行うようにしたので、信号種別及び装置内温度に対応した適切な強調変換処理を画像データに施すことが可能となり、高画質の画像表示を行わせることができる。
【０１２５】
（実施形態６）
図１０は入力画像データがＮＴＳＣ方式（６０Ｈｚ）の映像信号である場合とＰＡＬ方式又はＳＥＣＡＭ方式（５０Ｈｚ）の映像信号である場合とでＯＳパラメータを共用した場合の実施形態６を示す図、図１１は図１０の制御ＣＰＵの詳細を示す図、図１２は図１０のＯＳテーブルメモリ（ＲＯＭ）を入力画像データの信号種別及び装置内温度に応じて切り換え選択する動作を説明するための図である。
【０１２６】
図１０に示すように、実施形態６では、図７に示したＯＳテーブルメモリ（ＲＯＭ）１３１〜１３８のうち、たとえば入力画像データがＮＴＳＣ方式（６０Ｈｚ）の映像信号である場合に参照する４個のＯＳテーブルメモリ（ＲＯＭ）１３１〜１３４を、入力画像データがＰＡＬ方式又はＳＥＣＡＭ方式（５０Ｈｚ）の映像信号である場合にも参照できるようにし、映像信号種別検出部１０による信号種別及び温度センサ２０による装置内温度に応じて、ＯＳテーブルメモリ（ＲＯＭ）１３１〜１３４のいずれかを切り換え参照し、画像データに対する強調変換処理を行うようにしている。
【０１２７】
このように、入力画像データの信号種別及び装置内温度の検出データに応じて、参照するＯＳテーブルメモリ（ＲＯＭ）１３１〜１３４の切り換え制御を行う制御ＣＰＵ１２Ｆは、図１１に示す構成となっている。すなわち、制御ＣＰＵ１２Ｆは、閾値判別部１２ａ、制御信号出力部１２ｂ、信号種別演算式格納部１２ｅ、演算部１２ｆを有している。
【０１２８】
閾値判別部１２ａは、演算部１２ｆにより演算が施された温度データと、予め決められた所定の切換温度（閾値温度）Ｔｈ１，Ｔｈ２，Ｔｈ３とを比較する。ここで、Ｔｈ１，Ｔｈ２，Ｔｈ３は、たとえば１５℃、２５℃、３５℃である。制御信号出力部１２ｂは、閾値判別部１２ａによる比較結果に応じて、強調変換手段としての強調変換部１４Ｆに対しいずれのＯＳテーブルメモリ（ＲＯＭ）１３１〜１３４を選択して参照させるかを指示するための切換制御信号を生成する。
【０１２９】
信号種別演算式格納部１２ｅには、入力画像データの信号種別毎に決められた所定値を、温度センサ２０による温度検出データに対して加減算する等の演算式が格納されている。演算部１２ｆは、映像信号種別検出部１０により検出された信号種別のデータに応じ、信号種別演算式格納部１２ｅから読み出された演算式を用いて、温度センサ２０による温度検出データに補正演算を施す。
【０１３０】
このような構成では、たとえば図１２に示すように、入力画像データがＮＴＳＣ方式（６０Ｈｚ）の映像信号である場合、温度センサ２０で検出された装置内温度が切換温度Ｔｈ１（＝１５℃）以下であれば、制御ＣＰＵ１２Ｆは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１３１】
また、温度センサ２０で検出された装置内温度が切換温度Ｔｈ１（＝１５℃）より大きく且つ切換温度Ｔｈ２（＝２５℃）以下であれば、制御ＣＰＵ１２Ｆは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１３２】
さらに、温度センサ２０で検出された装置内温度が切換温度Ｔｈ２（＝２５℃）より大きく且つ切換温度Ｔｈ３（＝３５℃）以下であれば、制御ＣＰＵ１２Ｆは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１３３】
そしてまた、温度センサ２０で検出された装置内温度が切換温度Ｔｈ３（＝３５℃）より大きければ、制御ＣＰＵ１２Ｆは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１３４】
一方、入力画像データがＰＡＬ方式又はＳＥＣＡＭ方式（５０Ｈｚ）の映像信号である場合は、上述したように、過度な強調変換による映像ノイズの発生を防止するために、入力画像データがＰＡＬ方式又はＳＥＣＡＭ方式（５０Ｈｚ）の映像信号である場合における画像データの強調変換度合いを、入力画像データがＮＴＳＣ方式（６０Ｈｚ）の映像信号である場合より小さくする必要がある。そのため、その強調変換の度合いを補正するために、演算部１２ｆでは信号種別演算式格納部１２ｅより読み出された演算式を用いて、温度センサ２０による温度検出データに対し所定の演算（ここでは、たとえば５℃分を加算）を施した上で、閾値判別部１２ａに出力する。なお、ここでの加算は、５℃に限らず、４℃以下又は６℃以上であってもよく、液晶表示パネル１７の光学応答特性に応じて任意に設定すればよい。
【０１３５】
これによって、入力画像データがＰＡＬ方式又はＳＥＣＡＭ方式（５０Ｈｚ）の映像信号である場合、温度センサ２０で検出された装置内温度が１０℃以下であれば、制御ＣＰＵ１２Ｆは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１３６】
また、温度センサ２０で検出された装置内温度が１０℃より大きく且つ２０℃以下であれば、制御ＣＰＵ１２Ｆは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１３７】
さらに、温度センサ２０で検出された装置内温度が２０℃より大きく且つ３０℃以下であれば、制御ＣＰＵ１２Ｆは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１３８】
そしてまた、温度センサ２０で検出された装置内温度が３０℃より大きければ、制御ＣＰＵ１２Ｆは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１３９】
このように、実施形態６では、温度センサ２０による温度検出データに所定の演算を施した上で、予め決められた所定の切換温度Ｔｈ１，Ｔｈ２，Ｔｈ３と比較し、ＯＳパラメータを切り換えるための切換制御信号を生成している。すなわち、入力画像データがＮＴＳＣ方式（６０Ｈｚ）の映像信号である場合と、入力画像データがＰＡＬ方式又はＳＥＣＡＭ方式（５０Ｈｚ）の映像信号である場合とで、参照するＯＳテーブルメモリ（ＲＯＭ）１３１〜１３４を参照する際の切換温度（装置内温度）を適宜可変するようにしたので、いずれの信号種別（放送フォーマット）の入力画像データに対しても、ＯＳテーブルメモリ（ＲＯＭ）１３１〜１３４を共用して強調変換処理を施すことが可能であり、入力画像データがＮＴＳＣ方式（６０Ｈｚ）の映像信号、ＰＡＬ方式又はＳＥＣＡＭ方式（５０Ｈｚ）の映像信号のいずれであっても、ＯＳテーブルメモリ（ＲＯＭ）を別個に設ける場合に比べ、メモリの記憶容量を抑制することができる。
【０１４０】
また、同一温度条件下において、入力画像データがＰＡＬ方式又はＳＥＣＡＭ方式（５０Ｈｚ）の映像信号である場合には、入力画像データがＮＴＳＣ方式（６０Ｈｚ）の映像信号である場合に用いるＯＳパラメータより小さい値のＯＳパラメータを用いて、画像データの強調変換を行うことが可能となるため、ＰＡＬ方式又はＳＥＣＡＭ方式（５０Ｈｚ）の映像信号の場合、画像データに対する過度な強調変換によって映像ノイズが発生することにより画質が劣化することを防止することができる。
【０１４１】
なお、各温度範囲に対応した複数のＯＳパラメータを、それぞれ個別に設けられたＯＳテーブルメモリ（ＲＯＭ）１３１〜１３４に格納しているが、単一のＯＳテーブルメモリ（ＲＯＭ）の異なるテーブル領域に格納しておき、制御ＣＰＵ１２Ｆからの切換制御信号に応じて、参照するテーブル領域を適応的に切り換えることにより、ＯＳパラメータを切換選択して、強調変換データを求めるように構成してもよいことは言うまでもない。
【０１４２】
また、ＯＳテーブルメモリ（ＲＯＭ）１３１〜１３４には、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３１〜１３４の記憶容量を抑制することができる。
【０１４３】
（実施形態７）
図１３は図１０の制御ＣＰＵとして別の構成を備えた場合の実施形態７を示す図である。
【０１４４】
実施形態７における制御ＣＰＵ１２Ｇは、図１３に示すように、入力画像データの信号種別毎に決められた所定の切換温度（閾値温度）のデータが格納されている信号種別閾値温度データ格納部１２ｉと、入力画像データの信号種別に応じて、信号種別閾値温度データ格納部１２ｉから読み出された切換温度Ｔｈ１，Ｔｈ２，Ｔｈ３と、温度センサ２０による温度検出データとを比較する閾値判別部１２ｊと、この閾値判別部１２ｊによる比較結果に応じ、強調変換部１４Ｆに対してＯＳテーブルメモリ（ＲＯＭ）１３１〜１３４のいずれかを選択して参照させるための切換制御信号を生成する制御信号出力部１２ｂとを有している。
【０１４５】
このような構成では、入力画像データがＮＴＳＣ方式（６０Ｈｚ）の映像信号である場合は、温度センサ２０で検出された装置内温度が切換温度Ｔｈ１（＝１５℃）以下であれば、制御ＣＰＵ１２Ｇは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１４６】
また、温度センサ２０で検出された装置内温度が切換温度Ｔｈ１（＝１５℃）より大きく且つ切換温度Ｔｈ２（＝２５℃）以下であれば、制御ＣＰＵ１２Ｇは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１４７】
さらに、温度センサ２０で検出された装置内温度が切換温度Ｔｈ２（＝２５℃）より大きく且つ切換温度Ｔｈ３（＝３５℃）以下であれば、制御ＣＰＵ１２Ｇは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１４８】
そしてまた、温度センサ２０で検出された装置内温度が切換温度Ｔｈ３（＝３５℃）より大きければ、制御ＣＰＵ１２Ｇは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１４９】
一方、入力画像データがＰＡＬ方式又はＳＥＣＡＭ方式（５０Ｈｚ）の映像信号である場合は、上述したように、過度な強調変換による映像ノイズの発生を防止するために、同一条件下における画像データの強調変換度合いを、入力画像データがＮＴＳＣ方式（６０Ｈｚ）の映像信号である場合より小さくする必要がある。そのため、その強調変換の度合いを補正するために、入力画像データがＰＡＬ方式又はＳＥＣＡＭ方式（５０Ｈｚ）の映像信号である場合は、閾値判別部１２ｊでは信号種別閾値温度データ格納部１２ｉより読み出された切換温度Ｔｈ’１（＜Ｔｈ１），Ｔｈ’２（＜Ｔｈ２），Ｔｈ’３（＜Ｔｈ３）を用いて、温度センサ２０による温度検出データの比較判別を行い、その結果を制御信号出力部１２ｂに出力する。
【０１５０】
これによって、入力画像データがＰＡＬ方式又はＳＥＣＡＭ方式（５０Ｈｚ）の映像信号である場合は、温度センサ２０で検出された装置内温度がＴｈ’１（＝１０℃）以下であれば、制御ＣＰＵ１２Ｇは強調変換部１４Ｆに対し、ＯＳテーブルメモリ（ＲＯＭ）１３１を選択して参照するように指示する。これによって、強調変換部１４ＦはＯＳテーブルメモリ（ＲＯＭ）１３１に格納されているＯＳパラメータを用いて、入力画像データの強調変換処理を行う。
【０１５１】
また、温度センサ２０で検出された装置内温度がＴｈ’１（＝１０℃）より大きく且つ切換温度Ｔｈ’２（＝２０℃）以下であれば、制御ＣＰＵ１２Ｇは強調変換部１４Ｆに対し、ＯＳテーブルメモリ（ＲＯＭ）１３２を選択して参照するように指示する。これによって、強調変換部１４ＦはＯＳテーブルメモリ（ＲＯＭ）１３２に格納されているＯＳパラメータを用いて、入力画像データの強調変換処理を行う。
【０１５２】
さらに、温度センサ２０で検出された装置内温度がＴｈ’２（＝２０℃）より大きく且つ切換温度Ｔｈ’３（＝３０℃）以下であれば、制御ＣＰＵ１２Ｇは強調変換部１４Ｆに対し、ＯＳテーブルメモリ（ＲＯＭ）１３３を選択して参照するように指示する。これによって、強調変換部１４ＦはＯＳテーブルメモリ（ＲＯＭ）１３３に格納されているＯＳパラメータを用いて、入力画像データの強調変換処理を行う。
【０１５３】
そしてまた、温度センサ２０で検出された装置内温度がＴｈ’３（＝３０℃）より大きければ、制御ＣＰＵ１２Ｇは強調変換部１４Ｆに対し、ＯＳテーブルメモリ（ＲＯＭ）１３４を選択して参照するように指示する。これによって、強調変換部１４ＦはＯＳテーブルメモリ（ＲＯＭ）１３４に格納されているＯＳパラメータを用いて、入力画像データの強調変換処理を行う。
【０１５４】
このように、実施形態７では、入力画像データの信号種別毎に定められた切換温度（閾値温度）を用いて温度センサ２０による温度検出データの比較判別を行うことにより、参照すべきＯＳテーブルメモリ（ＲＯＭ）１３１〜１３４を選択させるための切換制御信号を生成している。すなわち、入力画像データがＮＴＳＣ方式（６０Ｈｚ）の映像信号である場合と、入力画像データがＰＡＬ方式又はＳＥＣＡＭ方式（５０Ｈｚ）の映像信号である場合とで、ＯＳテーブルメモリ（ＲＯＭ）１３１〜１３４を切り換え選択する切換温度（装置内温度）を適宜可変するようにしたので、いずれの信号種別の入力画像データに対しても、ＯＳテーブルメモリ（ＲＯＭ）１３１〜１３４を共用して強調変換処理を施すことが可能であり、ＮＴＳＣ方式（６０Ｈｚ）の映像信号、ＰＡＬ方式又はＳＥＣＡＭ方式（５０Ｈｚ）の映像信号のいずれであっても、ＯＳテーブルメモリ（ＲＯＭ）を別個に設ける場合に比べ、メモリの記憶容量を抑制することができる。
【０１５５】
また、同一温度条件下において、入力画像データがＰＡＬ方式又はＳＥＣＡＭ方式（５０Ｈｚ）の映像信号である場合には、入力画像データがＮＴＳＣ方式（６０Ｈｚ）の映像信号である場合に用いるＯＳパラメータより小さい値のＯＳパラメータを用いて、画像データの強調変換を行うことが可能となるため、画像データに対する過度な強調変換によって映像ノイズが発生することにより画質が劣化することを防止することができる。
【０１５６】
（実施形態８）
図１４は入力画像データがＮＴＳＣ方式（６０Ｈｚ）の映像信号の場合とＰＡＬ方式又はＳＥＣＡＭ方式（５０Ｈｚ）の映像信号の場合とで、一部のＯＳパラメータのみを共用した場合の実施形態８を示す図である。
【０１５７】
図１４に示すように、実施形態８では、入力画像データがＮＴＳＣ方式（６０Ｈｚ）の映像信号である場合、ＰＡＬ方式又はＳＥＣＡＭ方式（５０Ｈｚ）の映像信号である場合のいずれにおいても共用されるＯＳテーブルメモリ（ＲＯＭ）１３ｃ〜１３ｅに加えて、入力画像データがＮＴＳＣ方式（６０Ｈｚ）の映像信号である場合に参照するＯＳテーブルメモリ（ＲＯＭ）１３ａと、入力画像データがＰＡＬ方式又はＳＥＣＡＭ方式（５０Ｈｚ）の映像信号である場合に参照するＯＳテーブルメモリ（ＲＯＭ）１３ｂとを設け、これらＯＳテーブルメモリ（ＲＯＭ）１３ａ〜１３ｅを、入力信号種別毎に定められる切換温度に従って切り換え参照し、画像データに強調変換を施す構成としている。
【０１５８】
ここで、それぞれの専用のＯＳテーブルメモリ（ＲＯＭ）１３ａ，１３ｂについては、たとえば常温より大きい場合において、画像データの強調変換に用いるＯＳパラメータが格納されている。また、ＯＳテーブルメモリ（ＲＯＭ）１３ａ〜１３ｅを、信号種別毎に定められる切換温度に従って切り換え参照させる場合、図１１（又は図１３）で説明した制御ＣＰＵ１２Ｆ（又は１２Ｇ）からの切換制御信号によって行わせることができる。
【０１５９】
このような構成では、入力画像データがＮＴＳＣ方式（６０Ｈｚ）の映像信号である場合、温度センサ２０で検出された装置内温度が１５℃以下であれば、制御ＣＰＵ１２Ｆは強調変換部１４Ｆに対し、ＯＳテーブルメモリ（ＲＯＭ）１３ｃを選択して参照するように指示する。これによって、強調変換部１４ＦはＯＳテーブルメモリ（ＲＯＭ）１３ｃに格納されているＯＳパラメータを用いて、入力画像データの強調変換処理を行う。
【０１６０】
また、温度センサ２０で検出された装置内温度が１５℃より大きく且つ２５℃以下であれば、制御ＣＰＵ１２Ｆは強調変換部１４Ｆに対し、ＯＳテーブルメモリ（ＲＯＭ）１３ｄを選択して参照するように指示する。これによって、強調変換部１４ＦはＯＳテーブルメモリ（ＲＯＭ）１３ｄに格納されているＯＳパラメータを用いて、入力画像データの強調変換処理を行う。
【０１６１】
さらに、温度センサ２０で検出された装置内温度が２５℃より大きく且つ３５℃以下であれば、制御ＣＰＵ１２Ｆは強調変換部１４Ｆに対し、ＯＳテーブルメモリ（ＲＯＭ）１３ｅを選択して参照するように指示する。これによって、強調変換部１４ＦはＯＳテーブルメモリ（ＲＯＭ）１３ｅに格納されているＯＳパラメータを用いて、入力画像データの強調変換処理を行う。
【０１６２】
そしてまた、温度センサ２０で検出された装置内温度が３５℃より大きければ、制御ＣＰＵ１２Ｆは強調変換部１４Ｆに対し、ＯＳテーブルメモリ（ＲＯＭ）１３ａを選択して参照するように指示する。これによって、強調変換部１４ＦはＯＳテーブルメモリ（ＲＯＭ）１３ａに格納されているＯＳパラメータを用いて、入力画像データの強調変換処理を行う。
【０１６３】
一方、入力画像データがＰＡＬ方式又はＳＥＣＡＭ方式（５０Ｈｚ）の映像信号である場合は、温度センサ２０で検出された装置内温度が１０℃以下であれば、制御ＣＰＵ１２Ｆは強調変換部１４Ｆに対し、ＯＳテーブルメモリ（ＲＯＭ）１３ｃを選択して参照するように指示する。これによって、強調変換部１４ＦはＯＳテーブルメモリ（ＲＯＭ）１３ｃに格納されているＯＳパラメータを用いて、入力画像データの強調変換処理を行う。
【０１６４】
また、温度センサ２０で検出された装置内温度が１０℃より大きく且つ２０℃以下であれば、制御ＣＰＵ１２Ｆは強調変換部１４Ｆに対し、ＯＳテーブルメモリ（ＲＯＭ）１３ｄを選択して参照するように指示する。これによって、強調変換部１４ＦはＯＳテーブルメモリ（ＲＯＭ）１３ｄに格納されているＯＳパラメータを用いて、入力画像データの強調変換処理を行う。
【０１６５】
さらに、温度センサ２０で検出された装置内温度が２０℃より大きく且つ３０℃以下であれば、制御ＣＰＵ１２Ｆは強調変換部１４Ｆに対し、ＯＳテーブルメモリ（ＲＯＭ）１３ｅを選択して参照するように指示する。これによって、強調変換部１４ＦはＯＳテーブルメモリ（ＲＯＭ）１３ｅに格納されているＯＳパラメータを用いて、入力画像データの強調変換処理を行う。
【０１６６】
そしてまた、温度センサ２０で検出された装置内温度が３０℃より大きければ、制御ＣＰＵ１２Ｆは強調変換部１４Ｆに対し、ＯＳテーブルメモリ（ＲＯＭ）１３ｂを選択して参照するように指示する。これによって、強調変換部１４ＦはＯＳテーブルメモリ（ＲＯＭ）１３ｂに格納されているＯＳパラメータを用いて、入力画像データの強調変換処理を行う。
【０１６７】
このように、実施形態８では、入力画像データがＮＴＳＣ方式（６０Ｈｚ）の映像信号、ＰＡＬ方式又はＳＥＣＡＭ方式（５０Ｈｚ）の映像信号である場合のそれぞれに対して共用するＯＳテーブルメモリ（ＲＯＭ）１３ｃ〜１３ｅに加えて、入力画像データがＮＴＳＣ方式（６０Ｈｚ）の映像信号の場合に参照する専用のＯＳテーブルメモリ（ＲＯＭ）１３ａと、入力画像データがＰＡＬ方式又はＳＥＣＡＭ方式（５０Ｈｚ）の映像信号の場合に参照する専用のＯＳテーブルメモリ（ＲＯＭ）１３ｂとを設け、これらＯＳテーブルメモリ（ＲＯＭ）１３ａ〜１３ｅを、入力信号種別毎に定められる切換温度（装置内温度）に応じて切り換え参照し、画像データに対する強調変換を施す構成としたので、ＯＳテーブルメモリ（ＲＯＭ）１３ｃ〜１３ｅを共用して適切な強調変換処理を施すことが可能となる。
【０１６８】
なお、各信号種別及び各温度範囲に対応した複数のＯＳパラメータを、それぞれ個別に設けられたＯＳテーブルメモリ（ＲＯＭ）１３ａ〜１３ｅに格納しているが、単一のＯＳテーブルメモリ（ＲＯＭ）の異なるテーブル領域に格納しておき、制御ＣＰＵ１２Ｆ（又は１２Ｇ）からの切換制御信号に応じて、参照するテーブル領域を適応的に切り換えることにより、強調変換パラメータを切換選択して、強調変換データを求めるように構成してもよい。
【０１６９】
また、ＯＳテーブルメモリ（ＲＯＭ）１３ａ〜１３ｅには、上述したように、表示データ数が８ビットの２５６階調である場合、２５６の全ての階調に対するＯＳパラメータ（実測値）を持っていてもよいが、たとえば図１６に示したように、３２階調毎の９つの代表階調についての９×９のＯＳパラメータ（実測値）のみを記憶しておき、その他の階調に対する強調変換データは、上記実測値から線形補完等の演算で求めるように構成することで、ＯＳテーブルメモリ（ＲＯＭ）１３ａ〜１３ｅの記憶容量を抑制することができる。
【０１７０】
なお、上記各実施形態では、映像信号種別検出部１０が入力される映像信号に基づいて当該映像信号の放送方式（映像フォーマット）を自動判別する場合について説明したが、これに限るものではなく、映像信号種別検出部１０は、例えば、リモートコントローラなどによるユーザの映像信号の選択指示を受け付け、当該選択指示に基づいて、映像信号の放送方式を検出してもよい。いずれの場合であっても、映像信号の放送方式（映像フォーマット）を検出できれば、同様の効果が得られる。ただし、上記各実施形態のように自動判別する構成は、ユーザが、その都度操作する構成と比較して、ユーザの負担を軽減できる。
【０１７１】
また、上記各実施形態では、液晶テレビジョン受像機に表示する放送方式を常時変更可能な構成について説明したが、これに限るものではない。例えば、工場出荷時のように、予め定められた期間のみに変更可能であってもよい。当該構成では、当該期間中に、液晶テレビジョン受像機に表示する放送方式を変更することによって、上記期間以降において、ある放送方式の映像信号を表示する液晶テレビジョン受像機と、上記期間以降において、他の放送方式の映像信号を表示する液晶テレビジョン受像機とを共用できる。また、上記期間以降に、いずれの放送方式（映像フォーマット）による入力画像データが入力される場合であっても、常に、液晶表示パネルが所定期間内において該入力画像データの定める透過率となるように、該入力画像データの強調変換を行うことが可能となり、高画質の画像表示を実現することができる。このように、液晶テレビジョン受像機に表示する放送方式を変更可能な期間が制限されている場合であっても、液晶テレビジョン受像機が複数の放送方式の画像データを表示可能であり、しかも、入力画像データが第１の放送方式の映像信号であるか、当該第１の放送方式の映像信号とは垂直周波数の異なる第２の放送方式の映像信号であるかに応じて、前記画像データに対する強調変換度合いを可変制御できれば、同様の効果が得られる。ただし、上記各実施形態のように、常時変更可能であれば、より多機能な液晶テレビジョン受像機をユーザに提供できる。
【０１７２】
さらに、上記各実施形態では、液晶テレビジョン受像機が、複数の放送方式のテレビジョン放送信号を受信して表示可能なマルチテレビジョン受像機である場合を例にして説明したが、上記液晶テレビジョン受像機が表示可能な映像信号は、テレビジョン放送信号を記録した記録媒体から映像信号を再生可能な再生装置からの映像信号であってもよいし、例えば、ＤＶＤなど、テレビジョン放送の映像信号と同一の映像フォーマットの映像信号を記録した記録媒体から、当該映像信号を再生可能な再生装置からの映像信号であってもよい。なお、この場合は、記録媒体に映像信号の放送方式（映像フォーマット）を示す情報を記録しておき、映像信号種別検出部１０は、当該記録媒体から読み出した当該情報に基づいて、映像信号の放送方式（映像フォーマット）を検出してもよい。いずれの場合であっても、映像信号を出力する信号源に拘わらず、液晶テレビジョン受像機が表示可能な映像信号の映像フォーマット（放送方式）が複数であり、しかも、入力画像データが第１の放送方式の映像信号であるか当該第１の放送方式の映像信号とは垂直周波数の異なる第２の放送方式の映像信号であるかに応じて、前記画像データに対する強調変換度合いを可変制御できれば、同様の効果が得られる。
【０１７３】
なお、上記各実施形態では、一例として、例えば、画像データの１フレーム（１コマ）の画像全体を、画像データの１フレーム期間に渡って書き込み走査する駆動方法、すなわち、１垂直期間（１フレームの期間）が１垂直表示期間と一致する駆動方法を液晶テレビジョン受像機が採用した場合を例にして説明したが、これに限るものではない。例えば、１フレーム期間を画像を表示する期間（画像表示期間）と暗表示（例えば、黒表示）する期間（暗表示期間）とに分割する駆動方法を液晶テレビジョン受像機が採用してもよい。
【０１７４】
また、上記各実施形態では、１フレーム前の入力画像データと現フレームの入力画像データとの組み合わせに応じた強調変換データを液晶コントローラ１６に出力する場合を例にして説明したが、これに限るものではない。例えば、１フレーム前の入力画像データだけではなく、１フレームよりも前の入力画像データ（例えば、２フレーム前の入力画像データなど）をも参照して、強調変換データを決定してもよい。いずれの場合であっても、少なくとも１フレーム前の入力画像データを参照して強調変換データを決定すれば、同様の効果が得られる。ただし、より以前の入力画像データを参照して強調変換データを決定するためには、より大きな記憶容量のフレームメモリが必要になる。したがって、記憶容量の削減が求められる場合には、上記各実施形態のように、各フレームの入力画像データのうち、１フレーム前の入力画像データと現フレームの入力画像データとのみを参照して、強調変換データを決定することが望まれる。
【０１７５】
さらに、上記各実施形態では、１フレーム前の入力画像データを参照して強調変換データを液晶コントローラ１６に出力しているが、実際に入力された、１フレーム前の入力画像データに代えて、１フレーム前の入力画像データの書き込みによって、液晶パネルの画素が実際に到達している階調レベルを予測し、当該予測値を、上記１フレーム前の画像データ（Previous Data） として参照してもよい。なお、この場合であっても、到達階調予測のために、１フレーム前の入力画像データが参照される。いずれの場合であっても、少なくとも１フレーム前の入力画像データと現フレームの入力画像データとに基づいて、強調変換データを決定すれば、同様の効果が得られる。
【０１７６】
なお、上記各実施形態では、強調変換部（１４Ａ〜１４Ｆ）が、ＯＳテーブルメモリ（ＲＯＭ１３〜１３ｅ・１３１〜１３８）に格納されたＯＳパラメータ（強調変換パラメータ）を参照して強調変換する場合を例にして説明したが、これに限るものではない。例えば、強調変換部は、Ｍ番目のフレームの入力画像データ（Current Data）と、フレームメモリ１５に格納されたＭ−１番目のフレームの入力画像データ(Previous Data )とを変数とする２次元関数ｆ（Current Data,Previous Data）などの関数によって、液晶表示パネル（１７）の光学応答特性を補償する強調変換データを算出してもよい。
【０１７７】
また、上記各実施形態では、映像信号種別検出部（１０）、制御ＣＰＵ（１２Ａ〜１２Ｇ）、強調変換部（１４Ａ〜１４Ｆ）、フレームメモリ（１５）がいずれもハードウェアの場合を例にして説明したが、コンピュータ（ＣＰＵ）などの演算手段が、図示しない記憶装置（メモリなど）に格納されたプログラムを実行して同様の動作を行うことによって、これらの部材を実現してもよい。当該プログラムは、例えば、当該プログラムを記録した記録媒体を配布したり、あるいは、有線または無線の伝送路など、種々の伝送路を介して伝送したりすることによって配布され、上記コンピュータに実行される。
【産業上の利用可能性】
【０１７８】
本発明によれば、各放送方式の画像データを表示可能な液晶表示パネルの光学応答特性を適切に改善することができるので、液晶表示パネルを用いて画像を表示する液晶テレビジョン受像機に好適に適用できる。
【図面の簡単な説明】
【０１７９】
【図１】本発明の液晶表示装置の実施形態１を説明するための図である。
【図２】図１のＯＳテーブルメモリ（ＲＯＭ）を参照して得られるＯＳパラメータと信号種別データに応じて与えられる乗算係数とを用いて液晶表示パネルに供給する強調変換データを求める場合を説明するための図である。
【図３】入力画像データがＮＴＳＣ方式（６０Ｈｚ）の映像信号である場合に参照するＯＳパラメータが格納されたＯＳテーブルメモリ（ＲＯＭ）と、入力画像データがＰＡＬ方式又はＳＥＣＡＭ方式（５０Ｈｚ）の映像信号である場合に参照する、ＯＳパラメータが格納されたＯＳテーブルメモリ（ＲＯＭ）とを個別に設けた場合の実施形態２を示す図である。
【図４】図１の構成に温度センサを追加し、ＯＳテーブルメモリ（ＲＯＭ）を参照して得られるＯＳパラメータと、入力画像データの信号種別及び装置内温度に応じた乗算係数を用いて、画像データに対する強調変換処理を行わせる場合の実施形態３を示す図である。
【図５】図４のＯＳテーブルメモリ（ＲＯＭ）を入力画像データがＮＴＳＣ方式（６０Ｈｚ）の映像信号である場合に参照するＯＳパラメータが格納されたＯＳテーブルメモリ（ＲＯＭ）と、入力画像データがＰＡＬ方式又はＳＥＣＡＭ方式（５０Ｈｚ）の映像信号である場合に参照するＯＳパラメータが格納されたＯＳテーブルメモリ（ＲＯＭ）とを個別に設けた構成とし、装置内温度に応じた乗算係数を用いて画像データに対する強調変換度合いを可変する場合の実施形態４を示す図である。
【図６】図５のＯＳテーブルメモリ（ＲＯＭ）を参照して得られるＯＳパラメータと温度センサによる温度検出データに応じた乗算係数とを用いて強調変換データを求める場合を説明するための図である。
【図７】入力画像データがＮＴＳＣ方式（６０Ｈｚ）の映像信号である場合に参照する、複数の温度範囲のそれぞれに対応したＯＳパラメータが格納されたＯＳテーブルメモリ（ＲＯＭ）と、入力画像データがＰＡＬ方式又はＳＥＣＡＭ方式（５０Ｈｚ）の映像信号である場合に参照する、複数の温度範囲のそれぞれに対応したＯＳパラメータが格納されたＯＳテーブルメモリ（ＲＯＭ）とを個別に設けた構成とした場合の実施形態５を示す図である。
【図８】図７の制御ＣＰＵの詳細を説明するための図である。
【図９】図７のＯＳテーブルメモリ（ＲＯＭ）を入力画像データの信号種別及び装置内温度に応じて切り換え選択する動作を説明するための図である。
【図１０】入力画像データがＮＴＳＣ方式（６０Ｈｚ）の映像信号である場合とＰＡＬ方式又はＳＥＣＡＭ方式（５０Ｈｚ）の映像信号である場合とでＯＳパラメータを共用した場合の実施形態６を示す図である。
【図１１】図１０の制御ＣＰＵの詳細を示す図である。
【図１２】図１０のＯＳテーブルメモリ（ＲＯＭ）を入力画像データの信号種別及び装置内温度に応じて切り換え選択する動作を説明するための図である。
【図１３】図１０の制御ＣＰＵとして別の構成を備えた場合の実施形態７を示す図である。
【図１４】入力画像データがＮＴＳＣ方式（６０Ｈｚ）の映像信号の場合とＰＡＬ方式又はＳＥＣＡＭ方式（５０Ｈｚ）の映像信号の場合とで、一部のＯＳパラメータのみを共用した場合の実施形態８を示す図である。
【図１５】従来の液晶表示装置の一構成例を示す図である。
【図１６】図１５のＯＳテーブルメモリ（ＲＯＭ）に格納されているＯＳパラメータの一例を示す図である。
【図１７】図１５の制御ＣＰＵの一構成例を示す図である。
【図１８】図１５のＯＳテーブルメモリ（ＲＯＭ）を装置内温度に応じて切り換え選択する動作を説明するための図である。
【図１９】図１５の液晶表示装置におけるオーバーシュート駆動を説明するための図である。
【符号の説明】
【０１８０】
１０  映像信号種別検出部（信号種別検出手段）
１２Ａ〜１２Ｇ  制御ＣＰＵ（制御手段）
１２ａ  閾値判別部
１２ｂ，１２ｃ  制御信号出力部
１２ｅ  信号種別演算式格納部
１２ｆ  演算部
１２ｉ  信号種別閾値温度データ格納部
１２ｊ  閾値判別部
１３，１３ａ〜１３ｅ，１３１〜１３８  ＯＳテーブルメモリ（ＲＯＭ）
１４Ａ〜１４Ｆ  強調変換部（強調変換手段）
１５  フレームメモリ
１６  液晶コントローラ
１７  液晶表示パネル
２０  温度センサ（温度検出手段）